(57)【要約】      （修正有）【課題】ワイヤレス通信のための方法、システムおよび装置を提供する。【解決手段】低コストページングをサポートする１つまたは複数のシステムにおいて、ユーザ機器（ＵＥ）１１５ーｂは、動的カバレージ拡張（ＣＥ）構成を確立し、次いで、アイドルモードにある間に、あるＣＥレベルから別のＣＥレベルに自律的に遷移する。ネットワークがページングプロシージャ中のＣＥ変化をブラインド検出する。モビリティ管理エンティティ（ＭＭＥ）が動的ＣＥ情報を記憶する。それは、ＵＥがページングされるとき、その動的ＣＥ情報を基地局に与える。基地局１０５−ｂ、１０５−ｃは、動的ＣＥ情報に基づいて、異なるＣＥレベルにおいてページングメッセージを自律的に再送信する。ＭＭＥは、異なるＣＥレベルにおいて再送信するように基地局に指示し得る。【選択図】図３
2020145698.tif 000002
【特許請求の範囲】
【請求項１】
ワイヤレス通信の方法であって、
ネットワークエンティティを用いて動的カバレージ拡張（ＣＥ）構成を確立することと、
前記動的ＣＥ構成の第１のＣＥレベルを利用して接続モードで通信することと、
アイドルモードにある間に前記動的ＣＥ構成の第２のＣＥレベルを選択することと、
前記アイドルモードにある間に前記第２のＣＥレベルを利用して送信されたページング指示を受信することとを備える、方法。
【請求項２】
前記ページング指示に少なくとも部分的に基づいて前記第２のＣＥレベルを利用して前記接続モードで通信することをさらに備える、請求項１に記載の方法。
【請求項３】
前記ネットワークエンティティを用いて動的ＣＥ構成を確立することが、
動的ＣＥページングのサポートを示すことを備える、請求項１に記載の方法。
【請求項４】
前記サポートが基地局に示される、請求項３に記載の方法。
【請求項５】
前記サポート指示が、ユーザ構成、事業者構成、またはその両方に少なくとも部分的に基づく、請求項３に記載の方法。
【請求項６】
前記事業者構成が、汎用加入者識別モジュール（ＵＳＩＭ）においてイネーブルされる動的ＣＥレベルの指示を介して、オープンモバイルアライアンスデバイス管理（ＯＭＡ  ＤＭ）指示を介して、またはその両方を介してイネーブルされる、請求項５に記載の方法。
【請求項７】
前記動的ＣＥ構成に少なくとも部分的に基づいて前記第２のＣＥレベルが選択されたという指示をシグナリングすることを控えることをさらに備える、請求項１に記載の方法。
【請求項８】
動的ＣＥサポート指示についてのシステム情報を監視することをさらに備える、請求項１に記載の方法。
【請求項９】
前記動的ＣＥサポート指示に少なくとも部分的に基づいて基地局が前記動的ＣＥ構成をサポートすると決定することと、
前記決定に少なくとも部分的に基づいて前記アイドルモードにある間に前記基地局を再選択することとをさらに備える、請求項８に記載の方法。
【請求項１０】
前記動的ＣＥサポート指示に少なくとも部分的に基づいて基地局が前記動的ＣＥ構成をサポートしないと決定することと、
前記決定に少なくとも部分的に基づいて前記アイドルモードにある間に前記基地局を再選択することを控えることとをさらに備える、請求項８に記載の方法。
【請求項１１】
チャネル状態を測定することをさらに備え、ここにおいて、前記第２のＣＥレベルを選択することが、前記チャネル状態に少なくとも部分的に基づく、請求項１に記載の方法。
【請求項１２】
前記第２のＣＥレベルは、前記第２のＣＥレベルが前記第１のＣＥレベルよりも高いという制限に少なくとも部分的に基づいて選択される、請求項１に記載の方法。
【請求項１３】
動的ＣＥレベルのサポートの前記指示が構成に部分的に依存し、ここで、前記構成がユーザ構成または事業者構成を備え、ここにおいて、前記事業者構成が、汎用加入者識別モジュール（ＵＳＩＭ）においてイネーブルされる動的ＣＥレベルの指示またはＯＭＡ  ＤＭを介した指示を備える、請求項１に記載の方法。
【請求項１４】
基地局におけるワイヤレス通信の方法であって、
ワイヤレスデバイスのための動的ＣＥ構成を識別することと、
前記動的ＣＥ構成の第１のＣＥレベルに従って前記ワイヤレスデバイスのための第１のページングメッセージを送信することと、
前記ワイヤレスデバイスが前記第１のページングメッセージに応答しなかったと決定することと、
前記決定に少なくとも部分的に基づいて、前記動的ＣＥ構成の第２のＣＥレベルに従って前記ワイヤレスデバイスのための第２のページングメッセージを送信することとを備える、方法。
【請求項１５】
前記ワイヤレスデバイスがアイドルモードにあると決定することをさらに備える、請求項１４に記載の方法。
【請求項１６】
前記決定に少なくとも部分的に基づいて、前記第１のＣＥレベルに従って前記ワイヤレスデバイスのための第３のページングメッセージを送信することをさらに備える、請求項１４に記載の方法。
【請求項１７】
前記ワイヤレスデバイスからメッセージを受信することをさらに備える、請求項１４に記載の方法。
【請求項１８】
前記ワイヤレスデバイスからの前記メッセージに少なくとも部分的に基づいてページング停止要求を送信することをさらに備える、請求項１７に記載の方法。
【請求項１９】
前記第１のページングメッセージをしきい値回数再送信することをさらに備え、ここにおいて、前記第２のページングメッセージを送信することが、前記第１のページングメッセージを前記しきい値回数再送信することに少なくとも部分的に基づく、請求項１４に記載の方法。
【請求項２０】
前記第２のページングメッセージを送信することが、
前記第１のＣＥレベルを使用すべきなのか、前記第２のＣＥレベルを使用すべきなのか、別のＣＥレベルを使用すべきなのか、それらの任意の組合せを使用すべきなのかを示すＣＥレベル調整インデックスを示すことを備える、請求項１４に記載の方法。
【請求項２１】
前記第２のページングメッセージを送信することが、
前記第１のＣＥレベルを使用すべきなのか、前記第２のＣＥレベルを使用すべきなのか、別のＣＥレベルを使用すべきなのか、それらの任意の組合せを使用すべきなのかを示す前記第１のページングメッセージのいくつかの再送信を送信することを備える、請求項１４に記載の方法。
【請求項２２】
コアネットワークエンティティからＣＥレベル調整インデックスを受信することをさらに備え、ここにおいて、前記第２のＣＥレベルが前記ＣＥレベル調整インデックスに少なくとも部分的に基づく、請求項１４に記載の方法。
【請求項２３】
コアネットワークエンティティから前記第１のＣＥレベルに関連する追加情報を受信することをさらに備え、ここにおいて、前記第２のＣＥレベルが前記追加情報に少なくとも部分的に基づく、請求項１４に記載の方法。
【請求項２４】
コアネットワークエンティティから動的ＣＥサポート指示を受信することをさらに備える、請求項１４に記載の方法。
【請求項２５】
コアネットワークエンティティから動的ＣＥ値を受信することをさらに備える、請求項１４に記載の方法。
【請求項２６】
前記動的ＣＥ構成を備える無線リソース制御（ＲＲＣ）構成メッセージを前記ワイヤレスデバイスに送信することをさらに備える、請求項１４に記載の方法。
【請求項２７】
ページング情報、動的ＣＥ構成情報、またはその両方を備えるコンテキスト解放完了メッセージをコアネットワークエンティティに送信することをさらに備える、請求項１４に記載の方法。
【請求項２８】
前記第２のＣＥレベルは、前記第２のＣＥレベルが前記第１のＣＥレベルよりも高いという制限に少なくとも部分的に基づく、請求項１４に記載の方法。
【請求項２９】
ワイヤレス通信のための装置であって、
プロセッサと、
前記プロセッサと電子通信しているメモリと、
前記メモリに記憶され、前記プロセッサによって実行されたとき、前記装置に、
ネットワークエンティティを用いて動的カバレージ拡張（ＣＥ）構成を確立することと、
前記動的ＣＥ構成の第１のＣＥレベルを利用して接続モードで通信することと、
アイドルモードにある間に前記動的ＣＥ構成の第２のＣＥレベルを選択することと、
前記アイドルモードにある間に前記第２のＣＥレベルを利用して送信されたページング指示を受信することとをさせるように動作可能な命令とを備える、装置。
【請求項３０】
ワイヤレス通信のための装置であって、
プロセッサと、
前記プロセッサと電子通信しているメモリと、
前記メモリに記憶され、前記プロセッサによって実行されたとき、前記装置に、
ワイヤレスデバイスのための動的ＣＥ構成を識別することと、
前記動的ＣＥ構成の第１のＣＥレベルに従って前記ワイヤレスデバイスのための第１のページングメッセージを送信することと、
前記ワイヤレスデバイスが前記第１のページングメッセージに応答しなかったと決定することと、
前記決定に少なくとも部分的に基づいて、前記動的ＣＥ構成の第２のＣＥレベルに従って前記ワイヤレスデバイスのための第２のページングメッセージを送信することとをさせるように動作可能な命令とを備える、装置。
【請求項３１】
ワイヤレス通信のための装置であって、
ネットワークエンティティを用いて動的カバレージ拡張（ＣＥ）構成を確立するための手段と、
前記動的ＣＥ構成の第１のＣＥレベルを利用して接続モードで通信するための手段と、
アイドルモードにある間に前記動的ＣＥ構成の第２のＣＥレベルを選択するための手段と、
前記アイドルモードにある間に前記第２のＣＥレベルを利用して送信されたページング指示を受信するための手段とを備える、装置。
【請求項３２】
前記装置が、
前記ページング指示に少なくとも部分的に基づいて前記第２のＣＥレベルを利用して前記接続モードで通信するための手段をさらに備える、請求項３１に記載の装置。
【請求項３３】
前記ネットワークエンティティを用いて動的ＣＥ構成を確立することが、
動的ＣＥページングのサポートを示すことを備える、請求項３１に記載の装置。
【請求項３４】
前記サポートが基地局に示される、請求項３３に記載の装置。
【請求項３５】
前記サポート指示が、ユーザ構成、事業者構成、またはその両方に少なくとも部分的に基づく、請求項３３に記載の装置。
【請求項３６】
前記事業者構成が、汎用加入者識別モジュール（ＵＳＩＭ）においてイネーブルされる動的ＣＥレベルの指示を介して、オープンモバイルアライアンスデバイス管理（ＯＭＡ  ＤＭ）指示を介して、またはその両方を介してイネーブルされる、請求項３５に記載の装置。
【請求項３７】
前記装置が、
前記動的ＣＥ構成に少なくとも部分的に基づいて前記第２のＣＥレベルが選択されたという指示をシグナリングすることを控えるための手段をさらに備える、請求項３１に記載の装置。
【請求項３８】
前記装置が、
動的ＣＥサポート指示についてのシステム情報を監視するための手段をさらに備える、請求項３１に記載の装置。
【請求項３９】
前記装置が、
前記動的ＣＥサポート指示に少なくとも部分的に基づいて基地局が前記動的ＣＥ構成をサポートすると決定するための手段と、
前記決定に少なくとも部分的に基づいて前記アイドルモードにある間に前記基地局を再選択するための手段とをさらに備える、請求項３８に記載の装置。
【請求項４０】
前記装置が、
前記動的ＣＥサポート指示に少なくとも部分的に基づいて基地局が前記動的ＣＥ構成をサポートしないと決定するための手段と、
前記決定に少なくとも部分的に基づいて前記アイドルモードにある間に前記基地局を再選択することを控えるための手段とをさらに備える、請求項３８に記載の装置。
【請求項４１】
前記装置は、
チャネル状態を測定するための手段をさらに備え、ここにおいて、前記第２のＣＥレベルを選択することが、前記チャネル状態に少なくとも部分的に基づく、請求項３１に記載の装置。
【請求項４２】
前記第２のＣＥレベルは、前記第２のＣＥレベルが前記第１のＣＥレベルよりも高いという制限に少なくとも部分的に基づいて選択される、請求項３１に記載の装置。
【請求項４３】
動的ＣＥレベルのサポートの前記指示が構成に部分的に依存し、ここで、前記構成がユーザ構成または事業者構成を備え、ここにおいて、前記事業者構成が、汎用加入者識別モジュール（ＵＳＩＭ）においてイネーブルされる動的ＣＥレベルの指示またはＯＭＡ  ＤＭを介した指示を備える、請求項３１に記載の装置。
【請求項４４】
ワイヤレス通信のための装置であって、
ワイヤレスデバイスのための動的ＣＥ構成を識別するための手段と、
前記動的ＣＥ構成の第１のＣＥレベルに従って前記ワイヤレスデバイスのための第１のページングメッセージを送信するための手段と、
前記ワイヤレスデバイスが前記第１のページングメッセージに応答しなかったと決定するための手段と、
前記決定に少なくとも部分的に基づいて、前記動的ＣＥ構成の第２のＣＥレベルに従って前記ワイヤレスデバイスのための第２のページングメッセージを送信するための手段とを備える、装置。
【請求項４５】
前記装置が、
前記ワイヤレスデバイスがアイドルモードにあると決定するための手段をさらに備える、請求項４４に記載の装置。
【請求項４６】
前記装置が、
前記決定に少なくとも部分的に基づいて、前記第１のＣＥレベルに従って前記ワイヤレスデバイスのための第３のページングメッセージを送信するための手段をさらに備える、請求項４４に記載の装置。
【請求項４７】
前記装置が、
前記ワイヤレスデバイスからメッセージを受信するための手段をさらに備える、請求項４４に記載の装置。
【請求項４８】
前記装置が、
前記ワイヤレスデバイスからの前記メッセージに少なくとも部分的に基づいてページング停止要求を送信するための手段をさらに備える、請求項４７に記載の装置。
【請求項４９】
前記装置は、
前記第１のページングメッセージをしきい値回数再送信するための手段をさらに備え、ここにおいて、前記第２のページングメッセージを送信することが、前記第１のページングメッセージを前記しきい値回数再送信することに少なくとも部分的に基づく、請求項４４に記載の装置。
【請求項５０】
前記第２のページングメッセージを送信することが、
前記第１のＣＥレベルを使用すべきなのか、前記第２のＣＥレベルを使用すべきなのか、別のＣＥレベルを使用すべきなのか、それらの任意の組合せを使用すべきなのかを示すＣＥレベル調整インデックスを示すことを備える、請求項４４に記載の装置。
【請求項５１】
前記第２のページングメッセージを送信することが、
前記第１のＣＥレベルを使用すべきなのか、前記第２のＣＥレベルを使用すべきなのか、別のＣＥレベルを使用すべきなのか、それらの任意の組合せを使用すべきなのかを示す前記第１のページングメッセージのいくつかの再送信を送信することを備える、請求項４４に記載の装置。
【請求項５２】
前記装置は、
コアネットワークエンティティからＣＥレベル調整インデックスを受信するための手段をさらに備え、ここにおいて、前記第２のＣＥレベルが前記ＣＥレベル調整インデックスに少なくとも部分的に基づく、請求項４４に記載の装置。
【請求項５３】
前記装置は、
コアネットワークエンティティからＣＥレベル調整インデックスを受信するための手段をさらに備え、ここにおいて、前記第２のＣＥレベルが前記ＣＥレベル調整インデックスに少なくとも部分的に基づく、請求項４４に記載の装置。
【請求項５４】
前記装置は、
コアネットワークエンティティから前記第１のＣＥレベルに関連する追加情報を受信するための手段をさらに備え、ここにおいて、前記第２のＣＥレベルが前記追加情報に少なくとも部分的に基づく、請求項４４に記載の装置。
【請求項５５】
前記装置が、
コアネットワークエンティティから動的ＣＥサポート指示を受信するための手段をさらに備える、請求項４４に記載の装置。
【請求項５６】
前記装置が、
コアネットワークエンティティから動的ＣＥ値を受信するための手段をさらに備える、請求項４４に記載の装置。
【請求項５７】
前記装置が、
前記動的ＣＥ構成を備える無線リソース制御（ＲＲＣ）構成メッセージを前記ワイヤレスデバイスに送信するための手段をさらに備える、請求項４４に記載の装置。
【請求項５８】
前記装置が、
ページング情報、動的ＣＥ構成情報、またはその両方を備えるコンテキスト解放完了メッセージをコアネットワークエンティティに送信するための手段をさらに備える、請求項４４に記載の装置。
【請求項５９】
前記第２のＣＥレベルは、前記第２のＣＥレベルが前記第１のＣＥレベルよりも高いという制限に少なくとも部分的に基づく、請求項４４に記載の装置。
【請求項６０】
ワイヤレス通信のためのコードを記憶する非一時的コンピュータ可読媒体であって、前記コードが、
ネットワークエンティティを用いて動的カバレージ拡張（ＣＥ）構成を確立することと、
前記動的ＣＥ構成の第１のＣＥレベルを利用して接続モードで通信することと、
アイドルモードにある間に前記動的ＣＥ構成の第２のＣＥレベルを選択することと、
前記アイドルモードにある間に前記第２のＣＥレベルを利用して送信されたページング指示を受信することとを行うために実行可能な命令を備える、非一時的コンピュータ可読媒体。
【請求項６１】
ワイヤレス通信のためのコードを記憶する非一時的コンピュータ可読媒体であって、前記コードが、
ワイヤレスデバイスのための動的ＣＥ構成を識別することと、
前記動的ＣＥ構成の第１のＣＥレベルに従って前記ワイヤレスデバイスのための第１のページングメッセージを送信することと、
前記ワイヤレスデバイスが前記第１のページングメッセージに応答しなかったと決定することと、
前記決定に少なくとも部分的に基づいて、前記動的ＣＥ構成の第２のＣＥレベルに従って前記ワイヤレスデバイスのための第２のページングメッセージを送信することとを行うために実行可能な命令を備える、非一時的コンピュータ可読媒体。
【請求項６２】
コアネットワークエンティティにおけるワイヤレス通信の方法であって、
ワイヤレスデバイスのための動的ＣＥ構成を識別することと、
前記動的ＣＥ構成の第１のＣＥレベルに従って、基地局によって使用されるべき、前記ワイヤレスデバイスのための第１のページングメッセージを送信することと、
前記ワイヤレスデバイスが前記第１のページングメッセージに応答しなかったと決定することと、
前記決定に少なくとも部分的に基づいて前記動的ＣＥ構成に関する追加情報を送信することとを備える、方法。
【請求項６３】
前記ワイヤレスデバイスがアイドルモードにあると決定することをさらに備える、請求項６２に記載の方法。
【請求項６４】
前記動的ＣＥ構成に関する追加情報を送信することが、
前記決定に少なくとも部分的に基づいて、前記基地局によって使用されるべき、前記ワイヤレスデバイスのための第２のページングメッセージを送信することを備える、請求項６２に記載の方法。
【請求項６５】
前記決定に少なくとも部分的に基づいて、前記第１のＣＥレベルに従って、前記基地局によって使用されるべき、前記ワイヤレスデバイスのための第３のページングメッセージを送信することをさらに備える、請求項６４に記載の方法。
【請求項６６】
前記ワイヤレスデバイスをサービスする基地局に動的ＣＥサポート指示を送信することをさらに備える、請求項６２に記載の方法。
【請求項６７】
前記ワイヤレスデバイスをサービスする基地局に動的ＣＥ値を送信することをさらに備える、請求項６２に記載の方法。
【請求項６８】
前記動的ＣＥ構成を識別することが、
ページング情報または動的ＣＥ構成情報、あるいはその両方を備えるコンテキスト解放完了メッセージを基地局から受信することを備える、請求項６２に記載の方法。
【請求項６９】
前記第１のページングメッセージまたは前記第２のページングメッセージを送信することが、
トラッキングエリア中の基地局のセットにページング要求を送ることを備える、請求項６４に記載の方法。
【請求項７０】
ワイヤレス通信のための装置であって、
プロセッサと、
前記プロセッサと電子通信しているメモリと、
前記メモリに記憶され、前記プロセッサによって実行されたとき、前記装置に、
ワイヤレスデバイスのための動的ＣＥ構成を識別することと、
前記動的ＣＥ構成の第１のＣＥレベルに従って、基地局によって使用されるべき、前記ワイヤレスデバイスのための第１のページングメッセージを送信することと、
前記ワイヤレスデバイスが前記第１のページングメッセージに応答しなかったと決定することと、
前記決定に少なくとも部分的に基づいて前記動的ＣＥ構成に関する追加情報を送信することとをさせるように動作可能な命令とを備える、装置。
【請求項７１】
ワイヤレス通信のための装置であって、
ワイヤレスデバイスのための動的ＣＥ構成を識別するための手段と、
前記動的ＣＥ構成の第１のＣＥレベルに従って、基地局によって使用されるべき、前記ワイヤレスデバイスのための第１のページングメッセージを送信するための手段と、
前記ワイヤレスデバイスが前記第１のページングメッセージに応答しなかったと決定するための手段と、
前記決定に少なくとも部分的に基づいて前記動的ＣＥ構成に関する追加情報を送信するための手段とを備える、装置。
【請求項７２】
前記装置が、
前記ワイヤレスデバイスがアイドルモードにあると決定するための手段をさらに備える、請求項７１に記載の装置。
【請求項７３】
前記装置が、
前記決定に少なくとも部分的に基づいて、前記基地局によって使用されるべき、前記ワイヤレスデバイスのための第２のページングメッセージを送信するための手段をさらに備える、請求項７１に記載の装置。
【請求項７４】
前記装置が、
前記決定に少なくとも部分的に基づいて、前記第１のＣＥレベルに従って、前記基地局によって使用されるべき、前記ワイヤレスデバイスのための第３のページングメッセージを送信するための手段をさらに備える、請求項７１に記載の装置。
【請求項７５】
前記装置が、
前記ワイヤレスデバイスをサービスする基地局に動的ＣＥサポート指示を送信するための手段をさらに備える、請求項７１に記載の装置。
【請求項７６】
前記装置が、
前記ワイヤレスデバイスをサービスする基地局に動的ＣＥ値を送信するための手段をさらに備える、請求項７１に記載の装置。
【請求項７７】
前記動的ＣＥ構成を識別することが、
ページング情報または動的ＣＥ構成情報、あるいはその両方を備えるコンテキスト解放完了メッセージを基地局から受信することを備える、請求項７１に記載の装置。
【請求項７８】
前記第１のページングメッセージまたは前記第２のページングメッセージを送信することが、
トラッキングエリア中の基地局のセットにページング要求を送ることを備える、請求項７１に記載の装置。
【請求項７９】
ワイヤレス通信のためのコードを記憶する非一時的コンピュータ可読媒体であって、前記コードが、
ワイヤレスデバイスのための動的ＣＥ構成を識別することと、
前記動的ＣＥ構成の第１のＣＥレベルに従って、基地局によって使用されるべき、前記ワイヤレスデバイスのための第１のページングメッセージを送信することと、
前記ワイヤレスデバイスが前記第１のページングメッセージに応答しなかったと決定することと、
前記決定に少なくとも部分的に基づいて前記動的ＣＥ構成に関する追加情報を送信することとを行うために実行可能な命令を備える、非一時的コンピュータ可読媒体。
【発明の詳細な説明】
【技術分野】
【０００１】
相互参照
[0001]  本特許出願は、２０１６年３月２２日に出願された、「Low Cost Paging」と題する、Ｇｒｉｏｔ等による米国特許出願第１５／０７７，７４０号、および２０１５年３月２３日に出願された、「Low Cost Paging」と題する、Ｇｒｉｏｔ等による米国仮特許出願第６２／１３７，１７４号の優先権を主張するもので、それらの各々は本出願の譲受人に譲渡されている。
【背景技術】
【０００２】
[0002]  以下は、一般にワイヤレス通信に関し、より詳細には、低コストページングに関する。ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（例えば、時間、周波数、および電力）を共有することによって複数のユーザとの通信をサポートすることが可能であり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（例えば、ロングタームエボリューション（ＬＴＥ（登録商標））システム）がある。ワイヤレス多元接続通信システムは、場合によってはユーザ機器（ＵＥ）として知られ得る、複数の通信デバイスのための通信を各々が同時にサポートする、いくつかの基地局を含み得る。
【０００３】
[0003]  ワイヤレスネットワークは、ワイヤレスデバイスと通信するためにカバレージ拡張技法を利用し得る。いくつかの場合には、基地局とワイヤレスデバイスとの間のチャネル状態は変化し得、従って、カバレージ拡張（coverage enhancement）の適切なレベルは増加し得る。これが起こる場合、ＵＥは、新しいＣＥレベルを協調させなければ、それに宛てられたメッセージを受信しないことがあるが、新しいＣＥレベルを協調させることは、電力制限のあるデバイスの動作寿命を制限するか、または場合によっては、そのデバイスに悪影響を及ぼし得る。
【発明の概要】
【０００４】
[0004]  低複雑度マシンタイプ通信（ＭＴＣ）デバイスなどのユーザ機器（ＵＥ）が、動的カバレージ拡張（ＣＥ：coverage enhancement）構成を確立し、次いで、アイドルモードにある間に、あるＣＥレベルから別のＣＥレベルに自律的に遷移し得る。ＵＥをサービスするネットワークは、ページングプロシージャ中のＣＥ変化をブラインド検出し得る。例えば、ＵＥをサービスするモビリティ管理エンティティ（ＭＭＥ：mobility management entity）が動的ＣＥ情報を記憶し得、ＭＭＥは、例えば、ＭＭＥがＵＥをページングするとき、その動的ＣＥ情報をネットワーク内の基地局に与え得る。いくつかの場合には、基地局は、動的ＣＥ構成に基づいて、異なるＣＥレベルにおいてページングメッセージを自律的に再送信し得る。他の例では、ＭＭＥは、異なるＣＥレベルにおいて再送信することを基地局に命じ得る。動的ＣＥ構成をサポートする基地局は、様々な例では、基地局が、ＭＭＥまたはＵＥ、あるいはその両方から指示(indication)を受信する場合、動的ＣＥをイネーブルし得る。いくつかの例では、ＵＥおよびＭＭＥは、非アクセス層（ＮＡＳ）シグナリングを介して動的ＣＥ構成を協調させ得る。
【０００５】
[0005]  ワイヤレス通信の方法が説明される。本方法は、ネットワークエンティティを用いて動的ＣＥ構成を確立することと、動的ＣＥ構成の第１のＣＥレベルを利用して接続モードで通信することと、アイドルモードにある間に動的ＣＥ構成の第２のＣＥレベルを選択することと、アイドルモードにある間に第２のＣＥレベルを利用して送信されたページング指示を受信することとを含み得る。
【０００６】
[0006]  ワイヤレス通信のための装置が説明される。本装置は、ネットワークエンティティを用いて動的ＣＥ構成を確立するための手段と、動的ＣＥ構成の第１のＣＥレベルを利用して接続モードで通信するための手段と、アイドルモードにある間に動的ＣＥ構成の第２のＣＥレベルを選択するための手段と、アイドルモードにある間に第２のＣＥレベルを利用して送信されたページング指示を受信するための手段とを含み得る。
【０００７】
[0007]  ワイヤレス通信のためのさらなる装置が説明される。本装置は、プロセッサと、プロセッサと電子通信しているメモリと、メモリに記憶され、プロセッサによって実行されたとき、プロセッサに、ネットワークエンティティを用いて動的ＣＥ構成を確立することと、動的ＣＥ構成の第１のＣＥレベルを利用して接続モードで通信することと、アイドルモードにある間に動的ＣＥ構成の第２のＣＥレベルを選択することと、アイドルモードにある間に第２のＣＥレベルを利用して送信されたページング指示を受信することとをさせるように動作可能な命令とを含み得る。
【０００８】
[0008]  ワイヤレス通信のためのコードを記憶する非一時的コンピュータ可読媒体が説明される。コードは、ネットワークエンティティを用いて動的ＣＥ構成を確立することと、動的ＣＥ構成の第１のＣＥレベルを利用して接続モードで通信することと、アイドルモードにある間に動的ＣＥ構成の第２のＣＥレベルを選択することと、アイドルモードにある間に第２のＣＥレベルを利用して送信されたページング指示を受信することとをするために実行可能な命令を含み得る。
【０００９】
[0009]  本明細書で説明される方法、装置、または非一時的コンピュータ可読媒体のいくつかの例は、ページング指示に少なくとも部分的に基づいて第２のＣＥレベルを利用して接続モードで通信するためのプロセス、特徴、手段、または命令をさらに含み得る。追加または代替として、いくつかの例では、ネットワークエンティティを用いて動的ＣＥ構成を確立することは、動的ＣＥページングのサポートを示すことを備える。
【００１０】
[0010]  本明細書で説明される方法、装置、または非一時的コンピュータ可読媒体のいくつかの例では、サポートは、非アクセス層（ＮＡＳ）シグナリングを介してモビリティ管理エンティティ（ＭＭＥ）に示される。追加または代替として、いくつかの例では、サポートは基地局に示される。
【００１１】
[0011]  本明細書で説明される方法、装置、または非一時的コンピュータ可読媒体のいくつかの例では、サポート指示は、ユーザ構成、事業者構成、またはその両方に少なくとも部分的に基づく。追加または代替として、いくつかの例では、事業者構成は、汎用加入者識別モジュール（ＵＳＩＭ）においてイネーブルされる動的ＣＥレベルの指示を介して、オープンモバイルアライアンスデバイス管理（ＯＭＡ  ＤＭ）指示を介して、またはその両方を介してイネーブルされる。
【００１２】
[0012]  本明細書で説明される方法、装置、または非一時的コンピュータ可読媒体のいくつかの例は、動的ＣＥ構成に少なくとも部分的に基づいて第２のＣＥレベルが選択されたという指示をシグナリングすることを控えるためのプロセス、特徴、手段、または命令をさらに含み得る。追加または代替として、いくつかの例は、動的ＣＥサポート指示についてのシステム情報を監視するためのプロセス、特徴、手段、または命令を含み得る。
【００１３】
[0013]  本明細書で説明される方法、装置、または非一時的コンピュータ可読媒体のいくつかの例は、動的ＣＥサポート指示に少なくとも部分的に基づいて基地局が動的ＣＥ構成をサポートすると決定することと、決定に少なくとも部分的に基づいてアイドルモードにある間に基地局を再選択することとをするためのプロセス、特徴、手段、または命令をさらに含み得る。追加または代替として、いくつかの例は、動的ＣＥサポート指示に少なくとも部分的に基づいて基地局が動的ＣＥ構成をサポートしないと決定することと、決定に少なくとも部分的に基づいてアイドルモードにある間に基地局を再選択することを控えることとをするためのプロセス、特徴、手段、または命令を含み得る。
【００１４】
[0014]  本明細書で説明される方法、装置、または非一時的コンピュータ可読媒体のいくつかの例は、チャネル状態を測定するためのプロセス、特徴、手段、または命令をさらに含み得、ここにおいて、第２のＣＥレベルを選択することは、チャネル状態に少なくとも部分的に基づく。追加または代替として、いくつかの例は、ＣＥ構成タイマーが満了したと決定するためのプロセス、特徴、手段、または命令を含み得、ここにおいて、第２のＣＥレベルを選択することは、ＣＥ構成タイマーの満了少なくとも部分的に基づく。
【００１５】
[0015]  本明細書で説明される方法、装置、または非一時的コンピュータ可読媒体のいくつかの例では、第２のＣＥレベルは、第２のＣＥレベルが第１のＣＥレベルよりも高いという制限に少なくとも部分的に基づいて選択される。追加または代替として、いくつかの例では、動的ＣＥレベルのサポートの指示は構成に部分的に依存し、ここで、構成は、少なくとも、ユーザ構成または事業者構成のうちの１つまたは複数上になり、ここにおいて、事業者構成は、以下の、ＵＳＩＭにおいてイネーブルされる動的ＣＥレベルの指示およびＯＭＡ  ＤＭを介した指示のうちの１つまたは複数からなる。
【００１６】
[0016]  基地局におけるワイヤレス通信の方法が説明される。本方法は、ワイヤレスデバイスのための動的ＣＥ構成を識別することと、動的ＣＥ構成の第１のＣＥレベルに従ってワイヤレスデバイスのための第１のページングメッセージを送信することと、ワイヤレスデバイスが第１のページングメッセージに応答しなかったと決定することと、決定に少なくとも部分的に基づいて、動的ＣＥ構成の第２のＣＥレベルに従ってワイヤレスデバイスのための第２のページングメッセージを送信することとを含み得る。
【００１７】
[0017]  ワイヤレス通信のための装置が説明される。本装置は、ワイヤレスデバイスのための動的ＣＥ構成を識別するための手段と、動的ＣＥ構成の第１のＣＥレベルに従ってワイヤレスデバイスのための第１のページングメッセージを送信するための手段と、ワイヤレスデバイスが第１のページングメッセージに応答しなかったと決定するための手段と、決定に少なくとも部分的に基づいて、動的ＣＥ構成の第２のＣＥレベルに従ってワイヤレスデバイスのための第２のページングメッセージを送信するための手段とを含み得る。
【００１８】
[0018]  ワイヤレス通信のためのさらなる装置が説明される。本装置は、プロセッサと、プロセッサと電子通信しているメモリと、メモリに記憶され、プロセッサによって実行されたとき、プロセッサに、ワイヤレスデバイスのための動的ＣＥ構成を識別することと、動的ＣＥ構成の第１のＣＥレベルに従ってワイヤレスデバイスのための第１のページングメッセージを送信することと、ワイヤレスデバイスが第１のページングメッセージに応答しなかったと決定することと、決定に少なくとも部分的に基づいて、動的ＣＥ構成の第２のＣＥレベルに従ってワイヤレスデバイスのための第２のページングメッセージを送信することとをさせるように動作可能な命令とを含み得る。
【００１９】
[0019]  ワイヤレス通信のためのコードを記憶する非一時的コンピュータ可読媒体が説明される。コードは、ワイヤレスデバイスのための動的ＣＥ構成を識別することと、動的ＣＥ構成の第１のＣＥレベルに従ってワイヤレスデバイスのための第１のページングメッセージを送信することと、ワイヤレスデバイスが第１のページングメッセージに応答しなかったと決定することと、決定に少なくとも部分的に基づいて、動的ＣＥ構成の第２のＣＥレベルに従ってワイヤレスデバイスのための第２のページングメッセージを送信することとをするために実行可能な命令を含み得る。
【００２０】
[0020]  本明細書で説明される方法、装置、または非一時的コンピュータ可読媒体のいくつかの例は、ワイヤレスデバイスがアイドルモードにあると決定するためのプロセス、特徴、手段、または命令をさらに含み得る。追加または代替として、いくつかの例は、決定に少なくとも部分的に基づいて、第１のＣＥレベルに従ってワイヤレスデバイスのための第３のページングメッセージを送信するためプロセス、特徴、手段、または命令を含み得る。
【００２１】
[0021]  本明細書で説明される方法、装置、または非一時的コンピュータ可読媒体のいくつかの例では、第３のページングメッセージは、第２のページングメッセージと同時に送信される。追加または代替として、いくつかの例では、動的ＣＥ構成を識別することは、ワイヤレスデバイスからＮＡＳシグナリングを受信することを備える。
【００２２】
[0022]  本明細書で説明される方法、装置、または非一時的コンピュータ可読媒体のいくつかの例は、ワイヤレスデバイスに動的ＣＥサポート指示を送信するためのプロセス、特徴、手段、または命令をさらに含み得る。追加または代替として、いくつかの例は、ワイヤレスデバイスをサービスする基地局に動的ＣＥサポート指示を送信するためのプロセス、特徴、手段、または命令を含み得る。
【００２３】
[0023]  本明細書で説明される方法、装置、または非一時的コンピュータ可読媒体のいくつかの例では、動的ＣＥ構成を識別することは、ページング情報、動的ＣＥ構成情報、またはその両方を備えるコンテキスト解放完了メッセージを基地局から受信することを備える。追加または代替として、いくつかの例では、第１のページングメッセージまたは第２のページングメッセージを送信することは、トラッキングエリア中の基地局のセットにページング要求を送ることを備える。
【００２４】
[0024]  本明細書で説明される方法、装置、または非一時的コンピュータ可読媒体のいくつかの例は、ワイヤレスデバイスからメッセージを受信するためのプロセス、特徴、手段、または命令をさらに含み得る。追加または代替として、いくつかの例は、ワイヤレスデバイスからのメッセージに少なくとも部分的に基づいてページング停止要求を送信するためのプロセス、特徴、手段、または命令を含み得る。
【００２５】
[0025]  本明細書で説明される方法、装置、または非一時的コンピュータ可読媒体のいくつかの例は、第１のページングメッセージをしきい値回数再送信するためのプロセス、特徴、手段、または命令をさらに含み得、ここにおいて、第２のページングメッセージを送信することは、第１のページングメッセージをしきい値回数再送信することに少なくとも部分的に基づく。追加または代替として、いくつかの例では、第２のページングメッセージを送信することは、第１のＣＥレベルを使用すべきなのか、第２のＣＥレベルを使用すべきなのか、別のＣＥレベルを使用すべきなのか、それらの任意の組合せを使用すべきなのかを示すＣＥレベル調整インデックスを示すことを備える。追加または代替として、いくつかの例では、第２のページングメッセージを送信することは、第１のＣＥレベルを使用すべきなのか、第２のＣＥレベルを使用すべきなのか、別のＣＥレベルを使用すべきなのか、それらの任意の組合せを使用すべきなのかを示す第１のページングメッセージのいくつかの再送信を送信することを含み得る。
【００２６】
[0026]  本明細書で説明される方法、装置、または非一時的コンピュータ可読媒体のいくつかの例は、コアネットワークエンティティからＣＥレベル調整インデックスを受信するためのプロセス、特徴、手段、または命令をさらに含み得、ここにおいて、第２のＣＥレベルは調整インデックスに少なくとも部分的に基づく。追加または代替として、いくつかの例は、コアネットワークエンティティから第１のＣＥレベルに関連する追加情報を受信するためのプロセス、特徴、手段、または命令を含み得、ここにおいて、第２のＣＥレベルは追加情報に少なくとも部分的に基づく。追加または代替として、いくつかの例は、コアネットワークエンティティからページング要求を受信するためのプロセス、特徴、手段、または命令を含み得、ここにおいて、第１のページングメッセージを送信することまたは第２のページングメッセージを送信することは、ページング要求に少なくとも部分的に基づく。
【００２７】
[0027]  本明細書で説明される方法、装置、または非一時的コンピュータ可読媒体のいくつかの例は、コアネットワークエンティティから動的ＣＥサポート指示を受信するためのプロセス、特徴、手段、または命令をさらに含み得る。本明細書で説明される方法、装置、または非一時的コンピュータ可読媒体のいくつかの例は、コアネットワークエンティティから動的ＣＥ値を受信するためのプロセス、特徴、手段、または命令をさらに含み得る。追加または代替として、いくつかの例は、動的ＣＥ構成を備える無線リソース制御（ＲＲＣ）構成メッセージをワイヤレスデバイスに送信するためのプロセス、特徴、手段、または命令を含み得る。
【００２８】
[0028]  本明細書で説明される方法、装置、または非一時的コンピュータ可読媒体のいくつかの例は、ページング情報、動的ＣＥ構成情報、またはその両方を備えるコンテキスト解放完了メッセージをコアネットワークエンティティに送信するためのプロセス、特徴、手段、または命令をさらに含み得る。追加または代替として、いくつかの例は、動的ＣＥサポート指示をブロードキャストするためのプロセス、特徴、手段、または命令を含み得る。
【００２９】
[0029]  本明細書で説明される方法、装置、または非一時的コンピュータ可読媒体のいくつかの例は、ＣＥ構成タイマーでワイヤレスデバイスを構成するためのプロセス、特徴、手段、または命令をさらに含み得る。追加または代替として、いくつかの例では、第２のＣＥレベルは、第２のＣＥレベルが第１のＣＥレベルよりも高いという制限に少なくとも部分的に基づく。
【００３０】
[0030]  コアネットワークエンティティにおけるワイヤレス通信の方法が説明される。いくつかの例では、本方法は、ワイヤレスデバイスのための動的ＣＥ構成を識別することと、動的ＣＥ構成の第１のＣＥレベルに従って、基地局によって使用されるべき、ワイヤレスデバイスのための第１のページングメッセージを送信することと、ワイヤレスデバイスが第１のページングメッセージに応答しなかったと決定することと、決定に少なくとも部分的に基づいて動的ＣＥ構成に関する追加情報を送信することとを含み得る。
【００３１】
[0031]  ワイヤレス通信のための装置が説明される。いくつかの例では、本装置は、ワイヤレスデバイスのための動的ＣＥ構成を識別するための手段と、動的ＣＥ構成の第１のＣＥレベルに従って、基地局によって使用されるべき、ワイヤレスデバイスのための第１のページングメッセージを送信するための手段と、ワイヤレスデバイスが第１のページングメッセージに応答しなかったと決定するための手段と、決定に少なくとも部分的に基づいて動的ＣＥ構成に関する追加情報を送信するための手段とを含み得る。
【００３２】
[0032]  ワイヤレス通信のためのさらなる装置が説明される。いくつかの例では、本装置は、プロセッサと、プロセッサと電子通信しているメモリと、メモリに記憶され、プロセッサによって実行されたとき、プロセッサに、ワイヤレスデバイスのための動的ＣＥ構成を識別することと、動的ＣＥ構成の第１のＣＥレベルに従って、基地局によって使用されるべき、ワイヤレスデバイスのための第１のページングメッセージを送信することと、ワイヤレスデバイスが第１のページングメッセージに応答しなかったと決定することと、決定に少なくとも部分的に基づいて動的ＣＥ構成に関する追加情報を送信することとをさせるように動作可能な命令とを含み得る。
【００３３】
[0033]  ワイヤレス通信のためのコードを記憶する非一時的コンピュータ可読媒体が説明される。いくつかの例では、コードは、ワイヤレスデバイスのための動的ＣＥ構成を識別することと、動的ＣＥ構成の第１のＣＥレベルに従って、基地局によって使用されるべき、ワイヤレスデバイスのための第１のページングメッセージを送信することと、ワイヤレスデバイスが第１のページングメッセージに応答しなかったと決定することと、決定に少なくとも部分的に基づいて動的ＣＥ構成に関する追加情報を送信することとをするために実行可能な命令を含み得る。
【００３４】
[0034]  本明細書で説明される方法、装置、または非一時的コンピュータ可読媒体のいくつかの例は、ワイヤレスデバイスがアイドルモードにあると決定するためのプロセス、特徴、手段、または命令を含み得る。追加または代替として、いくつかの例では、動的ＣＥ構成に関する追加情報を送信することは、決定に少なくとも部分的に基づいて、基地局によって使用されるべき、ワイヤレスデバイスのための第２のページングメッセージを送信することを含み得る。追加または代替として、いくつかの例は、決定に少なくとも部分的に基づいて、第１のＣＥレベルに従って、基地局によって使用されるべき、ワイヤレスデバイスのための第３のページングメッセージを送信するためのプロセス、特徴、手段、または命令を含み得る。
【００３５】
[0035]  本明細書で説明される方法、装置、または非一時的コンピュータ可読媒体のいくつかの例は、ワイヤレスデバイスをサービスする基地局に動的ＣＥサポート指示を送信するためのプロセス、特徴、手段、または命令を含み得る。追加または代替として、いくつかの例は、ワイヤレスデバイスをサービスする基地局に動的ＣＥ値を送信するためのプロセス、特徴、手段、または命令を含み得る。
【００３６】
[0036]  いくつかの例では、動的ＣＥ構成を識別することは、ページング情報または動的ＣＥ構成情報、あるいはその両方を備えるコンテキスト解放完了メッセージを基地局から受信することを含み得る。
【００３７】
[0037]  追加または代替として、いくつかの例は、第１のページングメッセージまたは第２のページングメッセージを送信するためのプロセス、特徴、手段、または命令を含み得、トラッキングエリア中の基地局のセットにページング要求を送ることを含み得る。
【００３８】
[0038]  本開示の態様が、以下の図を参照して説明される。
【図面の簡単な説明】
【００３９】
【図１】本開示の様々な態様による、低コストページングをサポートするワイヤレス通信システムの一例を示す図。
【図２】本開示の様々な態様による、低コストページングをサポートするワイヤレス通信システムの一例を示す図。
【図３】本開示の様々な態様による、低コストページングをサポートする１つまたは複数のシステムにおけるプロセスフローの例を示す図。
【図４】本開示の様々な態様による、低コストページングをサポートする１つまたは複数のシステムにおけるプロセスフローの例を示す図。
【図５】本開示の様々な態様による、低コストページングをサポートする１つまたは複数のワイヤレスデバイスのブロック図。
【図６】本開示の様々な態様による、低コストページングをサポートする１つまたは複数のワイヤレスデバイスのブロック図。
【図７】本開示の様々な態様による、低コストページングをサポートする１つまたは複数のワイヤレスデバイスのブロック図。
【図８】本開示の様々な態様による、低コストページングをサポートするユーザ機器（ＵＥ）を含むシステムのブロック図。
【図９】本開示の様々な態様による、低コストページングをサポートする１つまたは複数のネットワークエンティティのブロック図。
【図１０】本開示の様々な態様による、低コストページングをサポートする１つまたは複数のネットワークエンティティのブロック図。
【図１１】本開示の様々な態様による、低コストページングをサポートする１つまたは複数のネットワークエンティティのブロック図。
【図１２Ａ】本開示の様々な態様による、低コストページングをサポートする基地局を含むシステムのブロック図。
【図１２Ｂ】本開示の様々な態様による、低コストページングをサポートするモビリティ管理エンティティ（ＭＭＥ）を含むシステムのブロック図。
【図１３】本開示の様々な態様による、低コストページングのための方法を示す図。
【図１４】本開示の様々な態様による、低コストページングのための方法を示す図。
【図１５】本開示の様々な態様による、低コストページングのための方法を示す図。
【図１６】本開示の様々な態様による、低コストページングのための方法を示す図。
【図１７】本開示の様々な態様による、低コストページングのための方法を示す図。
【図１８】本開示の様々な態様による、低コストページングのための方法を示す図。
【詳細な説明】
【００４０】
[0048]  低コストマシンタイプ通信（ＭＴＣ）デバイスなどのユーザ機器（ＵＥ）が、動的カバレージ拡張（ＣＥ）構成を確立し、次いで、アイドルモードにある間に、あるＣＥレベルから別のＣＥレベルに自律的に遷移し得る。ネットワークがページングプロシージャ中のＣＥ変化をブラインド検出し得る。
【００４１】
[0049]  本開示の態様は、最初に、ワイヤレス通信システムのコンテキストにおいて説明される。次いで、１つまたは複数の基地局が、動的ＣＥ構成に基づいて、異なるＣＥレベルにおいてページングメッセージを自律的に再送信し得る特定の例が説明される。ＭＭＥが、異なるＣＥレベルにおいて再送信するように基地局に指示し得る他の例が説明される。本開示のこれらおよび他の態様は、さらに、動的ＣＥに関係する装置図、システム図、およびフローチャートによって示され、それらを参照して説明される。
【００４２】
[0050]  図１は、本開示の様々な態様による、低コストページングをサポートするワイヤレス通信システム１００の一例を示す。ワイヤレス通信システム１００は、基地局１０５と、ＵＥ１１５と、コアネットワーク１３０とを含む。いくつかの例では、ワイヤレス通信システム１００は、ロングタームエボリューション（ＬＴＥ）／ＬＴＥアドバンスト（ＬＴＥ−ａ）ネットワークであり得る。
【００４３】
[0051]  基地局１０５は、１つまたは複数の基地局アンテナを介してＵＥ１１５とワイヤレス通信し得る。基地局１０５の各々は、それぞれの地理的カバレージエリア１１０に通信カバレージを与え得る。ワイヤレス通信システム１００に示されている通信リンク１２５は、ＵＥ１１５から基地局１０５へのアップリンク（ＵＬ）送信、または基地局１０５からＵＥ１１５へのダウンリンク（ＤＬ）送信を含み得る。
【００４４】
[0052]  ＵＥ１１５は、ワイヤレス通信システム１００全体にわたって分散され得、各ＵＥ１１５は固定または移動であり得る。ＵＥ１１５は、移動局、加入者局、リモートユニット、ワイヤレスデバイス、アクセス端末、ハンドセット、ユーザエージェント、クライアント、または何らかの他の好適な用語で呼ばれることもある。ＵＥ１１５はまた、セルラーフォン、ワイヤレスモデム、ハンドヘルドデバイス、パーソナルコンピュータ、タブレット、パーソナル電子デバイス、マシンタイプ通信（ＭＴＣ）デバイスなどであり得る。ＵＥ１１５は、基地局１０５と通信し得、動的ＣＥ得る。
【００４５】
[0053]  いくつかのタイプのワイヤレスデバイスは、自動化された通信を提供し得る。自動化されたワイヤレスデバイスは、マシンツーマシン（Ｍ２Ｍ）通信、モノのインターネット（ＩｏＴ）通信またはＭＴＣを実施するものを含み得る。Ｍ２Ｍ、ＩｏＴ、またはマシンタイプ通信（ＭＴＣ）は、デバイスが人間の介入なしに基地局１０５を介して互いにまたはインターネットと通信することを可能にするデータ通信技術を指すことがある。例えば、Ｍ２ＭまたはＭＴＣは、情報を測定またはキャプチャするためにセンサーまたはメーターを組み込み、情報を活用できる中央サーバまたはアプリケーションプログラムにその情報を中継するか、あるいはプログラムまたはアプリケーションと対話する人間に情報を提示する、デバイスからの通信を指すことがある。いくつかのＵＥ１１５は、情報を収集する、または機械の自動化された挙動をイネーブルするように設計されたものなど、ＭＴＣデバイスであり得る。ＭＴＣデバイスのための適用例の例としては、スマートメータリング、インベントリ監視、水位監視、機器監視、ヘルスケア監視、野生生物監視、天候および地質学的事象監視、フリート管理およびトラッキング、リモートセキュリティ検知、物理的アクセス制御、トランザクションベースのビジネスの課金、並びにウェアラブルデバイス（例えば、生体監視デバイス）がある。ＭＴＣデバイスは、いくつかの例では、低減されたピークレートにおいて半二重（一方向）通信を使用して動作し得る。ＭＴＣデバイスはまた、アクティブ通信に関与していないとき、電力節約「ディープスリープ」モードに入るように構成され得る。
【００４６】
[0054]  基地局１０５は、コアネットワーク１３０をサポートし得、低コストページングをサポートするための動的ＣＥ情報を与えるためにコアネットワーク１３０とおよび互いに通信し得る。例えば、基地局１０５は、バックホールリンク１３２（例えば、Ｓ１など）を通して、コアネットワーク１３０とインターフェースし得る。基地局１０５はまた、直接的または間接的のいずれかで（例えば、コアネットワーク１３０を通して）、バックホールリンク１３４（例えば、Ｘ２など）を介して互いに通信し得る。基地局１０５は、ＵＥ１１５との通信のための無線構成およびスケジューリングを行い得るか、または基地局コントローラ（図示せず）の制御下で動作し得る。様々な例では、基地局１０５は、マクロセル、スモールセル、ホットスポットなどであり得る。基地局１０５は、いくつかの例では、ｅノードＢ（ｅＮＢ）１０５と呼ばれることもある。
【００４７】
[0055]  コアネットワーク１３０は、少なくとも１つのモビリティ管理エンティティ（ＭＭＥ）１３５と、少なくとも１つのサービングゲートウェイ（Ｓ−ＧＷ：serving gateway）１４０と、少なくとも１つのＰＤＮゲートウェイ（Ｐ−ＧＷ：PDN gateway）とを含み得る発展型パケットコア（ＥＰＣ：evolved packet core）であり得る。ＭＭＥ１３５は、ＵＥ１１５とＥＰＣ（すなわち、コアネットワーク１３０）との間の制御プレーンシグナリングを処理するノードであり得る。全てのユーザＩＰパケットはＳ−ＧＷ１４０を通して転送され得、Ｓ−ＧＷ１４０自体はＰ−ＧＷに接続され得る。Ｐ−ＧＷはＩＰアドレス割振り並びに他の機能を与え得る。Ｐ−ＧＷは、ネットワーク事業者のＩＰサービスに接続され得る。事業者のＩＰサービスは、インターネットと、イントラネットと、ＩＰマルチメディアシステム（ＩＭＳ：IP Multimedia System）と、パケット交換（ＰＳ：Packet-Switched）ストリーミングサービス（ＰＳＳ：PS Streaming Service）とを含み得る。
【００４８】
[0056]  ＭＭＥ１３５は、ネットワーク接続アクティブ化／非アクティブ化プロセスに関与し得、ホーム加入者サーバ（ＨＳＳ）と協調してユーザを認証することにも関与し得る。通信セッションの確立のために、およびＵＥ１１５が移動するときにＵＥ１１５との連続通信を維持するために使用され得る非アクセス層（ＮＡＳ）シグナリングがＭＭＥ１３５において開始またはダイレクトされ得る。ＭＭＥ１３５はまた、ＵＥ１１５に一時識別情報を割り振り得る。例えば、ＭＭＥ１３５は、ＭＭＥ１３５のための識別情報並びにＵＥ１１５のための一時識別情報を含むグローバル一意一時識別情報（ＧＵＴＩ：globally unique temporary identity）をＵＥ１１５に割り振り得る。ＧＵＴＩは、永続的識別情報、例えば、国際モバイル加入者識別情報（ＩＭＳＩ）がネットワーク内でそれを用いて送信される周波数を最小限に抑え得る。ＭＭＥ１３５はまた、ＵＥ１１５がサービスプロバイダのパブリックランドモバイルネットワーク（ＰＬＭＮ）にキャンプオンすることを許可されるかどうかを確認し得、ＵＥ１１５のための接続プロシージャなど、非アクセス層（ＮＡＳ）シグナリングのためのセキュリティキーを管理し得、セキュリティキー管理を扱う。
【００４９】
[0057]  いくつかの場合には、ワイヤレス通信システム１００は、セルエッジに位置するか、低電力トランシーバを用いて動作するか、あるいは高い干渉または経路損失を経験する、ＵＥ１１５のための通信リンク１２５の品質を改善するために、カバレージ拡張（ＣＥ）技法を利用し得る。ＣＥ技法は、増加送信時間間隔（ＴＴＩ）バンドリング、ＨＡＲＱ再送信、物理アップリンク共有チャネル（ＰＵＳＣＨ）ホッピング、ビームフォーミング、電力ブースティング、または他の技法を含み得る。使用されるＣＥ技法は、異なる状況におけるＵＥ１１５の特定の必要に依存し得る。例えば、ＴＴＩバンドリングは、冗長バージョンを再送信する前に否定応答（ＮＡＣＫ）を待つのではなく、連続するＴＴＩのグループ中で、同じ情報の複数のコピーを送ることを伴い得る。これは、ボイスオーバーロングタームエボリューション（ＶｏＬＴＥ）またはＶＯＩＰ通信に関与するユーザにとって有効であり得る。他の場合には、ＨＡＲＱ再送信の数も増加され得る。周波数ダイバーシティを達成するために、周波数ホッピングを使用して、アップリンクデータ送信が送信され得る。特定の方向において信号の強度を増加させるためにビームフォーミングが使用され得るか、または、送信電力が単に増加され得る。いくつかの場合には、１つまたは複数のＣＥオプションが組み合わせられ得、本技法が信号を改善することが予想されるデシベル数に基づいて、ＣＥレベルが定義され得る（例えば、ＣＥなし、５ｄＢ  ＣＥ、１０ｄＢ  ＣＥ、１５ｄＢ  ＣＥなど）。
【００５０】
[0058]  ＵＥ１１５は、アイドルモードに入り、ページングメッセージを受信するために周期的に起動し得る。例えば、ＵＥ１１５は、アイドルモード動作を含み得るＤＲＸサイクルで構成され得る。ＤＲＸサイクルは、ＵＥ１１５が（例えば、ＰＤＣＣＨ上で）制御情報を監視し得る「オン持続時間」と、ＵＥ１１５が無線構成要素の電源を切断し、アイドルモードに遷移し得る「ＤＲＸ期間」とからなる。
【００５１】
[0059]  いくつかの場合には、アイドルモードにあるＵＥ１１５は、ページング無線ネットワーク一時識別情報（Ｐ−ＲＮＴＩ：paging radio network temporary identity）を割り当てられ得る。Ｓ−ＧＷがＵＥ１１５のためのデータを受信する場合、それは、ＭＭＥに通知し得、ＭＭＥは、トラッキングエリアとして知られるエリア内のあらゆる基地局１０５にページングメッセージを送り得る。トラッキングエリア内の各基地局１０５は、Ｐ−ＲＮＴＩをもつページングメッセージを送り得る。従って、ＵＥは、それがトラッキングエリアを出るまでＭＭＥを更新することなしにアイドルのままであり得る。
【００５２】
[0060]  基地局１０５は、例えば、動的ＣＥレベルまたは静的ＣＥレベルのいずれかであり得る、４つのＣＥレベル（例えば、ＣＥなし、５ｄＢ  ＣＥ、１０ｄＢ  ＣＥ、または１５ＤＢ  ＣＥ）のうちの１つを使用してＵＥ１１５をページングし得る。ＵＥ１１５は、ＭＴＣデバイスであり得、ページングプロシージャのために使用されるＣＥレベルに対応する割り当てられたＣＥを使用して動作し得る。ＵＥ１１５は、測定されたチャネル状態に基づいて、どのＣＥレベルを使用すべきかを決定し得る。チャネル状態は、移動しているＵＥ１１５のために頻繁に変化し得、従って、デバイスは、電力を節約するかまたはオーバーヘッドを低減するために、ワーストケースアセスメントに基づいて動的ＣＥレベルまたは半静的ＣＥレベル（例えば、５ｄＢ）を選定し得る。準定常であるデバイスのためのチャネル状態は、より遅いレートで変化し得る。従って、デバイスは、チャネルアセスメントを行った後に、新しいＣＥレベルを動的に決定し得る。
【００５３】
[0061]  いくつかの場合には、ＭＭＥ１３５は、１つまたは複数のＣＥ対応(enabled)デバイスのためのＣＥレベルおよび他のページング情報を記憶し得る。例えば、ＭＭＥ１３５は、ＵＥ１１５がＲＲＣアイドル状態に移動するとき、ＵＥ１１５のための情報を維持し得る。別の例では、基地局は、ＲＲＣ接続動作中に動的ＣＥ構成をサポートするＵＥ１１５のＣＥレベルを決定し得る。基地局１０５は、次いで、記憶のために、関連するＣＥレベルをＭＭＥ１３５に受け渡し得る。いくつかの場合には、動的ＣＥ構成をサポートするＵＥ１１５は、アイドル状態に入り得る。アイドルザ状態にある間に、デバイスは、チャネル特性を監視し続け得る。いくつかの場合には、動的ＣＥ構成をサポートするＵＥ１１５は、接続状態で使用された同じＣＥレベルを使用し得る。他の場合には、動的ＣＥ構成をサポートするＵＥ１１５は、測定されたチャネル状態に基づいて、より高いＣＥレベルに移動し得る（例えば、ＣＥなし→５ｄＢ  ＣＥ、５ｄＢ  ＣＥ→１０ｄＢ  ＣＥなど）。
【００５４】
[0062]  動的ＣＥ構成をサポートするＵＥ１１５はアイドル状態にあり得るので、ＣＥレベル変化は、ネットワークの知識なしに起こり得る。従って、基地局１０５は、（例えば、ＭＭＥ１３５によって与えられるページング情報に基づいて）動的ＣＥ構成をサポートするＵＥ１１５がもはや使用していないＣＥレベルを使用して、動的ＣＥ構成をサポートするＵＥ１１５をページングし得る。動的ＣＥ構成をサポートするＵＥ１１５は、ページングメッセージを正常に受信し、ネットワークに再接続すると、ＣＥレベルをネットワークに明示的に示し得る。しかしながら、ネットワークに再接続することは、信号オーバーヘッドおよび電力消費を増加させ得、それは、動的ＣＥ構成をサポートするＵＥ１１５が、次のＵＥ開始型接続より前にページングされない場合、不要であり得る。
【００５５】
[0063]  いくつかの場合には、アイドルモードにあるＵＥ１１５は、基地局１０５との接続を確立するか、あるいはより良い性能またはより高い優先度をもつネイバリングセルを再選択するために、セル選択プロシージャを行い得る。選択プロシージャは、候補セルが最小選択基準（Ｓ基準）を満たすかどうかの決定と、いくつかの利用可能なセルの中から選択することとを含み得る。Ｓ基準は、基準信号受信電力（ＲＳＲＰ）（または基準信号受信品質（ＲＳＲＱ））、最小信号電力しきい値、パブリックランドモバイルネットワーク（ＰＬＭＮ）優先度オフセット、最大送信電力、および（セル間のピンポンを回避するための）ヒステリシスパラメータを含み得る。各セルは、ブロードキャストシステム情報メッセージ中で、それ自体の最小ＲＳＲＰ、セル優先度、および最大送信電力、並びにＣＥ能力を送信し得る。そのような情報はシステム情報ブロック（ＳＩＢ）中でブロードキャストされ得、Ｓ基準、ＣＥ能力などはＳＩＢ１中でブロードキャストされ得る。セルは、（例えば、ＳＩＢ４およびＳＩＢ５中で）ネイバリングセルについての対応する値をも伝達し得る。
【００５６】
[0064]  ＵＥ１１５は、利用可能なＰＬＭＮのセットを識別することと、最も優先度の高いＰＬＭＮ（例えば、ホームＰＬＭＮ）を選択することと、次いで、選択されたＰＬＭＮ中の最良の利用可能なセルを選択することとによって、セル選択プロシージャを開始し得る。ＵＥ１１５がセルにキャンプオンされる場合、それは、周期的にセル探索を行い、Ｓ基準に基づいて利用可能なセルをランク付けし得る。ＵＥ１１５が、非サービングネイバーセルが適格Ｓ基準を有し（例えば、信号強度が十分に高く）、ネイバーセルのランクがサービングセルのランクよりも高いと決定した場合、ＵＥは、より高いランクのセルに再選択し得る。ＵＥ１１５が、訪問者パブリックランドモバイルネットワーク（ＶＰＬＭＮ：visitor public land mobile network）に接続されている間にセル探索を行う場合、ＵＥ１１５は、ホームＰＬＭＮ（または別のより優先度の高いＰＬＭＮ）に対する選好を与えるために優先度オフセットを使用し得る。
【００５７】
[0065]  従って、ＵＥ１１５は、ＣＥレベルの変化をネットワークに示すことを控え得、ネットワークは、動的ＣＥ構成をサポートするＵＥ１１５に関連する正しいＣＥレベルを決定するためにＣＥレベルのブラインド調整を使用し得る。いくつかの例では、動的ＣＥ構成をサポートするＵＥ１１５は、初期ＣＥレベルおよび動的ＣＥレベルインジケータを基地局１０５に送り得る。ＭＭＥ１３５は、ＣＥレベル情報を含む動的ＣＥ構成をサポートするＵＥ１１５のためのコンテキスト情報を記憶し得る。動的ＣＥ構成をサポートするＵＥ１１５はアイドルモードに入り得、ＭＭＥ１３５は、動的ＣＥ構成をサポートするＵＥ１１５のためのページング要求を基地局１０５に送り得る。ページング要求は、動的ＣＥ構成をサポートするＵＥ１１５のための最新の知られている（last known）ＣＥレベルと、動的ＣＥレベル調整がＵＥ１１５のためにイネーブルされるというインジケータとを含み得る。基地局１０５は、次いで、最新の知られているＣＥレベルを使用してＵＥ１１５をページングし得る。基地局１０５が、動的ＣＥ構成をサポートするＵＥ１１５からの応答を受信しない場合、基地局１０５は、第２のＣＥレベル（例えば、０ＣＥ→５ｄＢ
ＣＥ）を使用して再びＵＥ１１５をページングし得る。基地局１０５は、ＵＥ１１５が到達されるまでまたは最大数のページが行われるまで、異なるＣＥレベルにおいてページングを続け得る。
【００５８】
[0066]  図２は、本開示の様々な態様による、低コストページングのためのワイヤレス通信システム２００の一例を示す。すなわち、ワイヤレス通信システム２００は、ＵＥ１１５が動的ＣＥ構成を確立し、次いで、アイドルモードにある間に、あるＣＥレベルから別のＣＥレベルに自律的に遷移または移動する、ワイヤレス通信システム１００の態様またはワイヤレス通信システム１００における動作を示し得る。ワイヤレス通信システム２００は、ＵＥ１１５、基地局１０５、またはＭＭＥ１３５−ａの例であり得る、ＵＥ１１５−ａ、基地局１０５−ａ、およびＭＭＥ１３５−ａを含み得、基地局１０５−ａおよびＵＥ１１５−ａは、ＵＥ１１５−ａがカバレージエリア１１０−ａ内にあるとき、ＲＲＣ接続であり得る、通信リンク２０５を介して互いに通信し得、基地局１０５−ａおよびＭＭＥ１３５−ａは、図１を参照して概略的に説明されたように、バックホールリンク１３２−ａを通して互いに通信し得る。
【００５９】
[0067]  いくつかの例では、ＵＥ１１５−ａは、（例えば、静的ＣＥレベルページングとは対照的な）動的ＣＥレベルページングを要求するように構成され得る。これは、ＵＥ１１５のデバイスのタイプまたはカテゴリーに基づき得る。例えば、（半静的に配置され得る）メーターまたはセンサー中で使用されるウェアラブルなものまたはデバイスは、動的ＣＥレベルページングのために構成され得、ＵＥ１１５はそのようなデバイスであり得る。
【００６０】
[0068]  ＵＥ１１５−ａは、基地局１０５−ａとのＲＲＣ接続２０５を確立し得る。ＵＥ１１５−ａおよび基地局１０５−ａは、チャネル状態に基づいて（例えば、ネットワークによってサポートされるＣＥオプションの限られた選択から）適切なＣＥレベルを決定し得る。ＵＥ１１５−ａが、接続解放時にアイドルモードに入る場合、基地局１０５−ａは、ＭＭＥ１３５−ａに、最新の知られているＣＥレベルを含むコンテキスト情報を受け渡し得る。アイドル状態にある間に、基地局１０５−ａは、メモリからＵＥ１１５−ａのためのコンテキスト情報を削除し得、ＵＥ１１５−ａは、カバレージエリア１１０−ａ内の新しいロケーション（例えば、カバレージが１１０−ａであるのエッジの近く）に移動し得る。ＵＥ１１５−ａは、新しいロケーションにおいてチャネル測定を行い得る。いくつかの場合には、ＵＥ１１５−ａは、チャネル測定に基づいて、よりアグレッシブなＣＥレベル（例えば、１０ｄＢ  ＣＥ）が適切であると決定し得、関連するＣＥレベルを変更し得る。しかしながら、ＵＥ１１５−ａはアイドル状態で動作していることがあるので、ＵＥ１１５−ａは、ネットワーク（例えば、基地局１０５−ａまたはＭＭＥ１３５−ａ）にその変更を示すことを控え得、これは、ＵＥ１１５−ａがバッテリー電力または他のリソースを節約することを可能にし得る。
【００６１】
[0069]  その後、ＭＭＥ１３５−ａは、ＵＥ１１５−ａがアイドル状態にある間にＵＥ１１５−ａのための保留中のデータの通知を受信し得、例えば、Ｓ−ＧＷ１４０（図１）が、ＭＭＥ１３５−ａにＵＥ１１５−ａのための保留中のデータを通知し得る。ＭＭＥ１３５−ａは、次いで、基地局１０５−ａを含む、ＵＥ１１５−ａのためのトラッキングエリア内の一部または全部の基地局１０５にページング要求を送り得る。ページング要求は、最新の知られているＣＥレベルと、ＵＥカテゴリーと、動的ＣＥレベル調整がＵＥ１１５−ａのためにイネーブルされるという指示とを含む、ＵＥ１１５−ａのためのコンテキスト情報を含み得る。基地局１０５−ａは、次いで、受信されたコンテキスト情報に従ってＵＥ１１５−ａをページングし得る。しかしながら、ＵＥ１１５−ａはＣＥレベルを（例えば、１０ｄＢ  ＣＥに）変更していることがあるので、基地局１０５−ａは、間違ったＣＥレベル（例えば、５ｄＢ  ＣＥ）を使用して送信し得る。いくつかの場合には、ＣＥレベルは、ページング通信の使用されるリソース、変調およびコーディング方式（ＭＣＳ）または他の態様を決定し得る。
【００６２】
[0070]  従って、ＵＥ１１５−ａは、ページング要求を復号し、それに応答できないことがある。基地局１０５−ａは、次いで、ブラインドＣＥレベル調整を開始し得る。基地局１０５−ａは、２回目に、第２のＣＥレベル（例えば、１０ｄＢ  ＣＥ）を使用してＵＥ１１５−ａをページングし得る。この場合、ＵＥ１１５−ａは、第２のＣＥレベルとＵＥ１１５−ａにおいて設定されたＣＥレベルとに基づいて第２のページを正常に復号し、それに応答し得る。基地局１０５−ａは、次いで、ＵＥ１１５−ａとの後続のＲＲＣ接続２０５−ａを確立し得る。
【００６３】
[0071]  動的ＣＥ構成を確立することは、ＵＥ１１５−ａと基地局１０５−ａとＭＥ１３５−ａとの間の協調を含み得る。例えば、各デバイスからのサポートの指示が使用され得る。１つの手法では、ＲＲＣネゴシエーションが、Ｓ１におけるＭＭＥサポート指示を用いて、ＵＥ１１５−ａと基地局１０５−ａとの間で起こる。すなわち、ＭＭＥ１３５−ａは、動的ＣＥレベルページングが可能であるという指示を、Ｓ１を介して基地局１０５−ａに送り得る（例えば、コアネットワークが動的ＣＥのサポートを示す）。次いで、ＵＥ１１５−ａは、動的ＣＥのサポートを基地局１０５−ａに示し得る。基地局１０５−ａは、ＭＭＥ１３５−ａから許可を受信した後に、およびいくつかの例ではＵＥ１１５−ａからの指示に基づいて、動的ＣＥをイネーブルし得る。基地局１０５−ａは、ＲＲＣ構成を介して動的ＣＥ構成をＵＥ１１５−ａに明示的にシグナリングし得る。基地局１０５−ａは、次いで、動的ＣＥページングがＳ１を介してイネーブルされたことをＭＭＥ１３５−ａに確認し得る。
【００６４】
[0072]  別の手法では、動的ＣＥ構成を確立するために、ＵＥ１１５−ａとＭＭＥ１３５−ａとの間のＮＡＳネゴシエーションが使用され得る。ＵＥ１１５−ａは、最初に、動的ＣＥレベルサポートについての指示をＮＡＳにおいてＭＭＥ１３５−ａに与え得る。ＭＭＥ１３５−ａは、次いで、ＭＭＥ１３５−ａが動的ＣＥレベルページングをサポートするという指示をＵＥ１１５−ａに与え得る。ＭＭＥ１３５−ａはまた、Ｓ１  ＵＥコンテキストにおける動的ＣＥ報告についての指示を基地局１０５−ａに与え得る。ＵＥ１１５−ａは、システム情報からのＣＥレベルを監視し得、基地局１０５−ａは、選択されたＣＥレベルをＳ１解放メッセージにおいてＭＭＥ１３５−ａに報告し得る。
【００６５】
[0073]  いくつかの場合には、セル選択または再選択は、動的ＣＥのサポートに依存し得る。例えば、ＵＥ１１５−ａが、あるＣＥレベルで構成されたとき、新しいセルがそのＣＥレベルをサポートする場合（いくつかの場合には、新しいセルが動的ＣＥページングプロシージャをサポートする場合）、ＵＥ１１５−ａはそれにキャンプオンし得る。例えば、ＵＥ１１５−ａは、システム情報（例えば、新しいセルのマスタ情報ブロック（ＭＩＢ）またはＳＩＢ）から、サポートされるＣＥレベルを直接的に収集することによって、または、ＵＥ１１５−ａが前にキャンプオンしたネイバーセルから、ＳＩＢ中のサポートされるＣＥレベルを間接的に収集することによって、新しいセルのサポートされるＣＥレベルを収集し得る。ＣＥレベルまたは構成が新しいセルによってサポートされない場合、ＵＥ１１５−ａは異なるセルを選択し得る。いくつかの場合には、ＵＥ１１５−ａは、（例えば、チャネル測定に基づいて）新しいセル上の適切なＣＥレベルを決定する。識別されたＣＥレベルがサポートされる場合、ＵＥ１１５−ａは、セルにキャンプオンし、新しいＣＥレベルにおいてページングを監視し得る。他の場合、ＵＥ１１５−ａは、キャンピングすべき新しいセルを選択することを試み得る。発見された新しいセルがない場合、ＵＥ１１５−ａは、（例えば、ＲＳＲＰに基づいて）最良の利用可能なセルにキャンプオンし得る。代替的に、ＵＥ１１５−ａは、信号強度とＣＥサポートの最良の組合せをもつセルにキャンプオンし得る。
【００６６】
[0074]  図３は、本開示の様々な態様による、低コストページングをサポートするシステムにおけるプロセスフロー３００の一例を示す。プロセスフロー３００は、その各々が図１および図２を参照して上で説明された対応するデバイスの例であり得る、ＵＥ１１５、基地局１０５、およびＭＭＥ１３５−ｂの例であり得る、ＵＥ１１５−ｂ、基地局１０５−ｂ、基地局１０５−ｃ、およびＭＭＥ１３５−ｂによって行われる動作を含み得る。いくつかの例では、ＵＥ１１５−ｂは第１のＣＥレベルに基づいて基地局１０５−ｂとの接続を確立し得、アイドル状態に入ると、第１のＣＥレベルはＭＭＥ１３５−ｂにおいて記憶され得る。ＵＥ１１５−ｂは、チャネル状態を監視し続け得、ＣＥレベルの変更をネットワーク（例えば、基地局１０５−ｂ、基地局１０５−ｃ、またはＭＭＥ１３５−ｂ）に示すことなしに第２のＣＥレベルを選択し得る。ＭＭＥ１３５−ｂは、ＵＥ１１５−ｂのためのページング通知を受信し得、第１のＣＥレベルおよび動的ＣＥレベルインジケータを含むページング要求を基地局１０５−ｂおよびネイバリング基地局１０５−ｃに送り得る。基地局１０５−ｂと基地局１０５−ｃとは、両方とも、同じトラッキングエリア中にあり得、両方とも、応答が受信されるまで異なるＣＥレベルにおいて複数のページングメッセージをＵＥ１１５−ｂにブラインド送信し得る。
【００６７】
[0075]  ステップ３０５において、ＵＥ１１５−ｂと基地局１０５−ｂとは、ＲＲＣ接続を確立し得る。ＲＲＣ接続を確立することは、ＵＥ１１５−ｂのためのコンテキスト情報（例えば、デバイスＩＤ、ＵＥ能力、ＣＥレベル、動的ＣＥ指示など）をＭＭＥ１３５−ｂに送ることを含み得、その情報はＭＭＥ１３５−ｂに記憶され得る。いくつかの場合には、情報は接続を確立するときに記憶され得るが、いくつかの場合には、情報は接続解放時に記憶される。記憶された情報はＭＭＥ１３５−ｂに対して透過的であり得る。いくつかの例では、基地局１０５−ｂは、ＵＥ１１５−ｂが動的ＣＥレベル調整のためにイネーブルされることをＭＭＥ１３５−ｂに通知する追加のメッセージをＭＭＥ１３５−ｂに送り得る。他の場合には、ＵＥ１１５−ｂは、非アクセス層（ＮＡＳ）を介してＭＭＥ１３５−ｂに直接的に通知し得る。
【００６８】
[0076]  いくつかの例では、動的ＣＥ構成を確立することは、動的ＣＥページングのサポートを示すことを含む。サポートは、ＮＡＳシグナリングを介してＭＭＥ１３５−ｂに示され得る。いくつかの例では、サポートは基地局に示される。いくつかの例では、サポート指示は、ユーザ構成、事業者構成、またはその両方に基づく。事業者構成は、汎用加入者識別モジュール（ＵＳＩＭ）においてイネーブルされる動的ＣＥレベルの指示を介して、オープンモバイルアライアンスデバイス管理（ＯＭＡ  ＤＭ）指示を介して、またはその両方を介してイネーブルされ得る。
【００６９】
[0077]  ステップ３１０において、ネットワークはＲＲＣ解放プロシージャを行い得る。いくつかの場合には、解放プロシージャは、ＵＥ１１５−ｂがアイドルモードに入る場合に行われ得る。ＲＲＣ解放プロシージャは、ＵＥ１１５−ｂと基地局１０５−ｂとの間のＲＲＣ接続３１０−ａを解放することと、基地局１０５−ｂからＭＭＥ１３５−ｂにコンテキスト解放要求３１０−ｂを送ることと、ＭＭＥ１３５−ｂから基地局１０５−ｂにコンテキスト解放コマンド３１０−ｃを送ることと、コンテキスト解放が完了したこと３１０−ｄを示してＭＭＥ１３５−ｂに応答することとを含み得る。
【００７０】
[0078]  ステップ３１５において、ＵＥ１１５−ｂは、チャネル状態を監視することに基づいてＣＥレベルを決定し得る。ＣＥレベルを決定することは、より高いＣＥレベルが使用され得るかどうかを決定するためにチャネル測定を行うことを含み得る。例えば、チャネル測定値がしきい値レベルを越えるとＵＥ１１５−ｂが決定した場合、ＵＥ１１５−ｂは、新しいＣＥレベルを選択し得る。例えば、ＵＥ１１５−ｂは、ＣＥレベルを第１のＣＥレベル（例えば、５ｄＢ  ＣＥ）から第２のＣＥレベル（例えば、１０ｄＢ  ＣＥ）に変更し得る。いくつかの場合には、ＵＥ１１５−ｂによって選択された第２のＣＥレベルは、基地局１０５−ｂおよび１０５−ｃ並びにＭＭＥ１３５−ｂになど、ネットワークに広告されないことがある。
【００７１】
[0079]  いくつかの場合には、ＵＥ１１５−ｂは、ＣＥ構成タイマーが満了したと決定したことに基づいて新しいＣＥレベルを選択し得る。いくつかの例では、第２のＣＥレベルは、第２のＣＥレベルが第１のＣＥレベルよりも高いという制限に基づいて選択される。
【００７２】
[0080]  ステップ３２０において、ＭＭＥ１３５−ｂは、ＵＥ１１５−ｂのためのページング通知を受信し得る。ページング通知は、所望のＵＥ１１５−ｂをページングするようにＭＭＥ１３５−ｂに指示するダウンリンクデータ通知メッセージをＳ−ＧＷから受信することを含み得る。ＭＭＥ１３５−ｂは、次いで、最新の知られているトラッキングエリア中の、基地局１０５−ｂおよび１０５−ｃなどの各基地局に、ページング要求３２５および３３０を送り得る。ページング要求３２５および３３０は、ＵＥ１１５−ｂのための、最新の知られているＣＥレベル（例えば、５ｄＢ  ＣＥ）および動的ＣＥインジケータなど、記憶されたコンテキスト情報を含み得る。
【００７３】
[0081]  いくつかの例では、コアネットワークエンティティにおけるワイヤレス通信の方法が行われ得る。コアネットワークエンティティの一例として、ＭＭＥ（例えば、ＭＭＥ１３５−ｂ）は、ワイヤレス通信の方法の１つまたは複数の要素を行い得る。いくつかの例では、本方法は、ワイヤレスデバイスのための動的ＣＥ構成を識別することと、動的ＣＥ構成の第１のＣＥレベルに従って、基地局によって使用されるべき、ワイヤレスデバイスのための第１のページングメッセージを送信することと、ワイヤレスデバイスが第１のページングメッセージに応答しなかったと決定することと、決定に少なくとも部分的に基づいて動的ＣＥ構成に関する追加情報を送信することとを含み得る。
【００７４】
[0082]  いくつかの例では、本方法は、ワイヤレスデバイスがアイドルモードにあると決定することを含み得る。いくつかの例では、動的ＣＥ構成に関する追加情報を送信することは、決定に少なくとも部分的に基づいて、基地局によって使用されるべき、ワイヤレスデバイスのための第２のページングメッセージを送信することを含み得る。
【００７５】
[0083]  追加または代替として、本方法は、決定に少なくとも部分的に基づいて、第１のＣＥレベルに従って、基地局によって使用されるべきワイヤレスデバイスのための第３のページングメッセージを送信することを含み得る。いくつかの例では、本方法は、ワイヤレスデバイスをサービスする基地局に動的ＣＥサポート指示を送信することを含み得る。追加または代替として、本方法は、ワイヤレスデバイスをサービスする基地局に動的ＣＥ値を送信することを含み得る。いくつかの例では、動的ＣＥ構成を識別することは、ページング情報または動的ＣＥ構成情報、あるいはその両方を備えるコンテキスト解放完了メッセージを基地局から受信することを含み得る。いくつかの例では、第１のページングメッセージまたは第２のページングメッセージを送信することは、トラッキングエリア中の基地局のセットにページング要求を送ることを含み得る。
【００７６】
[0084]  ステップ３３５および３４０において、（ＵＥ１１５−ｂの最新の知られているトラッキングエリア中にあり得、ＭＭＥ１３５−ｂによって選択されたページングセットの例であり得る）基地局１０５−ｂおよび１０５−ｃは、両方とも、受信されたページング要求に基づいて、および第１のＣＥレベル（例えば、５ｄＢ  ＣＥ）に従って、ページングメッセージを送信し得る。基地局１０５−ｂおよび１０５−ｃは、ＵＥ１１５−ｂからの応答を待ち得る。しかしながら、基地局１０５−ｂおよび１０５−ｃは、ページングメッセージを第１のＣＥレベルに基づいて送信しており、第２のＣＥレベルに基づいて送信していないので、ＵＥ１１５−ｂはページを受信できないことがある。いくつかの場合には、基地局は、異なるＣＥレベルにおいて後続のページングメッセージを送り（すなわち、ＣＥレベルをブラインド調整し）得る。
【００７７】
[0085]  ステップ３４５および３５０において、基地局１０５−ｂおよび１０５−ｃは、両方とも、受信されたページング要求に基づいて、および第２のＣＥレベルに従って、第２のページングメッセージを送信し得る。いくつかの場合には、基地局１０５−ｂおよび１０５−ｃは、ＵＥ１１５−ｂが動的ＣＥ動作のためにイネーブルであるという指示を受信したことに基づいて、第２のＣＥレベルにおいて送信し得る。いくつかの場合には、基地局１０５−ｂおよび１０５−ｃは、第１のＣＥレベルに基づいてＣＥレベルを１レベル増分し得る（例えば、５ｄＢ  ＣＥ→１０ｄＢ  ＣＥ）。基地局１０５−ｂおよび１０５−ｃは、ＵＥ１１５−ｂから応答が受信されるまでまたは最大ＣＥレベルが到達されたまで、ＣＥレベルを自律的に増分し続け得る。他の場合には、基地局１０５−ｂおよび１０５−ｃは、１つまたは複数のページングメッセージをＵＥ１１５−ｂに送信し得る。例えば、基地局１０５−ｂおよび１０５−ｃは、２つのページングメッセージを、一方を第１のＣＥレベル（例えば、５ｄＢ  ＣＥ）に従って、および他方を第２のＣＥレベル（例えば、１０ｄＢ  ＣＥ）に従って送り得る。基地局１０５−ｂおよび１０５−ｃは、ＵＥ１１５−ｂから応答が受信されるまでまたは最大ＣＥレベルが到達されたまで、次のＣＥレベル（すなわち、ＣＥなし→５ｄＢ  ＣＥ、５ｄＢ  ＣＥ→１０ｄＢ  ＣＥ、１０ｄＢ
ＣＥ→１５ｄＢ  ＣＥなど）のための追加のページングメッセージを送り続け得る。いくつかの場合には、第２のページングメッセージを送信するために使用される第２のＣＥレベル（例えば、１０ｄＢ  ＣＥ）は、ＵＥ１１５−ｂにおいて設定されたＣＥレベルと対応し得る。
【００７８】
[0086]  いくつかの場合には、基地局１０５−ｂおよび１０５−ｃは、ＣＥレベルをブラインド調整しながら、ＭＭＥ１３５−ｂからＵＥ１１５−ｂのための第２のページング要求を受信し得る。従って、基地局１０５−ｂおよび１０５−ｃは、２つのページングメッセージを、一方を第２のページング要求に関連するＣＥレベル、および他方を最後のページングメッセージの後のＣＥレベル（例えば、ＣＥなしおよび１０ｄＢ  ＣＥ）において送信し得る。
【００７９】
[0087]  ステップ３５５において、ＵＥ１１５−ｂは、基地局１０５−ｂから送られたページング要求を正常に受信した後に、基地局１０５−ｂとのＲＲＣ接続を確立し得る。
【００８０】
[0088]  ステップ３６０において、基地局１０５−ｂは、ＵＥ１１５−ｂのための更新されたコンテキスト情報（例えば、デバイスＩＤ、ＵＥ能力、ＣＥレベル、動的ＣＥ指示など）をＭＭＥ１３５−ｂに送り得、その情報はＭＭＥ１３５−ｂに記憶され得る。
【００８１】
[0089]  ステップ３６５において、ＭＭＥ１３５−ｂは、ＲＲＣ接続の成功した確立に基づいて、基地局１０５−ｃなど、トラッキングエリア中の選択された基地局にページング停止要求を送り得る。
【００８２】
[0090]  図４は、本開示の様々な態様による、低コストページングをサポートするシステムにおけるプロセスフロー４００の一例を示す。プロセスフロー４００は、図１〜図２を参照して上で説明された対応するデバイスの例であり得るＵＥ１１５、基地局１０５、およびＭＭＥ１３５−ｃの例であり得る、ＵＥ１１５−ｃ、基地局１０５−ｄ、基地局１０５−ｅ、およびＭＭＥ１３５−ｃによって行われる動作を含み得る。いくつかの例では、ＵＥ１１５−ｃは第１のＣＥレベルに基づいて基地局１０５−ｄとの接続を確立し得、アイドル状態に入ると、第１のＣＥレベルはＭＭＥ１３５−ｃにおいて記憶され得る。ＵＥ１１５−ｃは、チャネル状態を監視し続け得、ＣＥレベルの変更をネットワーク（例えば、基地局１０５−ｄ、基地局１０５−ｅ、またはＭＭＥ１３５−ｃ）に示すことなしに第２のＣＥレベルを選択し得る。ＭＭＥ１３５−ｃは、ＵＥ１１５−ｃのためのページング通知を受信し得、第１のＣＥレベルおよび動的ＣＥレベルインジケータを含むページング要求を基地局１０５−ｄおよびネイバリング基地局１０５−ｅに送り得る。基地局１０５−ｄと基地局１０５−ｅとは、両方とも、同じトラッキングエリア中にあり得、両方とも、応答が受信されるまで異なるＣＥレベルにおいて複数のページングメッセージをＵＥ１１５−ｃにブラインド送信し得る。
【００８３】
[0091]  ステップ４０５において、ＵＥ１１５−ｃと基地局１０５−ｄとは、ＲＲＣ接続を確立し得る。ＲＲＣ接続を確立することは、ＵＥ１１５−ｃのためのコンテキスト情報（例えば、デバイスＩＤ、ＵＥ能力、ＣＥレベル、動的ＣＥ指示など）をＭＭＥ１３５−ｃに送ることを含み得、その情報はＭＭＥ１３５−ｃに記憶され得る。いくつかの場合には、情報は接続を確立するときに記憶され得るが、いくつかの場合には、情報は接続解放時に記憶される。記憶された情報はＭＭＥ１３５−ｃに対して透過的であり得る。いくつかの場合には、基地局１０５−ｄは、ＵＥ１１５−ｃが動的ＣＥレベル調整のためにイネーブルされることをＭＭＥ１３５−ｃに通知する追加のメッセージをＭＭＥ１３５−ｃに送り得る。他の場合には、ＵＥ１１５−ｃは、非アクセス層（ＮＡＳ）を介してＭＭＥ１３５−ｃを直接的に通知し得る。
【００８４】
[0092]  動的ＣＥ構成を確立することは、動的ＣＥページングのサポートを示すことを含み得る。いくつかの例では、サポートは、ＮＡＳシグナリングを介してＭＭＥ１３５−ｃに示される。他の例では、サポートは基地局に示される。いくつかの例では、サポート指示は、ユーザ構成、事業者構成、またはその両方に基づく。事業者構成は、汎用加入者識別モジュール（ＵＳＩＭ）においてイネーブルされる動的ＣＥレベルの指示を介して、オープンモバイルアライアンスデバイス管理（ＯＭＡ  ＤＭ）指示を介して、またはその両方を介してイネーブルされ得る。
【００８５】
[0093]  ステップ４１０において、ネットワークはＲＲＣ解放プロシージャを行い得る。いくつかの場合には、解放プロシージャは、ＵＥ１１５−ｃがアイドルモードに入る場合に行われ得る。ＲＲＣ解放プロシージャは、ＵＥ１１５−ｃと基地局１０５−ｄとの間のＲＲＣ接続４１０−ａを解放することと、基地局１０５−ｄからＭＭＥ１３５−ｃにコンテキスト解放要求４１０−ｂを送ることと、ＭＭＥ１３５−ｃから基地局１０５−ｄにコンテキスト解放コマンド４１０−ｃを送ることと、コンテキスト解放が完了したこと４１０−ｄを示してＭＭＥ１３５−ｃに応答することとを含み得る。
【００８６】
[0094]  ステップ４１５において、ＵＥ１１５−ｃは、チャネル状態を監視することに基づいてＣＥレベルを決定し得る。ＣＥレベルを決定することは、より高いＣＥレベルが使用され得るかどうかを決定するためにチャネル測定を行うことを含み得る。例えば、チャネル測定値がしきい値レベルを越えるとＵＥ１１５−ｃが決定した場合、デバイスは、新しいＣＥレベルを選択し得る。例えば、ＵＥ１１５−ｃは、ＣＥレベルを第１のＣＥレベル（例えば、５ｄＢ  ＣＥ）から第２のＣＥレベル（例えば、１０ｄＢ  ＣＥ）に変更し得る。いくつかの場合には、ＵＥ１１５−ｃによって選択された第２のＣＥレベルは、基地局１０５−ｂおよび１０５−ｃ並びにＭＭＥ１３５−ｃになど、ネットワークに広告されないことがある。
【００８７】
[0095]  いくつかの場合には、ＵＥ１１５−ｃは、ＣＥ構成タイマーが満了したと決定したことに基づいて新しいＣＥレベルを選択し得る。第２のＣＥレベルは、第２のＣＥレベルが第１のＣＥレベルよりも高いという制限に基づいて選択され得る。
【００８８】
[0096]  ステップ４２０において、ＭＭＥ１３５−ｃは、ＵＥ１１５−ｃのためのページング通知を受信し得る。ページング通知は、所望のＵＥ１１５−ｃをページングするようにＭＭＥ１３５−ｃに指示するダウンリンクデータ通知メッセージをＳ−ＧＷから受信することを含み得る。
【００８９】
[0097]  ステップ４３０において、ＭＭＥ１３５−ｃは、最新の知られているトラッキングエリア中の、基地局１０５−ｄおよび１０５−ｅなどの各基地局に、ページング要求４３０−ａおよび４３０−ｂを送り得る。一例では、ページング要求４３０−ａおよび４３０−ｂは、最新の知られているＣＥレベルと０の調整インデックス（すなわち、ＣＥレベルを調整しないようにとの指示）とに関連する情報を含み得る。基地局１０５−ｄおよび１０５−ｅは、受信されたページング要求と調整インデックスとに基づいて、最新の知られているＣＥレベルにおいてページングメッセージ４３０−ｃおよび４３０−ｄを送信し得る。基地局１０５−ｄおよび１０５−ｅは、ページングメッセージに肯定応答するＵＥ１１５−ｃからの応答を待ち得る。しかしながら、基地局１０５−ｄおよび１０５−ｅは、ページングメッセージを第１のＣＥレベルに基づいて送信しており、第２のＣＥレベルに基づいて送信していないので、ＵＥ１１５−ｃはページを受信できないことがある。
【００９０】
[0098]  プロセスフロー４００によれば、ＭＭＥ１３５−ｃは、ＵＥ１１５−ｃ形式応答が受信されない場合、ページングストラテジーを決定し得る。ＭＭＥ１３５−ｃは、同じ調整インデックスを使用してページング要求４３０−ａおよび４３０−ｂをＮ回再送し得る。ページング要求を再送信することは、ＵＥ１１５−ｃがページングメッセージを逸するシナリオを軽減し得る。
【００９１】
[0099]  ステップ４３５において、ＭＭＥ１３５−ｃは、調整インデックスを増分し得、ページング要求４３５−ａおよび４３５−ｂの第２のセットを基地局１０５−ｄおよび１０５−ｅに送り得る。基地局１０５−ｄおよび１０５−ｅは、調整インデックスに基づいて、第２のＣＥレベルにおいてページングメッセージ４３５−ｃおよび４３５−ｄを送信し得る。いくつかの場合には、基地局１０５−ｄおよび１０５−ｅは、ＣＥレベルを増分し得、第２のレベルに従って単一のページングメッセージを送信し得る。他の場合には、基地局１０５−ｄおよび１０５−ｅは、ＣＥレベルを増分し、第１のレベルおよび第２のレベルに従って複数のページングメッセージを送信し得る。ＭＭＥ１３５−ｃは、ページング要求４３５−ｃおよび４３５−ｄをＮ回再送し得る。
【００９２】
[0100]  図５は、本開示の様々な態様による、低コストページングのために構成されたワイヤレスデバイス５００のブロック図を示す。ワイヤレスデバイス５００は、図１〜図４を参照して説明されたＵＥ１１５の態様の一例であり得る。ワイヤレスデバイス５００は、受信機５０５、動的ＣＥモジュール５１０、または送信機５１５を含み得る。ワイヤレスデバイス５００はプロセッサをも含み得る。これらの構成要素の各々は互いと通信していることがある。
【００９３】
[0101]  受信機５０５は、パケット、ユーザデータ、または様々な情報チャネルに関連する制御情報（例えば、制御チャネル、データチャネル、および低コストページングに関係する情報など）などの情報を受信し得る。情報は、動的ＣＥモジュール５１０に、およびワイヤレスデバイス５００の他の構成要素に受け渡され得る。
【００９４】
[0102]  動的ＣＥモジュール５１０は、ネットワークエンティティを用いて動的ＣＥ構成を確立することと、動的ＣＥ構成の第１のＣＥレベルを利用して接続モードで通信することと、アイドルモードにある間に動的ＣＥ構成の第２のＣＥレベルを選択することと、アイドルモードにある間に第２のＣＥレベルを利用して送信されたページング指示を受信することとを行い得る。
【００９５】
[0103]  送信機５１５は、ワイヤレスデバイス５００の他の構成要素から受信された信号を送信し得る。いくつかの例では、送信機５１５は、トランシーバモジュールにおいて受信機５０５とコロケートされ得る。送信機５１５は単一のアンテナを含み得るか、またはそれは複数のアンテナを含み得る。
【００９６】
[0104]  図６は、本開示の様々な態様による、低コストページングのためのワイヤレスデバイス６００のブロック図を示す。ワイヤレスデバイス６００は、図１〜図５を参照して説明されたワイヤレスデバイス５００またはＵＥ１１５の態様の一例であり得る。ワイヤレスデバイス６００は、受信機５０５−ａ、動的ＣＥモジュール５１０−ａ、または送信機５１５−ａを含み得る。ワイヤレスデバイス６００はプロセッサをも含み得る。これらの構成要素の各々は互いと通信していることがある。動的ＣＥモジュール５１０−ａはまた、動的ＣＥ構成モジュール６０５と、ＣＥ通信モジュール６１０と、ＣＥ選択モジュール６１５と、ページングモジュール６２０とを含み得る。
【００９７】
[0105]  受信機５０５−ａは、動的ＣＥモジュール５１０−ａに、およびワイヤレスデバイス６００の他の構成要素に受け渡され得る情報を受信し得る。動的ＣＥモジュール５１０−ａは、図５を参照して説明された動作を行い得る。送信機５１５−ａは、ワイヤレスデバイス６００の他の構成要素から受信された信号を送信し得る。
【００９８】
[0106]  動的ＣＥ構成モジュール６０５は、図２〜図４を参照して説明されたように、ネットワークエンティティを用いて動的ＣＥ構成を確立し得る。いくつかの例では、動的ＣＥ構成を識別することは、ワイヤレスデバイスからＮＡＳシグナリングを受信することを含む。動的ＣＥ構成モジュール６０５はまた、動的ＣＥ構成を含み得るＲＲＣ構成メッセージをワイヤレスデバイスに送信し得る。動的ＣＥ構成モジュール６０５はまた、ＣＥ構成タイマーでワイヤレスデバイス６００を構成し得る。
【００９９】
[0107]  ＣＥ通信モジュール６１０は、図２〜図４を参照して説明されたように、動的ＣＥ構成の第１のＣＥレベルを利用して接続モードで通信し得る。ＣＥ通信モジュール６１０はまた、ページング指示に基づいて第２のＣＥレベルを利用して接続モードで通信し得る。
【０１００】
[0108]  ＣＥ選択モジュール６１５は、図２〜図４を参照して説明されたように、アイドルモードにある間に動的ＣＥ構成の第２のＣＥレベルを選択し得る。ＣＥ選択モジュール６１５はまた、動的ＣＥ構成に基づいて第２のＣＥレベルが選択されたという指示をシグナリングすることを控え得る。いくつかの例では、第２のＣＥレベルは、第２のＣＥレベルが第１のＣＥレベルよりも高くなり得るという制限に基づいて選択され得る。いくつかの例では、第２のＣＥレベルは、第２のＣＥレベルが第１のＣＥレベルよりも高くなり得るという制限に基づき得る。
【０１０１】
[0109]  ページングモジュール６２０は、図２〜図４を参照して説明されたように、アイドルモードにある間に第２のＣＥレベルを利用して送信されたページング指示を受信し得る。ページングモジュール６２０はまた、ワイヤレスデバイスが第１のページングメッセージに応答しなかったと決定し得る。ページングモジュール６２０は、いくつかの場合には、決定に基づいて、第１のＣＥレベルに従ってワイヤレスデバイスのための第３のページングメッセージを送信し得る。第３のページングメッセージは、第２のページングメッセージと同時に送信され得る。いくつかの例では、第１のページングメッセージまたは第２のページングメッセージを送信することは、トラッキングエリア中の基地局のセットにページング要求を送ることを含む。ページングモジュール６２０はまた、ワイヤレスデバイスからのメッセージに基づいてページング停止要求を送信し得る。ページングモジュール６２０はまた、第１のページングメッセージをしきい値回数再送信し得、第２のページングメッセージを送信することは、第１のページングメッセージをしきい値回数再送信することに基づき得る。ページングモジュール６２０はまた、コアネットワークエンティティからページング要求を受信し得、第１のページングメッセージを送信することまたは第２のページングメッセージを送信することは、ページング要求に基づき得る。
【０１０２】
[0110]  図７は、本開示の様々な態様による、低コストページングのためのワイヤレスデバイス５００またはワイヤレスデバイス６００の構成要素であり得る動的ＣＥモジュール５１０−ｂのブロック図７００を示す。動的ＣＥモジュール５１０−ｂは、図５〜図６を参照して説明された動的ＣＥモジュール５１０の態様の一例であり得る。動的ＣＥモジュール５１０−ｂは、動的ＣＥ構成モジュール６０５−ａと、ＣＥ通信モジュール６１０−ａと、ＣＥ選択モジュール６１５−ａと、ページングモジュール６２０−ａとを含み得る。これらのモジュールの各々は、図６を参照して説明された機能を行い得る。動的ＣＥモジュール５１０−ｂはまた、動的ＣＥサポートモジュール７０５と、再選択モジュール７１０と、チャネル状態モジュール７１５と、ＣＥ構成タイマー７２０とを含み得る。
【０１０３】
[0111]  動的ＣＥサポートモジュール７０５は、図２〜図４を参照して説明されたように、ネットワークエンティティを用いて動的ＣＥ構成を確立するために動的ＣＥページングのサポートを含む示すように構成され得る。いくつかの例では、サポートは、ＮＡＳシグナリングを介してＭＭＥに示され得る。サポートは基地局に示され得る。いくつかの例では、サポート指示は、ユーザ構成、事業者構成、またはその両方に基づき得る。事業者構成は、汎用加入者識別モジュール（ＵＳＩＭ）においてイネーブルされる動的ＣＥレベルの指示を介して、オープンモバイルアライアンスデバイス管理（ＯＭＡ  ＤＭ）指示を介して、またはその両方を介してイネーブルされ得る。動的ＣＥサポートモジュール７０５はまた、動的ＣＥサポート指示に基づいて基地局が動的ＣＥ構成をサポートすると決定し得る。動的ＣＥサポートモジュール７０５はまた、動的ＣＥサポート指示に基づいて基地局が動的ＣＥ構成をサポートしないと決定し得る。いくつかの例では、動的ＣＥレベルのサポートの指示は構成に部分的に依存し、ここで、構成はユーザ構成または事業者構成を含み、事業者構成は、ＵＳＩＭにおいてイネーブルされる動的ＣＥレベルの指示またはＯＭＡ  ＤＭを介した指示を含み得る。動的ＣＥサポートモジュール７０５はまた、ワイヤレスデバイスをサービスする基地局に動的ＣＥサポート指示を送信し得る。動的ＣＥサポートモジュール７０５はまた、コアネットワークエンティティから動的ＣＥサポート指示を受信し得る。動的ＣＥサポートモジュール７０５はまた、コアネットワークエンティティから動的ＣＥ値を受信し得る。
【０１０４】
[0112]  再選択モジュール７１０は、図２〜図４を参照して説明されたように、決定に基づいて、アイドルモードにある間に基地局を再選択し得る。再選択モジュール７１０はまた、決定に基づいて、アイドルモードにある間に基地局を再選択することを控え得る。
【０１０５】
[0113]  チャネル状態モジュール７１５はチャネル状態を測定し得、図２〜図４を参照して説明されたように、第２のＣＥレベルを選択することは、チャネル状態に基づき得る。
【０１０６】
[0114]  ＣＥ構成タイマー７２０はＣＥ構成タイマーが満了したと決定し得、図２〜図４を参照して説明されたように、第２のＣＥレベルを選択することは、ＣＥ構成タイマーの満了に基づき得る。
【０１０７】
[0115]  図８は、本開示の様々な態様による、低コストページングのために構成されたＵＥ１１５を含むシステム８００の図を示す。システム８００は、図１、図２および図５〜図７を参照して説明されたワイヤレスデバイス５００、ワイヤレスデバイス６００、またはＵＥ１１５の一例であり得る、ＵＥ１１５−ｄを含み得る。ＵＥ１１５−ｄは、図５〜図７を参照して説明された動的ＣＥモジュール５１０の一例であり得る、動的ＣＥモジュール８１０を含み得る。ＵＥ１１５−ｄはシステム情報モジュール８２５をも含み得る。ＵＥ１１５−ｄは、通信を送信するための構成要素と通信を受信するための構成要素とを含む、双方向音声およびデータ通信のための構成要素をも含み得る。例えば、ＵＥ１１５−ｄは、基地局１０５−ｆまたは基地局１０５−ｇと双方向に通信し得る。
【０１０８】
[0116]  システム情報モジュール８２５は、図２〜図４を参照して説明されたように、ＣＥレベルまたはセルを選択するために動的ＣＥサポートの指示についてのシステム情報を監視し得る。
【０１０９】
[0117]  ＵＥ１１５−ｄはまた、プロセッサ８０５と、（ソフトウェア（ＳＷ）８２０を含む）メモリ８１５と、トランシーバ８３５と、１つまたは複数のアンテナ８４０とを含み得、その各々は、（例えば、バス８４５を介して）互いと直接または間接的に通信し得る。トランシーバ８３５は、上記で説明されたように、（１つまたは複数の）アンテナ８４０あるいはワイヤードリンクまたはワイヤレスリンクを介して、１つまたは複数のネットワークと双方向に通信し得る。例えば、トランシーバ８３５は、基地局１０５または別のＵＥ１１５と双方向に通信し得る。トランシーバ８３５は、パケットを変調し、変調されたパケットを送信のために（１つまたは複数の）アンテナ８４０に与え、（１つまたは複数の）アンテナ８４０から受信されたパケットを復調するためのモデムを含み得る。ＵＥ１１５−ｄは、単一のアンテナ８４０を含み得るが、ＵＥ１１５−ｄはまた、複数のワイヤレス送信を同時に送信または受信することが可能な複数のアンテナ８４０を有し得る。
【０１１０】
[0118]  メモリ８１５は、ランダムアクセスメモリ（ＲＡＭ）および読取り専用メモリ（ＲＯＭ）を含み得る。メモリ８１５は、実行されたとき、プロセッサ８０５に本明細書で説明される様々な機能（例えば、低コストページングなど）をさせる命令を含むコンピュータ可読、コンピュータ実行可能ソフトウェア／ファームウェアコード８２０を記憶し得る。代替的に、ソフトウェア／ファームウェアコード８２０は、プロセッサ８０５によって直接的に実行可能でないことがあるが、（例えば、コンパイルされ実行されたとき）コンピュータに本明細書で説明される機能をさせ得る。プロセッサ８０５は、インテリジェントハードウェアデバイス（例えば、中央処理ユニット（ＣＰＵ）、マイクロコントローラ、ＡＳＩＣなど）を含み得る。
【０１１１】
[0119]  図９は、本開示の様々な態様による、低コストページングのために構成されたネットワークエンティティ９００のブロック図を示す。ネットワークエンティティ９００は、図１〜図８を参照して説明された基地局１０５またはＭＭＥ１３５の態様の一例であり得る。ネットワークエンティティ９００は、受信機９０５、ネットワーク動的ＣＥモジュール９１０、または送信機９１５を含み得る。ネットワークエンティティ９００はプロセッサをも含み得る。これらの構成要素の各々は互いと通信していることがある。
【０１１２】
[0120]  受信機９０５は、パケット、ユーザデータ、または様々な情報チャネルに関連する制御情報（例えば、制御チャネル、データチャネル、および低コストページングに関係する情報など）などの情報を受信し得る。情報は、ネットワーク動的ＣＥモジュール９１０に、およびネットワークエンティティ９００の他の構成要素に受け渡され得る。いくつかの例では、受信機９０５はワイヤレスデバイスからメッセージを受信し得る。
【０１１３】
[0121]  ネットワーク動的ＣＥモジュール９１０は、ワイヤレスデバイスのための動的ＣＥ構成を識別することと、動的ＣＥ構成の第１のＣＥレベルに従ってワイヤレスデバイスのための第１のページングメッセージを送信することと、ワイヤレスデバイスが第１のページングメッセージに応答しなかったと決定することと、決定に基づいて、動的ＣＥ構成の第２のＣＥレベルに従ってワイヤレスデバイスのための第２のページングメッセージを送信することとを行い得る。
【０１１４】
[0122]  送信機９１５は、ネットワークエンティティ９００の他の構成要素から受信された信号を送信し得る。いくつかの例では、送信機９１５は、トランシーバモジュールにおいて受信機９０５とコロケートされ得る。送信機９１５は単一のアンテナを含み得るか、またはそれは複数のアンテナを含み得る。
【０１１５】
[0123]  図１０は、本開示の様々な態様による、低コストページングのためのネットワークエンティティ１０００のブロック図を示す。ネットワークエンティティ１０００は、図１〜図９を参照して説明されたネットワークエンティティ９００または基地局１０５またはＭＭＥ１３５の態様の一例であり得る。ネットワークエンティティ１０００は、受信機９０５−ａ、ネットワーク動的ＣＥモジュール９１０−ａ、または送信機９１５−ａを含み得る。ネットワークエンティティ１０００はプロセッサをも含み得る。これらの構成要素の各々は互いと通信していることがある。ネットワーク動的ＣＥモジュール９１０−ａはまた、ＮＷ動的ＣＥ構成モジュール１００５と、ＮＷページングモジュール１０１０と、ＮＷ  ＣＥ選択モジュール１０１５とを含み得る。
【０１１６】
[0124]  受信機９０５−ａは、ネットワーク動的ＣＥモジュール９１０−ａに、およびネットワークエンティティ１０００の他の構成要素に受け渡され得る情報を受信し得る。ネットワーク動的ＣＥモジュール９１０−ａは、図９を参照して説明された動作を行い得る。送信機９１５−ａは、ネットワークエンティティ１０００の他の構成要素から受信された信号を送信し得る。
【０１１７】
[0125]  ＮＷ動的ＣＥ構成モジュール１００５は、図２〜図４を参照して説明されたように、ワイヤレスデバイスのための動的ＣＥ構成を識別し得る。
【０１１８】
[0126]  ＮＷページングモジュール１０１０は、図２〜図４を参照して説明されたように、動的ＣＥ構成の第１のＣＥレベルに従ってワイヤレスデバイスのための第１のページングメッセージを送信し得る。
【０１１９】
[0127]  ＮＷ  ＣＥ選択モジュール１０１５は、図２〜図４を参照して説明されたように、決定に基づいて、動的ＣＥ構成の第２のＣＥレベルに従ってワイヤレスデバイスのための第２のページングメッセージを送信し得る。
【０１２０】
[0128]  図１１は、本開示の様々な態様による、低コストページングのためのネットワークエンティティ９００またはネットワークエンティティ１０００の構成要素であり得るネットワーク動的ＣＥモジュール９１０−ｂのブロック図１１００を示す。ネットワーク動的ＣＥモジュール９１０−ｂは、図９〜図１０を参照して説明されたネットワーク動的ＣＥモジュール９１０の態様の一例であり得る。ネットワーク動的ＣＥモジュール９１０−ｂは、ＮＷ動的ＣＥ構成モジュール１００５−ａと、ＮＷページングモジュール１０１０−ａと、ＮＷ  ＣＥ選択モジュール１０１５−ａとを含み得る。これらのモジュールの各々は、図１０を参照して説明された機能を行い得る。ネットワーク動的ＣＥモジュール９１０−ｂはまた、接続解放モジュール１１０５と、ＮＷ動的ＣＥサポートモジュール１１１０と、ＣＥ調整モジュール１１１５と、ＮＷシステム情報モジュール１１２０とを含み得る。
【０１２１】
[0129]  接続解放モジュール１１０５は、図２〜図４を参照して説明されたように、ワイヤレスデバイスがアイドルモードにあると決定し得る。いくつかの例では、動的ＣＥ構成を識別することページング情報、動的ＣＥ構成情報、またはその両方を備えるコンテキスト解放完了メッセージを基地局から受信すること。接続解放モジュール１１０５はまた、ページング情報、動的ＣＥ構成情報、またはその両方を備えるコンテキスト解放完了メッセージをコアネットワークエンティティに送信し得る。
【０１２２】
[0130]  ＮＷ動的ＣＥサポートモジュール１１１０は、図２〜図４を参照して説明されたように、ワイヤレスデバイスに動的ＣＥサポート指示を送信し得る。
【０１２３】
[0131]  ＣＥ調整モジュール１１１５は、図２〜図４を参照して説明されたように、第２のページングメッセージを送信することが、第１のＣＥレベルを使用すべきなのか、第２のＣＥレベルを使用すべきなのか、別のＣＥレベルを使用すべきなのか、それらの任意の組合せを使用すべきなのかを示すＣＥレベル調整インデックスを示すことを含み得るように構成され得る。ＣＥ調整モジュール１１１５は、図２〜図４を参照して説明されたように、第２のページングメッセージを送信することが、第１のＣＥレベルを使用すべきなのか、第２のＣＥレベルを使用すべきなのか、別のＣＥレベルを使用すべきなのか、それらの任意の組合せを使用すべきなのかを示す第１のページングメッセージのいくつかの再送信を送信することを含み得るように構成され得る。いくつかの例では、第１のページングメッセージのいくつかの再送信を送信することは、第１のページングメッセージの少なくとも１つの再送信を送信することを含み得る。ＣＥ調整モジュール１１１５はまた、コアネットワークエンティティからＣＥレベル調整インデックスを受信し得、第２のＣＥレベルは調整インデックスに基づき得る。
【０１２４】
[0132]  ＮＷシステム情報モジュール１１２０は、図２〜図４を参照して説明されたように、動的ＣＥサポート指示をブロードキャストし得る。
【０１２５】
[0133]  図１２Ａは、本開示の様々な態様による、低コストページングのために構成された基地局１０５を含むシステム１２０１の図を示す。システム１２０１は、図１、図２および図９〜図１１を参照して説明されたネットワークエンティティ９００、ネットワークエンティティ１０００、または基地局１０５の一例であり得る、基地局１０５−ｇを含み得る。基地局１０５−ｇは、図９〜図１１を参照して説明されたネットワーク動的ＣＥモジュール９１０の一例であり得る、ネットワーク動的ＣＥモジュール１２１０−ａを含み得る。基地局１０５−ｇは、通信を送信するための構成要素と通信を受信するための構成要素とを含む、双方向音声およびデータ通信のための構成要素をも含み得る。例えば、基地局１０５−ｇは、ＵＥ１１５−ｅまたはＵＥ１１５−ｆと双方向に通信し得る。
【０１２６】
[0134]  いくつかの場合には、基地局１０５−ｇは１つまたは複数のワイヤードバックホールリンクを有し得る。基地局１０５−ｇは、コアネットワークへのワイヤードバックホールリンク（例えば、Ｓ１インターフェースなど）を有し得る。基地局１０５−ｇはまた、基地局間バックホールリンク（例えば、Ｘ２インターフェース）を介して、基地局１０５−ｈおよび基地局１０５−ｉなど、他の基地局１０５と通信し得る。基地局１０５の各々は、同じまたは異なるワイヤレス通信技術を使用してＵＥ１１５と通信し得る。いくつかの場合には、基地局１０５−ｇは、基地局通信モジュール１２２５−ａを利用して１０５−ｈまたは１０５−ｉなどの他の基地局と通信し得る。いくつかの例では、基地局通信モジュール１２２５は、基地局１０５のうちのいくつかの間の通信を行うために、ＬＴＥ／ＬＴＥ−ａワイヤレス通信ネットワーク技術内のＸ２インターフェースを与え得る。いくつかの例では、基地局１０５−ｇは、コアネットワークを通して他の基地局と通信し得る。いくつかの場合には、基地局１０５−ｇは、ネットワーク通信モジュール１２３０を通して、ＭＭＥ１３５−ｃなど、コアネットワークのエンティティと通信し得る。例えば、基地局１０５−ｇは、ＵＥ１１５のための動的ＣＥ構成をＭＭＥ１３５−ｃとともに協調させ得る。
【０１２７】
[0135]  基地局１０５−ｇは、プロセッサ１２０５−ａと、（ソフトウェア（ＳＷ）１２２０−ａを含む）メモリ１２１５−ａと、トランシーバ１２３５−ａと、（１つまたは複数の）アンテナ１２４０−ａとを含み得、その各々は、（例えば、バスシステム１２４５−ａを介して）直接または間接的に、互いと通信していることがある。トランシーバ１２３５−ａは、（１つまたは複数の）アンテナ１２４０−ａを介して、マルチモードデバイスであり得るＵＥ１１５と双方向に通信するように構成され得る。トランシーバ１２３５−ａ（または基地局１０５−ｇの他の構成要素）はまた、アンテナ１２４０−ａを介して、１つまたは複数の他の基地局（図示せず）と双方向に通信するように構成され得る。トランシーバ１２３５−ａは、パケットを変調し、変調されたパケットを送信のためにアンテナ１２４０−ａに与え、アンテナ１２４０−ａから受信されたパケットを復調するように構成されたモデムを含み得る。基地局１０５−ｇは、各々が１つまたは複数の関連するアンテナ１２４０−ａをもつ、複数のトランシーバ１２３５−ａを含み得る。トランシーバは、図９の組み合わせられた受信機９０５および送信機９１５の一例であり得る。
【０１２８】
[0136]  メモリ１２１５−ａはＲＡＭおよびＲＯＭを含み得る。メモリ１２１５−ａはまた、実行されたとき、本明細書で説明される様々な機能（例えば、低コストページング、カバレージ拡張技法を選択すること、呼処理、データベース管理、メッセージルーティングなど）をプロセッサ１２０５−ａにさせるように構成された命令を含んでいるコンピュータ可読、コンピュータ実行可能ソフトウェアコード１２２０−ａを記憶し得る。代替的に、ソフトウェア１２２０−ａは、プロセッサ１２０５−ａによって直接的に実行可能でないことがあるが、例えば、コンパイルされ実行されたとき、本明細書で説明される機能をコンピュータにさせるように構成され得る。プロセッサ１２０５−ａは、インテリジェントハードウェアデバイス、例えば、ＣＰＵ、マイクロコントローラ、ＡＳＩＣなどを含み得る。プロセッサ１２０５−ａは、エンコーダ、キュー処理モジュール、ベースバンドプロセッサ、無線ヘッドコントローラ、デジタル信号プロセッサ（ＤＳＰ）など、様々な専用プロセッサを含み得る。
【０１２９】
[0137]  基地局通信モジュール１２２５−ａは、他の基地局１０５との通信を管理し得る。いくつかの場合には、通信管理モジュールが、他の基地局１０５と協働してＵＥ１１５との通信を制御するためのコントローラまたはスケジューラを含み得る。例えば、基地局通信モジュール１２２５−ａは、ビームフォーミングまたはジョイント送信などの様々な干渉緩和技法のためのＵＥ１１５への送信のためのスケジューリングを協調させ得る。
【０１３０】
[0138]  図１２Ｂは、本開示の様々な態様による、低コストページングのために構成されたＭＭＥ１３５−ｄを含むシステム１２０１の図を示す。システム１２０２は、図１〜図４および図９〜図１１を参照して説明されたネットワークエンティティ９００、ネットワークエンティティ１０００、またはＭＭＥ１３５の一例であり得る、ＭＭＥ１３５−ｄを含み得る。ＭＭＥ１３５−ｄは、図９〜図１１を参照して説明されたネットワーク動的ＣＥモジュール９１０の一例であり得る、ネットワーク動的ＣＥモジュール１２１０−ｂを含み得る。ＭＭＥ１３５−ｄは、通信を送信するための構成要素と通信を受信するための構成要素とを含む、双方向通信のための構成要素をも含み得る。例えば、ＭＭＥ１３５−ｄは、基地局１０５−ｊまたは基地局１０５−ｊと双方向に通信し得る。ＭＭＥ１３５−ｄはまた、基地局接続を介してＵＥ１１５（図示せず）と通信し得る。
【０１３１】
[0139]  いくつかの場合には、ＭＭＥ１３５−ｄは１つまたは複数のワイヤードバックホールリンクを有し得る。ＭＭＥ１３５−ｄは、１つまたは複数の基地局１０５へのワイヤードバックホールリンク（例えば、Ｓ１インターフェースなど）を有し得る。基地局１０５の各々は、同じまたは異なるワイヤレス通信技術を使用してＵＥ１１５と通信し得る。いくつかの場合には、ＭＭＥ１３５−ｄは、基地局通信モジュール１２２５−ｂを利用して１０５−ｊまたは１０５−ｋなどの基地局と通信し得る。いくつかの例では、基地局通信モジュール１２２５−ｂは、ＬＴＥ／ＬＴＥ−ａワイヤレス通信ネットワーク技術内のＳ１インターフェースを与え得る。いくつかの例では、ＭＭＥ１３５−ｄは、コアネットワーク１３０−ａを通して他の基地局と通信し得る。いくつかの場合には、ＭＭＥ１３５−ｄは、ネットワーク通信モジュール１２３０−ｂを通してコアネットワーク１３０−ａと（例えば、Ｓ−ＧＷと、図示せず）通信し得る。
【０１３２】
[0140]  ＭＭＥ１３５−ｄは、プロセッサ１２０５−ｂと、（ソフトウェア（ＳＷ）１２２０−ｂを含むメモリ１２１５−ｂとを含み得、それらの各々が、（例えば、バスシステム１２４５−ｂを介して）直接または間接的に、互いと通信していることがある。メモリ１２１５−ｂはＲＡＭおよびＲＯＭを含み得る。メモリ１２１５−ｂはまた、実行されたとき、本明細書で説明される様々な機能（例えば、低コストページング、カバレージ拡張技法を選択すること、呼処理、データベース管理、メッセージルーティングなど）をプロセッサ１２０５−ｂにさせるように構成された命令を含んでいるコンピュータ可読、コンピュータ実行可能ソフトウェアコード１２２０−ｂを記憶し得る。代替的に、ソフトウェア１２２０−ｂは、プロセッサ１２０５−ｂによって直接的に実行可能でないことがあるが、例えば、コンパイルされ実行されたとき、本明細書で説明される機能をコンピュータにさせるように構成され得る。プロセッサ１２０５−ｂは、インテリジェントハードウェアデバイス、例えば、ＣＰＵ、マイクロコントローラ、ＡＳＩＣなどを含み得る。プロセッサ１２０５−ｂは、エンコーダ、キュー処理モジュール、ベースバンドプロセッサ、無線ヘッドコントローラ、デジタル信号プロセッサ（ＤＳＰ）など、様々な専用プロセッサを含み得る。
【０１３３】
[0141]  基地局通信モジュール１２２５−ｂは基地局１０５との通信を管理し得る。いくつかの場合には、通信管理モジュールが、基地局１０５と協働してＵＥ１１５との通信を制御するためのコントローラまたはスケジューラを含み得る。例えば、基地局通信モジュール１２２５−ｂは、ビームフォーミングまたはジョイント送信などの様々な干渉緩和技法のためのＵＥ１１５への送信のためのスケジューリングを協調させ得る。
【０１３４】
[0142]  ワイヤレスデバイス５００、ワイヤレスデバイス６００、動的ＣＥモジュール５１０、システム７００、ネットワークエンティティ９００、ネットワークエンティティ１０００、ネットワーク動的ＣＥモジュール９１０、システム１２０１およびシステム１２０２の構成要素は、ハードウェアで適用可能な機能の一部または全部を行うように適応された少なくとも１つのＡＳＩＣを用いて、個々にまたはまとめて実施され得る。代替的に、それらの機能は、少なくとも１つのＩＣ上で、１つまたは複数の他の処理ユニット（またはコア）によって行われ得る。他の例では、当技術分野で知られている任意の様式でプログラムされ得る、他のタイプの集積回路（例えば、ストラクチャード／プラットフォームＡＳＩＣ、ＦＰＧＡ、または別のセミカスタムＩＣ）が使用され得る。各ユニットの機能はまた、全体的または部分的に、１つまたは複数の汎用または特定用途向けプロセッサによって実行されるようにフォーマットされた、メモリに組み込まれた命令を用いて実施され得る。
【０１３５】
[0143]  図１３は、本開示の様々な態様による、低コストページングのための方法１３００を示すフローチャートを示す。方法１３００の動作は、図１〜図１２を参照して説明されたように、ＵＥ１１５またはそれの構成要素によって実施され得る。例えば、方法１３００の動作は、図５〜図８を参照して説明されたように、動的ＣＥモジュール５１０によって行われ得る。いくつかの例では、ＵＥ１１５は、以下で説明される機能を行うようにＵＥ１１５の機能要素を制御するためのコードのセットを実行し得る。追加または代替として、ＵＥ１１５は、専用ハードウェアを使用して、以下で説明される機能態様を行い得る。
【０１３６】
[0144]  ブロック１３０５において、ＵＥ１１５は、図２〜図４を参照して説明されたように、ネットワークエンティティを用いて動的ＣＥ構成を確立する。いくつかの例では、ブロック１３０５の動作は、図６を参照して説明されたように、動的ＣＥ構成モジュール６０５によって行われ得る。
【０１３７】
[0145]  ブロック１３１０において、ＵＥ１１５は、図２〜図４を参照して説明されたように、動的ＣＥ構成の第１のＣＥレベルを利用して接続モードで通信する。いくつかの例では、ブロック１３１０の動作は、図６を参照して説明されたように、ＣＥ通信モジュール６１０によって行われ得る。
【０１３８】
[0146]  ブロック１３１５において、ＵＥ１１５は、図２〜図４を参照して説明されたように、アイドルモードにある間に動的ＣＥ構成の第２のＣＥレベルを選択する。いくつかの例では、ブロック１３１５の動作は、図６を参照して説明されたように、ＣＥ選択モジュール６１５によって行われ得る。
【０１３９】
[0147]  ブロック１３２０において、ＵＥ１１５は、図２〜図４を参照して説明されたように、アイドルモードにある間に第２のＣＥレベルを利用して送信されたページング指示を受信する。いくつかの例では、ブロック１３２０の動作は、図６を参照して説明されたように、ページングモジュール６２０によって行われ得る。
【０１４０】
[0148]  図１４は、本開示の様々な態様による、低コストページングのための方法１４００を示すフローチャートを示す。方法１４００の動作は、図１〜図１２を参照して説明されたように、ＵＥ１１５またはそれの構成要素によって実施され得る。例えば、方法１４００の動作は、図５〜図８を参照して説明されたように、動的ＣＥモジュール５１０によって行われ得る。いくつかの例では、ＵＥ１１５は、以下で説明される機能を行うようにＵＥ１１５の機能要素を制御するためのコードのセットを実行し得る。追加または代替として、ＵＥ１１５は、専用ハードウェアを使用して、以下で説明される機能態様を行い得る。方法１４００はまた、図１３の方法１３００の態様を組み込み得る。
【０１４１】
[0149]  ブロック１４０５において、ＵＥ１１５は、図２〜図４を参照して説明されたように、ネットワークエンティティを用いて動的ＣＥ構成を確立する。いくつかの例では、ブロック１４０５の動作は、図６を参照して説明されたように、動的ＣＥ構成モジュール６０５によって行われ得る。
【０１４２】
[0150]  ブロック１４１０において、ＵＥ１１５は、図２〜図４を参照して説明されたように、動的ＣＥ構成の第１のＣＥレベルを利用して接続モードで通信する。いくつかの例では、ブロック１４１０の動作は、図６を参照して説明されたように、ＣＥ通信モジュール６１０によって行われ得る。
【０１４３】
[0151]  ブロック１４１５において、ＵＥ１１５は、図２〜図４を参照して説明されたように、アイドルモードにある間に動的ＣＥ構成の第２のＣＥレベルを選択する。いくつかの例では、ブロック１４１５の動作は、図６を参照して説明されたように、ＣＥ選択モジュール６１５によって行われ得る。
【０１４４】
[0152]  ブロック１４２０において、ＵＥ１１５は、図２〜図４を参照して説明されたように、アイドルモードにある間に第２のＣＥレベルを利用して送信されたページング指示を受信する。いくつかの例では、ブロック１４２０の動作は、図６を参照して説明されたように、ページングモジュール６２０によって行われ得る。
【０１４５】
[0153]  ブロック１４２５において、ＵＥ１１５は、図２〜図４を参照して説明されたように、動的ＣＥ構成に基づいて第２のＣＥレベルが選択されたという指示をシグナリングすることを控える。いくつかの例では、ブロック１４２５の動作は、図６を参照して説明されたように、ＣＥ選択モジュール６１５によって行われ得る。
【０１４６】
[0154]  図１５は、本開示の様々な態様による、低コストページングのための方法１５００を示すフローチャートを示す。方法１５００の動作は、図１〜図１２を参照して説明されたように、ＵＥ１１５またはそれの構成要素によって実施され得る。例えば、方法１５００の動作は、図５〜図８を参照して説明されたように、動的ＣＥモジュール５１０によって行われ得る。いくつかの例では、ＵＥ１１５は、以下で説明される機能を行うようにＵＥ１１５の機能要素を制御するためのコードのセットを実行し得る。追加または代替として、ＵＥ１１５は、専用ハードウェアを使用して、以下で説明される機能態様を行い得る。方法１５００はまた、図１３〜図１４の方法１３００、および１４００の態様を組み込み得る。
【０１４７】
[0155]  ブロック１５０５において、ＵＥ１１５は、図２〜図４を参照して説明されたように、ネットワークエンティティを用いて動的ＣＥ構成を確立する。いくつかの例では、ブロック１５０５の動作は、図６を参照して説明されたように、動的ＣＥ構成モジュール６０５によって行われ得る。
【０１４８】
[0156]  ブロック１５１０において、ＵＥ１１５は、図２〜図４を参照して説明されたように、動的ＣＥ構成の第１のＣＥレベルを利用して接続モードで通信する。いくつかの例では、ブロック１５１０の動作は、図６を参照して説明されたように、ＣＥ通信モジュール６１０によって行われ得る。
【０１４９】
[0157]  ブロック１５１５において、ＵＥ１１５は、図２〜図４を参照して説明されたように、アイドルモードにある間に動的ＣＥ構成の第２のＣＥレベルを選択する。いくつかの例では、ブロック１５１５の動作は、図６を参照して説明されたように、ＣＥ選択モジュール６１５によって行われ得る。
【０１５０】
[0158]  ブロック１５２０において、ＵＥ１１５は、図２〜図４を参照して説明されたように、アイドルモードにある間に第２のＣＥレベルを利用して送信されたページング指示を受信する。いくつかの例では、ブロック１５２０の動作は、図６を参照して説明されたように、ページングモジュール６２０によって行われ得る。
【０１５１】
[0159]  ブロック１５２５において、ＵＥ１１５は、図２〜図４を参照して説明されたように、動的ＣＥサポート指示についてのシステム情報を監視する。いくつかの例では、ブロック１５２５の動作は、図８を参照して説明されたように、システム情報モジュール８２５によって行われ得る。
【０１５２】
[0160]  ブロック１５３０において、ＵＥ１１５は、図２〜図４を参照して説明されたように、動的ＣＥサポート指示に基づいて基地局１０５が動的ＣＥ構成をサポートすると決定する。いくつかの例では、ブロック１５３０の動作は、図７を参照して説明されたように、動的ＣＥサポートモジュール７０５によって行われ得る。
【０１５３】
[0161]  ブロック１５３５において、ＵＥ１１５は、図２〜図４を参照して説明されたように、決定に基づいて、アイドルモードにある間に基地局１０５を再選択する。いくつかの例では、ブロック１５３５の動作は、図７を参照して説明されたように、再選択モジュール７１０によって行われ得る。
【０１５４】
[0162]  図１６は、本開示の様々な態様による、低コストページングのための方法１６００を示すフローチャートを示す。方法１６００の動作は、図１〜図１２を参照して説明されたように、基地局１０５、ＭＭＥ１３５などのネットワークエンティティまたはそれの構成要素によって実施され得る。例えば、方法１６００の動作は、図９〜図１２を参照して説明されたように、ネットワーク動的ＣＥモジュール９１０によって行われ得る。いくつかの例では、ネットワークエンティティは、以下で説明される機能を行うようにネットワークエンティティの機能要素を制御するためのコードのセットを実行し得る。追加または代替として、ネットワークエンティティは、専用ハードウェアを使用して、以下で説明される機能態様を行い得る。方法１６００はまた、図１３〜図１５の方法１３００、１４００、および１５００の態様を組み込み得る。
【０１５５】
[0163]  ブロック１６０５において、ネットワークエンティティは、図２〜図４を参照して説明されたように、ワイヤレスデバイスのための動的ＣＥ構成を識別する。いくつかの例では、ブロック１６０５の動作は、図１０を参照して説明されたように、ＮＷ動的ＣＥ構成モジュール１００５によって行われ得る。
【０１５６】
[0164]  ブロック１６１０において、ネットワークエンティティは、図２〜図４を参照して説明されたように、動的ＣＥ構成の第１のＣＥレベルに従ってワイヤレスデバイスのための第１のページングメッセージを送信する。いくつかの例では、ブロック１６１０の動作は、図１０を参照して説明されたように、ＮＷページングモジュール１０１０によって行われ得る。
【０１５７】
[0165]  ブロック１６１５において、ネットワークエンティティは、図２〜図４を参照して説明されたように、ワイヤレスデバイスが第１のページングメッセージに応答しなかったと決定する。いくつかの例では、ブロック１６１５の動作は、図６を参照して説明されたように、ページングモジュール６２０によって行われ得る。
【０１５８】
[0166]  ブロック１６２０において、ネットワークエンティティは、図２〜図４を参照して説明されたように、決定に基づいて、動的ＣＥ構成の第２のＣＥレベルに従ってワイヤレスデバイスのための第２のページングメッセージを送信する。いくつかの例では、ブロック１６２０の動作は、図１０を参照して説明されたように、ＮＷ  ＣＥ選択モジュール１０１５によって行われ得る。
【０１５９】
[0167]  図１７は、本開示の様々な態様による、低コストページングのための方法１７００を示すフローチャートを示す。方法１７００の動作は、図１〜図１２を参照して説明されたように、ＭＭＥ１３５またはそれの構成要素によって実施され得る。例えば、方法１７００の動作は、図９〜図１２を参照して説明されたように、ネットワーク動的ＣＥモジュール９１０によって行われ得る。いくつかの例では、ＭＭＥ１３５は、以下で説明される機能を行うようにＭＭＥ１３５の機能要素を制御するためのコードのセットを実行し得る。追加または代替として、ＭＭＥ１３５は、専用ハードウェアを使用して、以下で説明される機能態様を行い得る。方法１７００はまた、図１３〜図１６の方法１３００、１４００、１５００、および１６００の態様を組み込み得る。
【０１６０】
[0168]  ブロック１７０５において、ＭＭＥ１３５は、図２〜図４を参照して説明されたように、ワイヤレスデバイスのための動的ＣＥ構成を識別する。いくつかの例では、ブロック１７０５の動作は、図１０を参照して説明されたように、ＮＷ動的ＣＥ構成モジュール１００５によって行われ得る。
【０１６１】
[0169]  ブロック１７１０において、ＭＭＥ１３５は、図２〜図４を参照して説明されたように、動的ＣＥ構成の第１のＣＥレベルに従ってワイヤレスデバイスのための第１のページングメッセージを送信する。いくつかの例では、ブロック１７１０の動作は、図１０を参照して説明されたように、ＮＷページングモジュール１０１０によって行われ得る。
【０１６２】
[0170]  ブロック１７１５において、ＭＭＥ１３５は、図２〜図４を参照して説明されたように、ワイヤレスデバイスが第１のページングメッセージに応答しなかったと決定する。いくつかの例では、ブロック１７１５の動作は、図６を参照して説明されたように、ページングモジュール６２０によって行われ得る。
【０１６３】
[0171]  ブロック１７２０において、ＭＭＥ１３５は、図２〜図４を参照して説明されたように、決定に基づいて、動的ＣＥ構成の第２のＣＥレベルに従ってワイヤレスデバイスのための第２のページングメッセージを送信する。いくつかの場合には、第１のページングメッセージまたは第２のページングメッセージを送信することは、トラッキングエリア中の基地局１０５のセットにページング要求を送ることを含む。いくつかの例では、ブロック１７２０の動作は、図１０を参照して説明されたように、ＮＷ  ＣＥ選択モジュール１０１５によって行われ得る。
【０１６４】
[0172]  図１８は、本開示の様々な態様による、低コストページングのための方法１８００を示すフローチャートを示す。方法１８００の動作は、図１〜図１２を参照して説明されたように、基地局１０５またはそれの構成要素によって実施され得る。例えば、方法１８００の動作は、図９〜図１２を参照して説明されたように、ネットワーク動的ＣＥモジュール９１０によって行われ得る。いくつかの例では、基地局１０５は、以下で説明される機能を行うように基地局１０５の機能要素を制御するためのコードのセットを実行し得る。追加または代替として、基地局１０５は、専用ハードウェアを使用して、以下で説明される機能態様を行い得る。方法１８００はまた、図１３〜図１７の方法１３００、１４００、１５００、１６００、および１７００の態様を組み込み得る。
【０１６５】
[0173]  ブロック１８０５において、基地局１０５は、図２〜図４を参照して説明されたように、ワイヤレスデバイスのための動的ＣＥ構成を識別する。いくつかの例では、ブロック１８０５の動作は、図１０を参照して説明されたように、ＮＷ動的ＣＥ構成モジュール１００５によって行われ得る。
【０１６６】
[0174]  ブロック１８１０において、基地局１０５は、図２〜図４を参照して説明されたように、動的ＣＥ構成の第１のＣＥレベルに従ってワイヤレスデバイスのための第１のページングメッセージを送信する。いくつかの例では、ブロック１８１０の動作は、図１０を参照して説明されたように、ＮＷページングモジュール１０１０によって行われ得る。
【０１６７】
[0175]  ブロック１８１５において、基地局１０５は、図２〜図４を参照して説明されたように、ワイヤレスデバイスが第１のページングメッセージに応答しなかったと決定する。いくつかの例では、ブロック１８１５の動作は、図６を参照して説明されたように、ページングモジュール６２０によって行われ得る。
【０１６８】
[0176]  ブロック１８２０において、基地局１０５は、図２〜図４を参照して説明されたように、決定に基づいて、動的ＣＥ構成の第２のＣＥレベルに従ってワイヤレスデバイスのための第２のページングメッセージを送信する。いくつかの例では、ブロック１８２０の動作は、図１０を参照して説明されたように、ＮＷ  ＣＥ選択モジュール１０１５によって行われ得る。
【０１６９】
[0177]  ブロック１８２５において、基地局１０５は、図２〜図４を参照して説明されたように、第１のページングメッセージを送信することまたは第２のページングメッセージを送信することがページング要求に基づき得るように、コアネットワークエンティティからページング要求を受信する。いくつかの例では、ブロック１８２５の動作は、図６を参照して説明されたように、ページングモジュール６２０によって行われ得る。
【０１７０】
[0178]  従って、方法１３００、１４００、１５００、１６００、１７００、および１８００は、低コストページングを提供し得る。方法１３００、１４００、１５００、１６００、１７００、および１８００は可能な実施形態について説明していること、並びに動作およびステップは、他の実施形態が可能であるように、並べ替えられるかまたは場合によっては変更され得ることに留意されたい。いくつかの例では、方法１３００、１４００、１５００、１６００、１７００、および１８００のうちの２つまたはそれ以上からの態様が組み合わせられ得る。
【０１７１】
[0179]  本明細書での説明は、例を与えるものであり、特許請求の範囲に記載される範囲、適用可能性、または例を限定するものではない。本開示の範囲から逸脱することなく、説明される要素の機能および構成において変更が行われ得る。様々な例は、適宜に様々なプロシージャまたは構成要素を省略、置換、または追加し得る。また、いくつかの例に関して説明される特徴は、他の例において組み合わせられ得る。
【０１７２】
[0180]  本明細書で説明された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実施し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標）：Wideband CDMA）およびＣＤＭＡの他の変形態を含む。ＴＤＭＡシステムは、モバイル通信用グローバルシステム（ＧＳＭ（登録商標）：Global System for Mobile Communications）などの無線技術を実施し得る。ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実施し得る。ＵＴＲＡおよびＥ−ＵＴＲＡは、ユニバーサルモバイルテレコミュニケーションズシステム（ＵＭＴＳ：Universal Mobile Telecommunications system）の一部である。３ＧＰＰ（登録商標）ロングタームエボリューション（ＬＴＥ）およびＬＴＥアドバンスト（ＬＴＥ−ａ）は、Ｅ−ＵＴＲＡを使用するユニバーサルモバイルテレコミュニケーションズシステム（ＵＭＴＳ）の新しいリリースである。ＵＴＲＡ、Ｅ−ＵＴＲＡ、ＵＭＴＳ、ＬＴＥ、ＬＴＥ−ａ、およびモバイル通信用グローバルシステム（ＧＳＭ）は、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明された技法は、上述のシステムおよび無線技術、並びに他のシステムおよび無線技術のために使用され得る。ただし、本明細書での説明は、例としてＬＴＥシステムについて説明し、上記の説明の大部分においてＬＴＥ用語が使用されるが、本技法はＬＴＥ適用例以外に適用可能である。
【０１７３】
[0181]  本明細書で説明されたそのようなネットワークを含むＬＴＥ／ＬＴＥ−ａネットワークでは、発展型ノードＢ（ｅＮＢ）という用語は、概して、基地局を表すために使用され得る。本明細書で説明された１つまたは複数のワイヤレス通信システムは、異なるタイプのｅＮＢが様々な地理的領域にカバレージを与える、異種ＬＴＥ／ＬＴＥ−ａネットワークを含み得る。例えば、各ｅＮＢまたは基地局は、マクロセル、スモールセル、または他のタイプのセルに通信カバレージを与え得る。「セル」という用語は、コンテキストに応じて、基地局、基地局に関連するキャリアまたはコンポーネントキャリア、あるいはキャリアまたは基地局のカバレージエリア（例えば、セクタなど）を表すために使用され得る３ＧＰＰ用語である。
【０１７４】
[0182]  基地局は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語を含み得るか、あるいは、そのような用語で当業者によって呼ばれることがある。基地局のための地理的カバレージエリアは、カバレージエリアの一部分を構成するセクタに分割され得る。本明細書で説明された１つまたは複数のワイヤレス通信システムは、異なるタイプの基地局（例えば、マクロセル基地局またはスモールセル基地局）を含み得る。本明細書で説明されたＵＥは、マクロｅＮＢ、スモールセルｅＮＢ、リレー基地局などを含む、様々なタイプの基地局およびネットワーク機器と通信することが可能であり得る。異なる技術のための重複する地理的カバレージエリアがあり得る。
【０１７５】
[0183]  マクロセルは、概して、比較的大きい地理的エリア（例えば、半径数キロメートル）をカバーし、サービスに加入しているＵＥによるネットワークプロバイダとの無制限アクセスを可能にし得る。スモールセルは、マクロセルと比較して、マクロセルと同じまたは異なる（例えば、認可、無認可などの）周波数帯域内で動作し得る、低電力基地局である。スモールセルは、様々な例によれば、ピコセル、フェムトセル、およびマイクロセルを含み得る。ピコセルは、例えば、小さい地理的エリアをカバーし得、ネットワークプロバイダのサービスに加入しているＵＥによる無制限アクセスを可能にし得る。フェムトセルは、小さい地理的エリア（例えば、自宅）を同じくカバーし得、フェムトセルとの関連を有するＵＥ（例えば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。ｅＮＢは、１つまたは複数の（例えば、２つ、３つ、４つなどの）セル（例えば、コンポーネントキャリア）をサポートし得る。ＵＥは、マクロｅＮＢ、スモールセルｅＮＢ、リレー基地局などを含む、様々なタイプの基地局およびネットワーク機器と通信することが可能であり得る。
【０１７６】
[0184]  本明細書で説明された１つまたは複数のワイヤレス通信システムは、同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明された技法は、同期動作または非同期動作のいずれかのために使用され得る。
【０１７７】
[0185]  本明細書で説明されたダウンリンク送信は順方向リンク送信と呼ばれることもあり、アップリンク送信は逆方向リンク送信と呼ばれることもある。例えば、図１および図２のワイヤレス通信システム１００および２００を含む、本明細書で説明された各通信リンクは１つまたは複数のキャリアを含み得、ここで、各キャリアは、複数のサブキャリア（例えば、異なる周波数の波形信号）からなる信号であり得る。各被変調信号は、異なるサブキャリア上で送られ得、制御情報（例えば、基準信号、制御チャネルなど）、オーバーヘッド情報、ユーザデータなどを搬送し得る。本明細書で説明された通信リンク（例えば、図１の通信リンク１２５）は、（例えば、対スペクトルリソースを使用する）周波数分割複信（ＦＤＤ）動作または（例えば、不対スペクトルリソースを使用する）ＴＤＤ動作を使用して、双方向通信を送信し得る。ＦＤＤ（例えば、フレーム構造タイプ１）およびＴＤＤ（例えば、フレーム構造タイプ２）のためのフレーム構造が定義され得る。
【０１７８】
[0186]  添付の図面に関して本明細書に記載された説明は、例示的な構成について説明しており、実施され得るまたは特許請求の範囲内に入る全ての例を表すとは限らない。本明細書で使用される「例示的」という用語は、「例、事例、または例示の働きをすること」を意味し、「好ましい」または「他の例よりも有利な」を意味しない。詳細な説明は、説明された技法の理解を与えるための具体的な詳細を含む。ただし、これらの技法は、これらの具体的な詳細なしに実施され得る。いくつかの事例では、説明された例の概念を不明瞭にすることを回避するために、よく知られている構造およびデバイスがブロック図の形式で示される。
【０１７９】
[0187]  添付の図では、同様の構成要素または特徴は同じ参照ラベルを有し得る。さらに、同じタイプの様々な構成要素は、参照ラベルの後に、ダッシュと、それらの同様の構成要素の間で区別する第２のラベルとを続けることによって区別され得る。第１の参照ラベルのみが本明細書において使用される場合、説明は、第２の参照ラベルにかかわらず、同じ第１の参照ラベルを有する同様の構成要素のいずれにも適用可能である。
【０１８０】
[0188]  本明細書で説明された情報および信号は、様々な異なる技術および技法のいずれかを使用して表され得る。例えば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１８１】
[0189]  本明細書の開示に関して説明された様々な例示的なブロックおよびモジュールは、汎用プロセッサ、ＤＳＰ、ＡＳＩＣ、ＦＰＧＡまたは他のプログラマブル論理デバイス、個別ゲートまたはトランジスタ論理、個別ハードウェア構成要素、あるいは本明細書で説明された機能を行うように設計されたそれらの任意の組合せを用いて実施または行われ得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ（例えば、デジタル信号プロセッサ（ＤＳＰ）とマイクロプロセッサとの組合せ、複数のマイクロプロセッサ、ＤＳＰコアと連携する１つまたは複数のマイクロプロセッサ、または任意の他のそのような構成）としても実施され得る。
【０１８２】
[0190]  本明細書で説明された機能は、ハードウェア、プロセッサによって実行されるソフトウェア、ファームウェア、またはそれらの組合せで実施され得る。プロセッサによって実行されるソフトウェアで実施される場合、機能は、１つまたは複数の命令またはコードとしてコンピュータ可読媒体上に記憶されるか、またはコンピュータ可読媒体を介して送信され得る。他の例および実施形態は、本開示の範囲内および添付の特許請求の範囲内に入る。例えば、ソフトウェアの性質により、上記で説明された機能は、プロセッサ、ハードウェア、ファームウェア、ハードワイヤリング、またはこれらのいずれかの組合せによって実行されるソフトウェアを使用して実施され得る。機能を実施する特徴はまた、機能の部分が、異なる物理的ロケーションにおいて実施されるように分散されることを含めて、様々な位置に物理的に配置され得る。また、特許請求の範囲を含めて、本明細書で使用される場合、項目の列挙（例えば、「のうちの少なくとも１つ」あるいは「のうちの１つまたは複数」などの句で終わる項目の列挙）中で使用される「または」は、例えば、Ａ、Ｂ、またはＣのうちの少なくとも１つの列挙が、ＡまたはＢまたはＣまたはＡＢまたはＡＣまたはＢＣまたはＡＢＣ（すなわち、ＡおよびＢおよびＣ）を意味するような包含的列挙を示す。
【０１８３】
[0191]  コンピュータ可読媒体は、ある場所から別の場所へのコンピュータプログラムの転送を可能にする(facilitate)任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の非一時的媒体を備えることができる。また、いかなる接続もコンピュータ可読媒体と適切に呼ばれる。例えば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１８４】
[0192]  本明細書での説明は、当業者が本開示を作成または使用することをイネーブルするために与えられた。本開示への様々な変更は当業者には容易に明らかとなり、本明細書で定義された一般原理は、本開示の範囲から逸脱することなく他の変形形態に適用され得る。従って、本開示は、本明細書で説明された例および設計に限定されるべきでなく、本明細書で開示される原理および新規の特徴に合致する最も広い範囲を与えられるべきである。
【図１】
2020145698.tif 000003
【図２】
2020145698.tif 000004
【図３】
2020145698.tif 000005
【図４】
2020145698.tif 000006
【図５】
2020145698.tif 000007
【図６】
2020145698.tif 000008
【図７】
2020145698.tif 000009
【図８】
2020145698.tif 000010
【図９】
2020145698.tif 000011
【図１０】
2020145698.tif 000012
【図１１】
2020145698.tif 000013
【図１２Ａ】
2020145698.tif 000014
【図１２Ｂ】
2020145698.tif 000015
【図１３】
2020145698.tif 000016
【図１４】
2020145698.tif 000017
【図１５】
2020145698.tif 000018
【図１６】
2020145698.tif 000019
【図１７】
2020145698.tif 000020
【図１８】
2020145698.tif 000021
【手続補正書】
【提出日】令和2年5月28日(2020.5.28)
【手続補正１】
【補正対象書類名】特許請求の範囲
【補正対象項目名】全文
【補正方法】変更
【補正の内容】
【特許請求の範囲】
【請求項１】
基地局におけるワイヤレス通信の方法であって、
ワイヤレスデバイスのための動的カバレージ拡張（ＣＥ）構成を識別することと、
前記動的ＣＥ構成の第１のＣＥレベルに従って前記ワイヤレスデバイスのための第１のページングメッセージを送信することと、
前記ワイヤレスデバイスが前記第１のページングメッセージに応答しなかったと決定することと、
前記決定に少なくとも部分的に基づいて、前記動的ＣＥ構成の第２のＣＥレベルに従って前記ワイヤレスデバイスのための第２のページングメッセージを送信することとを備える、方法。
【請求項２】
前記ワイヤレスデバイスがアイドルモードにあると決定することをさらに備える、請求項１に記載の方法。
【請求項３】
前記決定に少なくとも部分的に基づいて、前記第１のＣＥレベルに従って前記ワイヤレスデバイスのための第３のページングメッセージを送信することをさらに備える、請求項１に記載の方法。
【請求項４】
前記ワイヤレスデバイスからメッセージを受信することをさらに備える、請求項１に記載の方法。
【請求項５】
前記ワイヤレスデバイスからの前記メッセージに少なくとも部分的に基づいてページング停止要求を送信することをさらに備える、請求項４に記載の方法。
【請求項６】
前記第１のページングメッセージをしきい値回数再送信することをさらに備え、ここにおいて、前記第２のページングメッセージを送信することが、前記第１のページングメッセージを前記しきい値回数再送信することに少なくとも部分的に基づく、請求項１に記載の方法。
【請求項７】
前記第２のページングメッセージを送信することが、
前記第１のＣＥレベルを使用すべきなのか、前記第２のＣＥレベルを使用すべきなのか、別のＣＥレベルを使用すべきなのか、それらの任意の組合せを使用すべきなのかを示すＣＥレベル調整インデックスを示すことを備える、請求項１に記載の方法。
【請求項８】
前記第２のページングメッセージを送信することが、
前記第１のＣＥレベルを使用すべきなのか、前記第２のＣＥレベルを使用すべきなのか、別のＣＥレベルを使用すべきなのか、それらの任意の組合せを使用すべきなのかを示す前記第１のページングメッセージのいくつかの再送信を送信することを備える、請求項１に記載の方法。
【請求項９】
コアネットワークエンティティからＣＥレベル調整インデックスを受信することをさらに備え、ここにおいて、前記第２のＣＥレベルが前記ＣＥレベル調整インデックスに少なくとも部分的に基づく、請求項１に記載の方法。
【請求項１０】
コアネットワークエンティティから前記第１のＣＥレベルに関連する追加情報を受信することをさらに備え、ここにおいて、前記第２のＣＥレベルが前記追加情報に少なくとも部分的に基づく、請求項１に記載の方法。
【請求項１１】
コアネットワークエンティティから動的ＣＥサポート指示を受信することをさらに備える、請求項１に記載の方法。
【請求項１２】
コアネットワークエンティティから動的ＣＥ値を受信することをさらに備える、請求項１に記載の方法。
【請求項１３】
前記動的ＣＥ構成を備える無線リソース制御（ＲＲＣ）構成メッセージを前記ワイヤレスデバイスに送信することをさらに備える、請求項１に記載の方法。
【請求項１４】
ページング情報、動的ＣＥ構成情報、またはその両方を備えるコンテキスト解放完了メッセージをコアネットワークエンティティに送信することをさらに備える、請求項１に記載の方法。
【請求項１５】
前記第２のＣＥレベルは、前記第２のＣＥレベルが前記第１のＣＥレベルよりも高いという制限に少なくとも部分的に基づく、請求項１に記載の方法。
【請求項１６】
ワイヤレス通信のための装置であって、
ワイヤレスデバイスのための動的カバレージ拡張（ＣＥ）構成を識別するための手段と、
前記動的ＣＥ構成の第１のＣＥレベルに従って前記ワイヤレスデバイスのための第１のページングメッセージを送信するための手段と、
前記ワイヤレスデバイスが前記第１のページングメッセージに応答しなかったと決定するための手段と、
前記決定に少なくとも部分的に基づいて、前記動的ＣＥ構成の第２のＣＥレベルに従って前記ワイヤレスデバイスのための第２のページングメッセージを送信するための手段とを備える、装置。
【請求項１７】
ワイヤレス通信のための装置であって、
プロセッサと、
前記プロセッサと電子通信しているメモリと、
前記メモリに記憶され、前記プロセッサによって実行されたとき、前記装置に、
ワイヤレスデバイスのための動的カバレージ拡張（ＣＥ）構成を識別することと、
前記動的ＣＥ構成の第１のＣＥレベルに従って前記ワイヤレスデバイスのための第１のページングメッセージを送信することと、
前記ワイヤレスデバイスが前記第１のページングメッセージに応答しなかったと決定することと、
前記決定に少なくとも部分的に基づいて、前記動的ＣＥ構成の第２のＣＥレベルに従って前記ワイヤレスデバイスのための第２のページングメッセージを送信することとをさせるように動作可能な命令とを備える、装置。
【請求項１８】
前記命令は、
前記ワイヤレスデバイスがアイドルモードにあると決定することを前記装置にさせるように動作可能である、請求項１７に記載の装置。
【請求項１９】
前記命令は、
前記決定に少なくとも部分的に基づいて、前記第１のＣＥレベルに従って前記ワイヤレスデバイスのための第３のページングメッセージを送信することを前記装置にさせるように動作可能である、請求項１７に記載の装置。
【請求項２０】
前記命令は、
前記ワイヤレスデバイスからメッセージを受信することを前記装置にさせるように動作可能である、請求項１７に記載の装置。
【請求項２１】
前記命令は、
前記ワイヤレスデバイスからの前記メッセージに少なくとも部分的に基づいてページング停止要求を送信することを前記装置にさせるように動作可能である、請求項２０に記載の装置。
【請求項２２】
前記命令は、
前記第１のページングメッセージをしきい値回数再送信することを前記装置にさせるように動作可能であり、ここにおいて、前記第２のページングメッセージを送信することが、前記第１のページングメッセージを前記しきい値回数再送信することに少なくとも部分的に基づく、請求項１７に記載の装置。
【請求項２３】
前記第２のページングメッセージを送信することが、
前記第１のＣＥレベルを使用すべきなのか、前記第２のＣＥレベルを使用すべきなのか、別のＣＥレベルを使用すべきなのか、それらの任意の組合せを使用すべきなのかを示すＣＥレベル調整インデックスを示すことを備える、請求項１７に記載の装置。
【請求項２４】
前記第２のページングメッセージを送信することが、
前記第１のＣＥレベルを使用すべきなのか、前記第２のＣＥレベルを使用すべきなのか、別のＣＥレベルを使用すべきなのか、それらの任意の組合せを使用すべきなのかを示す前記第１のページングメッセージのいくつかの再送信を送信することを備える、請求項１７に記載の装置。
【請求項２５】
前記命令は、
コアネットワークエンティティからＣＥレベル調整インデックスを受信することを前記装置にさせるように動作可能であり、ここにおいて、前記第２のＣＥレベルが前記ＣＥレベル調整インデックスに少なくとも部分的に基づく、請求項１７に記載の装置。
【請求項２６】
前記命令は、
コアネットワークエンティティからＣＥレベル調整インデックスを受信することを前記装置にさせるように動作可能であり、ここにおいて、前記第２のＣＥレベルが前記ＣＥレベル調整インデックスに少なくとも部分的に基づく、請求項１７に記載の装置。
【請求項２７】
前記命令は、
コアネットワークエンティティから前記第１のＣＥレベルに関連する追加情報を受信することを前記装置にさせるように動作可能であり、ここにおいて、前記第２のＣＥレベルが前記追加情報に少なくとも部分的に基づく、請求項１７に記載の装置。
【請求項２８】
前記命令は、
コアネットワークエンティティから動的ＣＥサポート指示を受信することを前記装置にさせるように動作可能である、請求項１７に記載の装置。
【請求項２９】
前記命令は、
コアネットワークエンティティから動的ＣＥ値を受信することを前記装置にさせるように動作可能である、請求項１７に記載の装置。
【請求項３０】
前記命令は、
前記動的ＣＥ構成を備える無線リソース制御（ＲＲＣ）構成メッセージを前記ワイヤレスデバイスに送信することを前記装置にさせるように動作可能である、請求項１７に記載の装置。
【請求項３１】
前記命令は、  ページング情報、動的ＣＥ構成情報、またはその両方を備えるコンテキスト解放完了メッセージをコアネットワークエンティティに送信することを前記装置にさせるように動作可能である、請求項１７に記載の装置。
【請求項３２】
前記第２のＣＥレベルは、前記第２のＣＥレベルが前記第１のＣＥレベルよりも高いという制限に少なくとも部分的に基づく、請求項１７に記載の装置。
【請求項３３】
ワイヤレス通信のためのコードを記憶する非一時的コンピュータ可読媒体であって、前記コードが、
ワイヤレスデバイスのための動的カバレージ拡張（ＣＥ）構成を識別することと、
前記動的ＣＥ構成の第１のＣＥレベルに従って前記ワイヤレスデバイスのための第１のページングメッセージを送信することと、
前記ワイヤレスデバイスが前記第１のページングメッセージに応答しなかったと決定することと、
前記決定に少なくとも部分的に基づいて、前記動的ＣＥ構成の第２のＣＥレベルに従って前記ワイヤレスデバイスのための第２のページングメッセージを送信することとを行うために実行可能な命令を備える、非一時的コンピュータ可読媒体。
【手続補正２】
【補正対象書類名】明細書
【補正対象項目名】０００４
【補正方法】変更
【補正の内容】
【０００４】
[0004]  低複雑度マシンタイプ通信（ＭＴＣ）デバイスなどのユーザ機器（ＵＥ）が、動的カバレージ拡張（ＣＥ：coverage enhancement）構成を確立し、次いで、アイドルモードにある間に、あるＣＥレベルから別のＣＥレベルに自律的に遷移し得る。ＵＥをサービスするネットワークは、ページングプロシージャ中のＣＥ変化をブラインド検出し得る。例えば、ＵＥをサービスするモビリティ管理エンティティ（ＭＭＥ：mobility management entity）が動的ＣＥ情報を記憶し得、ＭＭＥは、例えば、ＭＭＥがＵＥをページングするとき、その動的ＣＥ情報をネットワーク内の基地局に与え得る。いくつかの場合には、基地局は、動的ＣＥ情報に基づいて、異なるＣＥレベルにおいてページングメッセージを自律的に再送信し得る。他の例では、ＭＭＥは、異なるＣＥレベルにおいて再送信することを基地局に命じ得る。動的ＣＥ構成をサポートする基地局は、様々な例では、基地局が、ＭＭＥまたはＵＥ、あるいはその両方から指示(indication)を受信する場合、動的ＣＥをイネーブルし得る。いくつかの例では、ＵＥおよびＭＭＥは、非アクセス層（ＮＡＳ）シグナリングを介して動的ＣＥ構成を協調させ得る。
【手続補正３】
【補正対象書類名】明細書
【補正対象項目名】００５２
【補正方法】変更
【補正の内容】
【００５２】
[0060]  基地局１０５は、例えば、動的ＣＥレベルまたは静的ＣＥレベルのいずれかであり得る、４つのＣＥレベル（例えば、ＣＥなし、５ｄＢ  ＣＥ、１０ｄＢ  ＣＥ、または１５ｄＢ  ＣＥ）のうちの１つを使用してＵＥ１１５をページングし得る。ＵＥ１１５は、ＭＴＣデバイスであり得、ページングプロシージャのために使用されるＣＥレベルに対応する割り当てられたＣＥを使用して動作し得る。ＵＥ１１５は、測定されたチャネル状態に基づいて、どのＣＥレベルを使用すべきかを決定し得る。チャネル状態は、移動しているＵＥ１１５のために頻繁に変化し得、従って、デバイスは、電力を節約するかまたはオーバーヘッドを低減するために、ワーストケースアセスメントに基づいて動的ＣＥレベルまたは半静的ＣＥレベル（例えば、５ｄＢ）を選定し得る。準定常であるデバイスのためのチャネル状態は、より遅いレートで変化し得る。従って、デバイスは、チャネルアセスメントを行った後に、新しいＣＥレベルを動的に決定し得る。
【手続補正４】
【補正対象書類名】明細書
【補正対象項目名】００５３
【補正方法】変更
【補正の内容】
【００５３】
[0061]  いくつかの場合には、ＭＭＥ１３５は、１つまたは複数のＣＥ対応(enabled)デバイスのためのＣＥレベルおよび他のページング情報を記憶し得る。例えば、ＭＭＥ１３５は、ＵＥ１１５がＲＲＣアイドル状態に移動するとき、ＵＥ１１５のための情報を維持し得る。別の例では、基地局は、ＲＲＣ接続動作中に動的ＣＥ構成をサポートするＵＥ１１５のＣＥレベルを決定し得る。基地局１０５は、次いで、記憶のために、関連するＣＥレベルをＭＭＥ１３５に受け渡し得る。いくつかの場合には、動的ＣＥ構成をサポートするＵＥ１１５は、アイドル状態に入り得る。アイドル状態にある間に、デバイスは、チャネル特性を監視し続け得る。いくつかの場合には、動的ＣＥ構成をサポートするＵＥ１１５は、接続状態で使用された同じＣＥレベルを使用し得る。他の場合には、動的ＣＥ構成をサポートするＵＥ１１５は、測定されたチャネル状態に基づいて、より高いＣＥレベルに移動し得る（例えば、ＣＥなし→５ｄＢ  ＣＥ、５ｄＢ  ＣＥ→１０ｄＢ  ＣＥなど）。
【手続補正５】
【補正対象書類名】明細書
【補正対象項目名】００５８
【補正方法】変更
【補正の内容】
【００５８】
[0066]  図２は、本開示の様々な態様による、低コストページングのためのワイヤレス通信システム２００の一例を示す。すなわち、ワイヤレス通信システム２００は、ＵＥ１１５が動的ＣＥ構成を確立し、次いで、アイドルモードにある間に、あるＣＥレベルから別のＣＥレベルに自律的に遷移または移動する、ワイヤレス通信システム１００の態様またはワイヤレス通信システム１００における動作を示し得る。ワイヤレス通信システム２００は、ＵＥ１１５、基地局１０５、またはＭＭＥ１３５の例であり得る、ＵＥ１１５−ａ、基地局１０５−ａ、およびＭＭＥ１３５−ａを含み得、基地局１０５−ａおよびＵＥ１１５−ａは、ＵＥ１１５−ａがカバレージエリア１１０−ａ内にあるとき、ＲＲＣ接続であり得る、通信リンク２０５を介して互いに通信し得、基地局１０５−ａおよびＭＭＥ１３５−ａは、図１を参照して概略的に説明されたように、バックホールリンク１３２−ａを通して互いに通信し得る。
【手続補正６】
【補正対象書類名】明細書
【補正対象項目名】００６０
【補正方法】変更
【補正の内容】
【００６０】
[0068]  ＵＥ１１５−ａは、基地局１０５−ａとのＲＲＣ接続２０５を確立し得る。ＵＥ１１５−ａおよび基地局１０５−ａは、チャネル状態に基づいて（例えば、ネットワークによってサポートされるＣＥオプションの限られた選択から）適切なＣＥレベルを決定し得る。ＵＥ１１５−ａが、接続解放時にアイドルモードに入る場合、基地局１０５−ａは、ＭＭＥ１３５−ａに、最新の知られているＣＥレベルを含むコンテキスト情報を受け渡し得る。アイドル状態にある間に、基地局１０５−ａは、メモリからＵＥ１１５−ａのためのコンテキスト情報を削除し得、ＵＥ１１５−ａは、カバレージエリア１１０−ａ内の新しいロケーション（例えば、カバレージエリア１１０−ａのエッジの近く）に移動し得る。ＵＥ１１５−ａは、新しいロケーションにおいてチャネル測定を行い得る。いくつかの場合には、ＵＥ１１５−ａは、チャネル測定に基づいて、よりアグレッシブなＣＥレベル（例えば、１０ｄＢ  ＣＥ）が適切であると決定し得、関連するＣＥレベルを変更し得る。しかしながら、ＵＥ１１５−ａはアイドル状態で動作していることがあるので、ＵＥ１１５−ａは、ネットワーク（例えば、基地局１０５−ａまたはＭＭＥ１３５−ａ）にその変更を示すことを控え得、これは、ＵＥ１１５−ａがバッテリー電力または他のリソースを節約することを可能にし得る。
【手続補正７】
【補正対象書類名】明細書
【補正対象項目名】００６３
【補正方法】変更
【補正の内容】
【００６３】
[0071]  動的ＣＥ構成を確立することは、ＵＥ１１５−ａと基地局１０５−ａとＭＭＥ１３５−ａとの間の協調を含み得る。例えば、各デバイスからのサポートの指示が使用され得る。１つの手法では、ＲＲＣネゴシエーションが、Ｓ１におけるＭＭＥサポート指示を用いて、ＵＥ１１５−ａと基地局１０５−ａとの間で起こる。すなわち、ＭＭＥ１３５−ａは、動的ＣＥレベルページングが可能であるという指示を、Ｓ１を介して基地局１０５−ａに送り得る（例えば、コアネットワークが動的ＣＥのサポートを示す）。次いで、ＵＥ１１５−ａは、動的ＣＥのサポートを基地局１０５−ａに示し得る。基地局１０５−ａは、ＭＭＥ１３５−ａから許可を受信した後に、およびいくつかの例ではＵＥ１１５−ａからの指示に基づいて、動的ＣＥをイネーブルし得る。基地局１０５−ａは、ＲＲＣ構成を介して動的ＣＥ構成をＵＥ１１５−ａに明示的にシグナリングし得る。基地局１０５−ａは、次いで、動的ＣＥページングがＳ１を介してイネーブルされたことをＭＭＥ１３５−ａに確認し得る。
【手続補正８】
【補正対象書類名】明細書
【補正対象項目名】００６６
【補正方法】変更
【補正の内容】
【００６６】
[0074]  図３は、本開示の様々な態様による、低コストページングをサポートするシステムにおけるプロセスフロー３００の一例を示す。プロセスフロー３００は、その各々が図１および図２を参照して上で説明された対応するデバイスの例であり得る、ＵＥ１１５、基地局１０５、およびＭＭＥ１３５の例であり得る、ＵＥ１１５−ｂ、基地局１０５−ｂ、基地局１０５−ｃ、およびＭＭＥ１３５−ｂによって行われる動作を含み得る。いくつかの例では、ＵＥ１１５−ｂは第１のＣＥレベルに基づいて基地局１０５−ｂとの接続を確立し得、アイドル状態に入ると、第１のＣＥレベルはＭＭＥ１３５−ｂにおいて記憶され得る。ＵＥ１１５−ｂは、チャネル状態を監視し続け得、ＣＥレベルの変更をネットワーク（例えば、基地局１０５−ｂ、基地局１０５−ｃ、またはＭＭＥ１３５−ｂ）に示すことなしに第２のＣＥレベルを選択し得る。ＭＭＥ１３５−ｂは、ＵＥ１１５−ｂのためのページング通知を受信し得、第１のＣＥレベルおよび動的ＣＥレベルインジケータを含むページング要求を基地局１０５−ｂおよびネイバリング基地局１０５−ｃに送り得る。基地局１０５−ｂと基地局１０５−ｃとは、両方とも、同じトラッキングエリア中にあり得、両方とも、応答が受信されるまで異なるＣＥレベルにおいて複数のページングメッセージをＵＥ１１５−ｂにブラインド送信し得る。
【手続補正９】
【補正対象書類名】明細書
【補正対象項目名】００８２
【補正方法】変更
【補正の内容】
【００８２】
[0090]  図４は、本開示の様々な態様による、低コストページングをサポートするシステムにおけるプロセスフロー４００の一例を示す。プロセスフロー４００は、図１〜図２を参照して上で説明された対応するデバイスの例であり得るＵＥ１１５、基地局１０５、およびＭＭＥ１３５の例であり得る、ＵＥ１１５−ｃ、基地局１０５−ｄ、基地局１０５−ｅ、およびＭＭＥ１３５−ｃによって行われる動作を含み得る。いくつかの例では、ＵＥ１１５−ｃは第１のＣＥレベルに基づいて基地局１０５−ｄとの接続を確立し得、アイドル状態に入ると、第１のＣＥレベルはＭＭＥ１３５−ｃにおいて記憶され得る。ＵＥ１１５−ｃは、チャネル状態を監視し続け得、ＣＥレベルの変更をネットワーク（例えば、基地局１０５−ｄ、基地局１０５−ｅ、またはＭＭＥ１３５−ｃ）に示すことなしに第２のＣＥレベルを選択し得る。ＭＭＥ１３５−ｃは、ＵＥ１１５−ｃのためのページング通知を受信し得、第１のＣＥレベルおよび動的ＣＥレベルインジケータを含むページング要求を基地局１０５−ｄおよびネイバリング基地局１０５−ｅに送り得る。基地局１０５−ｄと基地局１０５−ｅとは、両方とも、同じトラッキングエリア中にあり得、両方とも、応答が受信されるまで異なるＣＥレベルにおいて複数のページングメッセージをＵＥ１１５−ｃにブラインド送信し得る。
【手続補正１０】
【補正対象書類名】明細書
【補正対象項目名】００８６
【補正方法】変更
【補正の内容】
【００８６】
[0094]  ステップ４１５において、ＵＥ１１５−ｃは、チャネル状態を監視することに基づいてＣＥレベルを決定し得る。ＣＥレベルを決定することは、より高いＣＥレベルが使用され得るかどうかを決定するためにチャネル測定を行うことを含み得る。例えば、チャネル測定値がしきい値レベルを越えるとＵＥ１１５−ｃが決定した場合、デバイスは、新しいＣＥレベルを選択し得る。例えば、ＵＥ１１５−ｃは、ＣＥレベルを第１のＣＥレベル（例えば、５ｄＢ  ＣＥ）から第２のＣＥレベル（例えば、１０ｄＢ  ＣＥ）に変更し得る。いくつかの場合には、ＵＥ１１５−ｃによって選択された第２のＣＥレベルは、基地局１０５−ｄおよび１０５−ｅ並びにＭＭＥ１３５−ｃになど、ネットワークに広告されないことがある。
【手続補正１１】
【補正対象書類名】明細書
【補正対象項目名】０１２５
【補正方法】変更
【補正の内容】
【０１２５】
[0133]  図１２Ａは、本開示の様々な態様による、低コストページングのために構成された基地局１０５を含むシステム１２０１の図を示す。システム１２０１は、図１、図２および図９〜図１１を参照して説明されたネットワークエンティティ９００、ネットワークエンティティ１０００、または基地局１０５の一例であり得る、基地局１０５−ｇを含み得る。基地局１０５−ｇは、図９〜図１１を参照して説明されたネットワーク動的ＣＥモジュール９１０の一例であり得る、基地局動的ＣＥモジュール１２１０−ａを含み得る。基地局１０５−ｇは、通信を送信するための構成要素と通信を受信するための構成要素とを含む、双方向音声およびデータ通信のための構成要素をも含み得る。例えば、基地局１０５−ｇは、ＵＥ１１５−ｅまたはＵＥ１１５−ｆと双方向に通信し得る。
【手続補正１２】
【補正対象書類名】明細書
【補正対象項目名】０１２６
【補正方法】変更
【補正の内容】
【０１２６】
[0134]  いくつかの場合には、基地局１０５−ｇは１つまたは複数のワイヤードバックホールリンクを有し得る。基地局１０５−ｇは、コアネットワークへのワイヤードバックホールリンク（例えば、Ｓ１インターフェースなど）を有し得る。基地局１０５−ｇはまた、基地局間バックホールリンク（例えば、Ｘ２インターフェース）を介して、基地局１０５−ｈおよび基地局１０５−ｉなど、他の基地局１０５と通信し得る。基地局１０５の各々は、同じまたは異なるワイヤレス通信技術を使用してＵＥ１１５と通信し得る。いくつかの場合には、基地局１０５−ｇは、基地局通信モジュール１２２５−ａを利用して１０５−ｈまたは１０５−ｉなどの他の基地局と通信し得る。いくつかの例では、基地局通信モジュール１２２５−ａは、基地局１０５のうちのいくつかの間の通信を行うために、ＬＴＥ／ＬＴＥ−ａワイヤレス通信ネットワーク技術内のＸ２インターフェースを与え得る。いくつかの例では、基地局１０５−ｇは、コアネットワークを通して他の基地局と通信し得る。いくつかの場合には、基地局１０５−ｇは、ネットワーク通信モジュール１２３０−ａを通して、ＭＭＥ１３５−ｃなど、コアネットワークのエンティティと通信し得る。例えば、基地局１０５−ｇは、ＵＥ１１５のための動的ＣＥ構成をＭＭＥ１３５−ｃとともに協調させ得る。
【手続補正１３】
【補正対象書類名】明細書
【補正対象項目名】０１３０
【補正方法】変更
【補正の内容】
【０１３０】
[0138]  図１２Ｂは、本開示の様々な態様による、低コストページングのために構成されたＭＭＥ１３５−ｄを含むシステム１２０２の図を示す。システム１２０２は、図１〜図４および図９〜図１１を参照して説明されたネットワークエンティティ９００、ネットワークエンティティ１０００、またはＭＭＥ１３５の一例であり得る、ＭＭＥ１３５−ｄを含み得る。ＭＭＥ１３５−ｄは、図９〜図１１を参照して説明されたネットワーク動的ＣＥモジュール９１０の一例であり得る、ＭＭＥ動的ＣＥモジュール１２１０−ｂを含み得る。ＭＭＥ１３５−ｄは、通信を送信するための構成要素と通信を受信するための構成要素とを含む、双方向通信のための構成要素をも含み得る。例えば、ＭＭＥ１３５−ｄは、基地局１０５−ｊまたは基地局１０５−ｋと双方向に通信し得る。ＭＭＥ１３５−ｄはまた、基地局接続を介してＵＥ１１５（図示せず）と通信し得る。
【手続補正１４】
【補正対象書類名】明細書
【補正対象項目名】０１８４
【補正方法】変更
【補正の内容】
【０１８４】
[0192]  本明細書での説明は、当業者が本開示を作成または使用することをイネーブルするために与えられた。本開示への様々な変更は当業者には容易に明らかとなり、本明細書で定義された一般原理は、本開示の範囲から逸脱することなく他の変形形態に適用され得る。従って、本開示は、本明細書で説明された例および設計に限定されるべきでなく、本明細書で開示される原理および新規の特徴に合致する最も広い範囲を与えられるべきである。
以下に本願の出願当初の特許請求の範囲に記載された発明を付記する。
［Ｃ１］
ワイヤレス通信の方法であって、
ネットワークエンティティを用いて動的カバレージ拡張（ＣＥ）構成を確立することと、
前記動的ＣＥ構成の第１のＣＥレベルを利用して接続モードで通信することと、
アイドルモードにある間に前記動的ＣＥ構成の第２のＣＥレベルを選択することと、
前記アイドルモードにある間に前記第２のＣＥレベルを利用して送信されたページング指示を受信することと
を備える、方法。
［Ｃ２］
前記ページング指示に少なくとも部分的に基づいて前記第２のＣＥレベルを利用して前記接続モードで通信すること
をさらに備える、Ｃ１に記載の方法。
［Ｃ３］
前記ネットワークエンティティを用いて動的ＣＥ構成を確立することが、
動的ＣＥページングのサポートを示すこと
を備える、Ｃ１に記載の方法。
［Ｃ４］
前記サポートが基地局に示される、Ｃ３に記載の方法。
［Ｃ５］
前記サポート指示が、ユーザ構成、事業者構成、またはその両方に少なくとも部分的に基づく、Ｃ３に記載の方法。
［Ｃ６］
前記事業者構成が、汎用加入者識別モジュール（ＵＳＩＭ）においてイネーブルされる動的ＣＥレベルの指示を介して、オープンモバイルアライアンスデバイス管理（ＯＭＡ  ＤＭ）指示を介して、またはその両方を介してイネーブルされる、Ｃ５に記載の方法。
［Ｃ７］
前記動的ＣＥ構成に少なくとも部分的に基づいて前記第２のＣＥレベルが選択されたという指示をシグナリングすることを控えること
をさらに備える、Ｃ１に記載の方法。
［Ｃ８］
動的ＣＥサポート指示についてのシステム情報を監視すること
をさらに備える、Ｃ１に記載の方法。
［Ｃ９］
前記動的ＣＥサポート指示に少なくとも部分的に基づいて基地局が前記動的ＣＥ構成をサポートすると決定することと、
前記決定に少なくとも部分的に基づいて前記アイドルモードにある間に前記基地局を再選択することと
をさらに備える、Ｃ８に記載の方法。
［Ｃ１０］
前記動的ＣＥサポート指示に少なくとも部分的に基づいて基地局が前記動的ＣＥ構成をサポートしないと決定することと、
前記決定に少なくとも部分的に基づいて前記アイドルモードにある間に前記基地局を再選択することを控えることと
をさらに備える、Ｃ８に記載の方法。
［Ｃ１１］
チャネル状態を測定することをさらに備え、ここにおいて、前記第２のＣＥレベルを選択することが、前記チャネル状態に少なくとも部分的に基づく、
Ｃ１に記載の方法。
［Ｃ１２］
前記第２のＣＥレベルは、前記第２のＣＥレベルが前記第１のＣＥレベルよりも高いという制限に少なくとも部分的に基づいて選択される、Ｃ１に記載の方法。
［Ｃ１３］
動的ＣＥレベルのサポートの前記指示が構成に部分的に依存し、ここで、前記構成がユーザ構成または事業者構成を備え、ここにおいて、前記事業者構成が、汎用加入者識別モジュール（ＵＳＩＭ）においてイネーブルされる動的ＣＥレベルの指示またはＯＭＡ  ＤＭを介した指示を備える、Ｃ１に記載の方法。
［Ｃ１４］
基地局におけるワイヤレス通信の方法であって、
ワイヤレスデバイスのための動的ＣＥ構成を識別することと、
前記動的ＣＥ構成の第１のＣＥレベルに従って前記ワイヤレスデバイスのための第１のページングメッセージを送信することと、
前記ワイヤレスデバイスが前記第１のページングメッセージに応答しなかったと決定することと、
前記決定に少なくとも部分的に基づいて、前記動的ＣＥ構成の第２のＣＥレベルに従って前記ワイヤレスデバイスのための第２のページングメッセージを送信することと
を備える、方法。
［Ｃ１５］
前記ワイヤレスデバイスがアイドルモードにあると決定すること
をさらに備える、Ｃ１４に記載の方法。
［Ｃ１６］
前記決定に少なくとも部分的に基づいて、前記第１のＣＥレベルに従って前記ワイヤレスデバイスのための第３のページングメッセージを送信すること
をさらに備える、Ｃ１４に記載の方法。
［Ｃ１７］
前記ワイヤレスデバイスからメッセージを受信すること
をさらに備える、Ｃ１４に記載の方法。
［Ｃ１８］
前記ワイヤレスデバイスからの前記メッセージに少なくとも部分的に基づいてページング停止要求を送信すること
をさらに備える、Ｃ１７に記載の方法。
［Ｃ１９］
前記第１のページングメッセージをしきい値回数再送信することをさらに備え、ここにおいて、前記第２のページングメッセージを送信することが、前記第１のページングメッセージを前記しきい値回数再送信することに少なくとも部分的に基づく、
Ｃ１４に記載の方法。
［Ｃ２０］
前記第２のページングメッセージを送信することが、
前記第１のＣＥレベルを使用すべきなのか、前記第２のＣＥレベルを使用すべきなのか、別のＣＥレベルを使用すべきなのか、それらの任意の組合せを使用すべきなのかを示すＣＥレベル調整インデックスを示すこと
を備える、Ｃ１４に記載の方法。
［Ｃ２１］
前記第２のページングメッセージを送信することが、
前記第１のＣＥレベルを使用すべきなのか、前記第２のＣＥレベルを使用すべきなのか、別のＣＥレベルを使用すべきなのか、それらの任意の組合せを使用すべきなのかを示す前記第１のページングメッセージのいくつかの再送信を送信すること
を備える、Ｃ１４に記載の方法。
［Ｃ２２］
コアネットワークエンティティからＣＥレベル調整インデックスを受信することをさらに備え、ここにおいて、前記第２のＣＥレベルが前記ＣＥレベル調整インデックスに少なくとも部分的に基づく、
Ｃ１４に記載の方法。
［Ｃ２３］
コアネットワークエンティティから前記第１のＣＥレベルに関連する追加情報を受信することをさらに備え、ここにおいて、前記第２のＣＥレベルが前記追加情報に少なくとも部分的に基づく、
Ｃ１４に記載の方法。
［Ｃ２４］
コアネットワークエンティティから動的ＣＥサポート指示を受信すること
をさらに備える、Ｃ１４に記載の方法。
［Ｃ２５］
コアネットワークエンティティから動的ＣＥ値を受信すること
をさらに備える、Ｃ１４に記載の方法。
［Ｃ２６］
前記動的ＣＥ構成を備える無線リソース制御（ＲＲＣ）構成メッセージを前記ワイヤレスデバイスに送信すること
をさらに備える、Ｃ１４に記載の方法。
［Ｃ２７］
ページング情報、動的ＣＥ構成情報、またはその両方を備えるコンテキスト解放完了メッセージをコアネットワークエンティティに送信すること
をさらに備える、Ｃ１４に記載の方法。
［Ｃ２８］
前記第２のＣＥレベルは、前記第２のＣＥレベルが前記第１のＣＥレベルよりも高いという制限に少なくとも部分的に基づく、Ｃ１４に記載の方法。
［Ｃ２９］
ワイヤレス通信のための装置であって、
プロセッサと、
前記プロセッサと電子通信しているメモリと、
前記メモリに記憶され、前記プロセッサによって実行されたとき、前記装置に、
ネットワークエンティティを用いて動的カバレージ拡張（ＣＥ）構成を確立することと、
前記動的ＣＥ構成の第１のＣＥレベルを利用して接続モードで通信することと、
アイドルモードにある間に前記動的ＣＥ構成の第２のＣＥレベルを選択することと、
前記アイドルモードにある間に前記第２のＣＥレベルを利用して送信されたページング指示を受信することと
をさせるように動作可能な命令とを備える、装置。
［Ｃ３０］
ワイヤレス通信のための装置であって、
プロセッサと、
前記プロセッサと電子通信しているメモリと、
前記メモリに記憶され、前記プロセッサによって実行されたとき、前記装置に、
ワイヤレスデバイスのための動的ＣＥ構成を識別することと、
前記動的ＣＥ構成の第１のＣＥレベルに従って前記ワイヤレスデバイスのための第１のページングメッセージを送信することと、
前記ワイヤレスデバイスが前記第１のページングメッセージに応答しなかったと決定することと、
前記決定に少なくとも部分的に基づいて、前記動的ＣＥ構成の第２のＣＥレベルに従って前記ワイヤレスデバイスのための第２のページングメッセージを送信することと
をさせるように動作可能な命令とを備える、装置。
［Ｃ３１］
ワイヤレス通信のための装置であって、
ネットワークエンティティを用いて動的カバレージ拡張（ＣＥ）構成を確立するための手段と、
前記動的ＣＥ構成の第１のＣＥレベルを利用して接続モードで通信するための手段と、
アイドルモードにある間に前記動的ＣＥ構成の第２のＣＥレベルを選択するための手段と、
前記アイドルモードにある間に前記第２のＣＥレベルを利用して送信されたページング指示を受信するための手段と
を備える、装置。
［Ｃ３２］
前記装置が、
前記ページング指示に少なくとも部分的に基づいて前記第２のＣＥレベルを利用して前記接続モードで通信するための手段
をさらに備える、Ｃ３１に記載の装置。
［Ｃ３３］
前記ネットワークエンティティを用いて動的ＣＥ構成を確立することが、
動的ＣＥページングのサポートを示すこと
を備える、Ｃ３１に記載の装置。
［Ｃ３４］
前記サポートが基地局に示される、Ｃ３３に記載の装置。
［Ｃ３５］
前記サポート指示が、ユーザ構成、事業者構成、またはその両方に少なくとも部分的に基づく、Ｃ３３に記載の装置。
［Ｃ３６］
前記事業者構成が、汎用加入者識別モジュール（ＵＳＩＭ）においてイネーブルされる動的ＣＥレベルの指示を介して、オープンモバイルアライアンスデバイス管理（ＯＭＡ  ＤＭ）指示を介して、またはその両方を介してイネーブルされる、Ｃ３５に記載の装置。
［Ｃ３７］
前記装置が、
前記動的ＣＥ構成に少なくとも部分的に基づいて前記第２のＣＥレベルが選択されたという指示をシグナリングすることを控えるための手段
をさらに備える、Ｃ３１に記載の装置。
［Ｃ３８］
前記装置が、
動的ＣＥサポート指示についてのシステム情報を監視するための手段
をさらに備える、Ｃ３１に記載の装置。
［Ｃ３９］
前記装置が、
前記動的ＣＥサポート指示に少なくとも部分的に基づいて基地局が前記動的ＣＥ構成をサポートすると決定するための手段と、
前記決定に少なくとも部分的に基づいて前記アイドルモードにある間に前記基地局を再選択するための手段と
をさらに備える、Ｃ３８に記載の装置。
［Ｃ４０］
前記装置が、
前記動的ＣＥサポート指示に少なくとも部分的に基づいて基地局が前記動的ＣＥ構成をサポートしないと決定するための手段と、
前記決定に少なくとも部分的に基づいて前記アイドルモードにある間に前記基地局を再選択することを控えるための手段と
をさらに備える、Ｃ３８に記載の装置。
［Ｃ４１］
前記装置は、
チャネル状態を測定するための手段をさらに備え、ここにおいて、前記第２のＣＥレベルを選択することが、前記チャネル状態に少なくとも部分的に基づく、
Ｃ３１に記載の装置。
［Ｃ４２］
前記第２のＣＥレベルは、前記第２のＣＥレベルが前記第１のＣＥレベルよりも高いという制限に少なくとも部分的に基づいて選択される、Ｃ３１に記載の装置。
［Ｃ４３］
動的ＣＥレベルのサポートの前記指示が構成に部分的に依存し、ここで、前記構成がユーザ構成または事業者構成を備え、ここにおいて、前記事業者構成が、汎用加入者識別モジュール（ＵＳＩＭ）においてイネーブルされる動的ＣＥレベルの指示またはＯＭＡ  ＤＭを介した指示を備える、Ｃ３１に記載の装置。
［Ｃ４４］
ワイヤレス通信のための装置であって、
ワイヤレスデバイスのための動的ＣＥ構成を識別するための手段と、
前記動的ＣＥ構成の第１のＣＥレベルに従って前記ワイヤレスデバイスのための第１のページングメッセージを送信するための手段と、
前記ワイヤレスデバイスが前記第１のページングメッセージに応答しなかったと決定するための手段と、
前記決定に少なくとも部分的に基づいて、前記動的ＣＥ構成の第２のＣＥレベルに従って前記ワイヤレスデバイスのための第２のページングメッセージを送信するための手段とを備える、装置。
［Ｃ４５］
前記装置が、
前記ワイヤレスデバイスがアイドルモードにあると決定するための手段
をさらに備える、Ｃ４４に記載の装置。
［Ｃ４６］
前記装置が、
前記決定に少なくとも部分的に基づいて、前記第１のＣＥレベルに従って前記ワイヤレスデバイスのための第３のページングメッセージを送信するための手段
をさらに備える、Ｃ４４に記載の装置。
［Ｃ４７］
前記装置が、
前記ワイヤレスデバイスからメッセージを受信するための手段
をさらに備える、Ｃ４４に記載の装置。
［Ｃ４８］
前記装置が、
前記ワイヤレスデバイスからの前記メッセージに少なくとも部分的に基づいてページング停止要求を送信するための手段
をさらに備える、Ｃ４７に記載の装置。
［Ｃ４９］
前記装置は、
前記第１のページングメッセージをしきい値回数再送信するための手段をさらに備え、ここにおいて、前記第２のページングメッセージを送信することが、前記第１のページングメッセージを前記しきい値回数再送信することに少なくとも部分的に基づく、
Ｃ４４に記載の装置。
［Ｃ５０］
前記第２のページングメッセージを送信することが、
前記第１のＣＥレベルを使用すべきなのか、前記第２のＣＥレベルを使用すべきなのか、別のＣＥレベルを使用すべきなのか、それらの任意の組合せを使用すべきなのかを示すＣＥレベル調整インデックスを示すこと
を備える、Ｃ４４に記載の装置。
［Ｃ５１］
前記第２のページングメッセージを送信することが、
前記第１のＣＥレベルを使用すべきなのか、前記第２のＣＥレベルを使用すべきなのか、別のＣＥレベルを使用すべきなのか、それらの任意の組合せを使用すべきなのかを示す前記第１のページングメッセージのいくつかの再送信を送信すること
を備える、Ｃ４４に記載の装置。
［Ｃ５２］
前記装置は、
コアネットワークエンティティからＣＥレベル調整インデックスを受信するための手段をさらに備え、ここにおいて、前記第２のＣＥレベルが前記ＣＥレベル調整インデックスに少なくとも部分的に基づく、
Ｃ４４に記載の装置。
［Ｃ５３］
前記装置は、
コアネットワークエンティティからＣＥレベル調整インデックスを受信するための手段をさらに備え、ここにおいて、前記第２のＣＥレベルが前記ＣＥレベル調整インデックスに少なくとも部分的に基づく、
Ｃ４４に記載の装置。
［Ｃ５４］
前記装置は、
コアネットワークエンティティから前記第１のＣＥレベルに関連する追加情報を受信するための手段をさらに備え、ここにおいて、前記第２のＣＥレベルが前記追加情報に少なくとも部分的に基づく、
Ｃ４４に記載の装置。
［Ｃ５５］
前記装置が、
コアネットワークエンティティから動的ＣＥサポート指示を受信するための手段
をさらに備える、Ｃ４４に記載の装置。
［Ｃ５６］
前記装置が、
コアネットワークエンティティから動的ＣＥ値を受信するための手段
をさらに備える、Ｃ４４に記載の装置。
［Ｃ５７］
前記装置が、
前記動的ＣＥ構成を備える無線リソース制御（ＲＲＣ）構成メッセージを前記ワイヤレスデバイスに送信するための手段
をさらに備える、Ｃ４４に記載の装置。
［Ｃ５８］
前記装置が、
ページング情報、動的ＣＥ構成情報、またはその両方を備えるコンテキスト解放完了メッセージをコアネットワークエンティティに送信するための手段
をさらに備える、Ｃ４４に記載の装置。
［Ｃ５９］
前記第２のＣＥレベルは、前記第２のＣＥレベルが前記第１のＣＥレベルよりも高いという制限に少なくとも部分的に基づく、Ｃ４４に記載の装置。
［Ｃ６０］
ワイヤレス通信のためのコードを記憶する非一時的コンピュータ可読媒体であって、前記コードが、
ネットワークエンティティを用いて動的カバレージ拡張（ＣＥ）構成を確立することと、
前記動的ＣＥ構成の第１のＣＥレベルを利用して接続モードで通信することと、
アイドルモードにある間に前記動的ＣＥ構成の第２のＣＥレベルを選択することと、
前記アイドルモードにある間に前記第２のＣＥレベルを利用して送信されたページング指示を受信することと
を行うために実行可能な命令を備える、非一時的コンピュータ可読媒体。
［Ｃ６１］
ワイヤレス通信のためのコードを記憶する非一時的コンピュータ可読媒体であって、前記コードが、
ワイヤレスデバイスのための動的ＣＥ構成を識別することと、
前記動的ＣＥ構成の第１のＣＥレベルに従って前記ワイヤレスデバイスのための第１のページングメッセージを送信することと、
前記ワイヤレスデバイスが前記第１のページングメッセージに応答しなかったと決定することと、
前記決定に少なくとも部分的に基づいて、前記動的ＣＥ構成の第２のＣＥレベルに従って前記ワイヤレスデバイスのための第２のページングメッセージを送信することと
を行うために実行可能な命令を備える、非一時的コンピュータ可読媒体。
［Ｃ６２］
コアネットワークエンティティにおけるワイヤレス通信の方法であって、
ワイヤレスデバイスのための動的ＣＥ構成を識別することと、
前記動的ＣＥ構成の第１のＣＥレベルに従って、基地局によって使用されるべき、前記ワイヤレスデバイスのための第１のページングメッセージを送信することと、
前記ワイヤレスデバイスが前記第１のページングメッセージに応答しなかったと決定することと、
前記決定に少なくとも部分的に基づいて前記動的ＣＥ構成に関する追加情報を送信することと
を備える、方法。
［Ｃ６３］
前記ワイヤレスデバイスがアイドルモードにあると決定すること
をさらに備える、Ｃ６２に記載の方法。
［Ｃ６４］
前記動的ＣＥ構成に関する追加情報を送信することが、
前記決定に少なくとも部分的に基づいて、前記基地局によって使用されるべき、前記ワイヤレスデバイスのための第２のページングメッセージを送信すること
を備える、Ｃ６２に記載の方法。
［Ｃ６５］
前記決定に少なくとも部分的に基づいて、前記第１のＣＥレベルに従って、前記基地局によって使用されるべき、前記ワイヤレスデバイスのための第３のページングメッセージを送信すること
をさらに備える、Ｃ６４に記載の方法。
［Ｃ６６］
前記ワイヤレスデバイスをサービスする基地局に動的ＣＥサポート指示を送信することをさらに備える、Ｃ６２に記載の方法。
［Ｃ６７］
前記ワイヤレスデバイスをサービスする基地局に動的ＣＥ値を送信すること
をさらに備える、Ｃ６２に記載の方法。
［Ｃ６８］
前記動的ＣＥ構成を識別することが、
ページング情報または動的ＣＥ構成情報、あるいはその両方を備えるコンテキスト解放完了メッセージを基地局から受信すること
を備える、Ｃ６２に記載の方法。
［Ｃ６９］
前記第１のページングメッセージまたは前記第２のページングメッセージを送信することが、
トラッキングエリア中の基地局のセットにページング要求を送ること
を備える、Ｃ６４に記載の方法。
［Ｃ７０］
ワイヤレス通信のための装置であって、
プロセッサと、
前記プロセッサと電子通信しているメモリと、
前記メモリに記憶され、前記プロセッサによって実行されたとき、前記装置に、
ワイヤレスデバイスのための動的ＣＥ構成を識別することと、
前記動的ＣＥ構成の第１のＣＥレベルに従って、基地局によって使用されるべき、前記ワイヤレスデバイスのための第１のページングメッセージを送信することと、
前記ワイヤレスデバイスが前記第１のページングメッセージに応答しなかったと決定することと、
前記決定に少なくとも部分的に基づいて前記動的ＣＥ構成に関する追加情報を送信することと
をさせるように動作可能な命令とを備える、装置。
［Ｃ７１］
ワイヤレス通信のための装置であって、
ワイヤレスデバイスのための動的ＣＥ構成を識別するための手段と、
前記動的ＣＥ構成の第１のＣＥレベルに従って、基地局によって使用されるべき、前記ワイヤレスデバイスのための第１のページングメッセージを送信するための手段と、
前記ワイヤレスデバイスが前記第１のページングメッセージに応答しなかったと決定するための手段と、
前記決定に少なくとも部分的に基づいて前記動的ＣＥ構成に関する追加情報を送信するための手段と
を備える、装置。
［Ｃ７２］
前記装置が、
前記ワイヤレスデバイスがアイドルモードにあると決定するための手段
をさらに備える、Ｃ７１に記載の装置。
［Ｃ７３］
前記装置が、
前記決定に少なくとも部分的に基づいて、前記基地局によって使用されるべき、前記ワイヤレスデバイスのための第２のページングメッセージを送信するための手段
をさらに備える、Ｃ７１に記載の装置。
［Ｃ７４］
前記装置が、
前記決定に少なくとも部分的に基づいて、前記第１のＣＥレベルに従って、前記基地局によって使用されるべき、前記ワイヤレスデバイスのための第３のページングメッセージを送信するための手段
をさらに備える、Ｃ７１に記載の装置。
［Ｃ７５］
前記装置が、
前記ワイヤレスデバイスをサービスする基地局に動的ＣＥサポート指示を送信するための手段
をさらに備える、Ｃ７１に記載の装置。
［Ｃ７６］
前記装置が、
前記ワイヤレスデバイスをサービスする基地局に動的ＣＥ値を送信するための手段
をさらに備える、Ｃ７１に記載の装置。
［Ｃ７７］
前記動的ＣＥ構成を識別することが、
ページング情報または動的ＣＥ構成情報、あるいはその両方を備えるコンテキスト解放完了メッセージを基地局から受信すること
を備える、Ｃ７１に記載の装置。
［Ｃ７８］
前記第１のページングメッセージまたは前記第２のページングメッセージを送信することが、
トラッキングエリア中の基地局のセットにページング要求を送ること
を備える、Ｃ７１に記載の装置。
［Ｃ７９］
ワイヤレス通信のためのコードを記憶する非一時的コンピュータ可読媒体であって、前記コードが、
ワイヤレスデバイスのための動的ＣＥ構成を識別することと、
前記動的ＣＥ構成の第１のＣＥレベルに従って、基地局によって使用されるべき、前記ワイヤレスデバイスのための第１のページングメッセージを送信することと、
前記ワイヤレスデバイスが前記第１のページングメッセージに応答しなかったと決定することと、
前記決定に少なくとも部分的に基づいて前記動的ＣＥ構成に関する追加情報を送信することと
を行うために実行可能な命令を備える、非一時的コンピュータ可読媒体。
【手続補正書】
【提出日】令和2年6月16日(2020.6.16)
【手続補正１】
【補正対象書類名】特許請求の範囲
【補正対象項目名】全文
【補正方法】変更
【補正の内容】
【特許請求の範囲】
【請求項１】
基地局におけるワイヤレス通信の方法であって、
ワイヤレスデバイスのための動的カバレージ拡張（ＣＥ）構成を識別することと、
前記動的ＣＥ構成の第１のＣＥレベルに従って前記ワイヤレスデバイスのための第１のページングメッセージを送信することと、
前記ワイヤレスデバイスが前記第１のページングメッセージに応答しなかったと決定することと、
前記決定に基づいて、前記動的ＣＥ構成の第２のＣＥレベルに従って前記ワイヤレスデバイスのための第２のページングメッセージを送信することとを備える、方法。
【請求項２】
前記ワイヤレスデバイスがアイドルモードにあると決定することをさらに備える、請求項１に記載の方法。
【請求項３】
前記決定に基づいて、前記第１のＣＥレベルに従って前記ワイヤレスデバイスのための第３のページングメッセージを送信することをさらに備える、請求項１に記載の方法。
【請求項４】
前記ワイヤレスデバイスからメッセージを受信することをさらに備える、請求項１に記載の方法。
【請求項５】
前記ワイヤレスデバイスからの前記メッセージに基づいてページング停止要求を送信することをさらに備える、請求項４に記載の方法。
【請求項６】
前記第１のページングメッセージをしきい値回数再送信することをさらに備え、ここにおいて、前記第２のページングメッセージを送信することが、前記第１のページングメッセージを前記しきい値回数再送信することに基づく、請求項１に記載の方法。
【請求項７】
前記第２のページングメッセージを送信することが、
前記第１のＣＥレベルを使用すべきなのか、前記第２のＣＥレベルを使用すべきなのか、別のＣＥレベルを使用すべきなのか、それらの任意の組合せを使用すべきなのかを示すＣＥレベル調整インデックスを示すことを備える、請求項１に記載の方法。
【請求項８】
前記第２のページングメッセージを送信することが、
前記第１のＣＥレベルを使用すべきなのか、前記第２のＣＥレベルを使用すべきなのか、別のＣＥレベルを使用すべきなのか、それらの任意の組合せを使用すべきなのかを示す前記第１のページングメッセージのいくつかの再送信を送信することを備える、請求項１に記載の方法。
【請求項９】
コアネットワークエンティティからＣＥレベル調整インデックスを受信することをさらに備え、ここにおいて、前記第２のＣＥレベルが前記ＣＥレベル調整インデックスに基づく、請求項１に記載の方法。
【請求項１０】
コアネットワークエンティティから前記第１のＣＥレベルに関連する追加情報を受信することをさらに備え、ここにおいて、前記第２のＣＥレベルが前記追加情報に基づく、請求項１に記載の方法。
【請求項１１】
コアネットワークエンティティから動的ＣＥサポート指示を受信することをさらに備える、請求項１に記載の方法。
【請求項１２】
コアネットワークエンティティから動的ＣＥ値を受信することをさらに備える、請求項１に記載の方法。
【請求項１３】
前記動的ＣＥ構成を備える無線リソース制御（ＲＲＣ）構成メッセージを前記ワイヤレスデバイスに送信することをさらに備える、請求項１に記載の方法。
【請求項１４】
ページング情報、動的ＣＥ構成情報、またはその両方を備えるコンテキスト解放完了メッセージをコアネットワークエンティティに送信することをさらに備える、請求項１に記載の方法。
【請求項１５】
前記第２のＣＥレベルは、前記第２のＣＥレベルが前記第１のＣＥレベルよりも高いという制限に基づく、請求項１に記載の方法。
【請求項１６】
ワイヤレス通信のための装置であって、
ワイヤレスデバイスのための動的カバレージ拡張（ＣＥ）構成を識別するための手段と、
前記動的ＣＥ構成の第１のＣＥレベルに従って前記ワイヤレスデバイスのための第１のページングメッセージを送信するための手段と、
前記ワイヤレスデバイスが前記第１のページングメッセージに応答しなかったと決定するための手段と、
前記決定に基づいて、前記動的ＣＥ構成の第２のＣＥレベルに従って前記ワイヤレスデバイスのための第２のページングメッセージを送信するための手段とを備える、装置。
【請求項１７】
ワイヤレス通信のための装置であって、
プロセッサと、
前記プロセッサと電子通信しているメモリと、
前記メモリに記憶され、前記プロセッサによって実行されたとき、前記装置に、
ワイヤレスデバイスのための動的カバレージ拡張（ＣＥ）構成を識別することと、
前記動的ＣＥ構成の第１のＣＥレベルに従って前記ワイヤレスデバイスのための第１のページングメッセージを送信することと、
前記ワイヤレスデバイスが前記第１のページングメッセージに応答しなかったと決定することと、
前記決定に基づいて、前記動的ＣＥ構成の第２のＣＥレベルに従って前記ワイヤレスデバイスのための第２のページングメッセージを送信することとをさせるように動作可能な命令とを備える、装置。
【請求項１８】
前記命令は、
前記ワイヤレスデバイスがアイドルモードにあると決定することを前記装置にさせるように動作可能である、請求項１７に記載の装置。
【請求項１９】
前記命令は、
前記決定に基づいて、前記第１のＣＥレベルに従って前記ワイヤレスデバイスのための第３のページングメッセージを送信することを前記装置にさせるように動作可能である、請求項１７に記載の装置。
【請求項２０】
前記命令は、
前記ワイヤレスデバイスからメッセージを受信することを前記装置にさせるように動作可能である、請求項１７に記載の装置。
【請求項２１】
前記命令は、
前記ワイヤレスデバイスからの前記メッセージに基づいてページング停止要求を送信することを前記装置にさせるように動作可能である、請求項２０に記載の装置。
【請求項２２】
前記命令は、
前記第１のページングメッセージをしきい値回数再送信することを前記装置にさせるように動作可能であり、ここにおいて、前記第２のページングメッセージを送信することが、前記第１のページングメッセージを前記しきい値回数再送信することに基づく、請求項１７に記載の装置。
【請求項２３】
前記第２のページングメッセージを送信することが、
前記第１のＣＥレベルを使用すべきなのか、前記第２のＣＥレベルを使用すべきなのか、別のＣＥレベルを使用すべきなのか、それらの任意の組合せを使用すべきなのかを示すＣＥレベル調整インデックスを示すことを備える、請求項１７に記載の装置。
【請求項２４】
前記第２のページングメッセージを送信することが、
前記第１のＣＥレベルを使用すべきなのか、前記第２のＣＥレベルを使用すべきなのか、別のＣＥレベルを使用すべきなのか、それらの任意の組合せを使用すべきなのかを示す前記第１のページングメッセージのいくつかの再送信を送信することを備える、請求項１７に記載の装置。
【請求項２５】
前記命令は、
コアネットワークエンティティからＣＥレベル調整インデックスを受信することを前記装置にさせるように動作可能であり、ここにおいて、前記第２のＣＥレベルが前記ＣＥレベル調整インデックスに基づく、請求項１７に記載の装置。
【請求項２６】
前記命令は、
コアネットワークエンティティから前記第１のＣＥレベルに関連する追加情報を受信することを前記装置にさせるように動作可能であり、ここにおいて、前記第２のＣＥレベルが前記追加情報に基づく、請求項１７に記載の装置。
【請求項２７】
前記命令は、
コアネットワークエンティティから動的ＣＥサポート指示を受信することを前記装置にさせるように動作可能である、請求項１７に記載の装置。
【請求項２８】
前記命令は、
コアネットワークエンティティから動的ＣＥ値を受信することを前記装置にさせるように動作可能である、請求項１７に記載の装置。
【請求項２９】
前記命令は、
前記動的ＣＥ構成を備える無線リソース制御（ＲＲＣ）構成メッセージを前記ワイヤレスデバイスに送信することを前記装置にさせるように動作可能である、請求項１７に記載の装置。
【請求項３０】
前記命令は、  ページング情報、動的ＣＥ構成情報、またはその両方を備えるコンテキスト解放完了メッセージをコアネットワークエンティティに送信することを前記装置にさせるように動作可能である、請求項１７に記載の装置。
【請求項３１】
前記第２のＣＥレベルは、前記第２のＣＥレベルが前記第１のＣＥレベルよりも高いという制限に基づく、請求項１７に記載の装置。
【請求項３２】
ワイヤレス通信のためのコードを記憶する非一時的コンピュータ可読記憶媒体であって、前記コードが、
ワイヤレスデバイスのための動的カバレージ拡張（ＣＥ）構成を識別することと、
前記動的ＣＥ構成の第１のＣＥレベルに従って前記ワイヤレスデバイスのための第１のページングメッセージを送信することと、
前記ワイヤレスデバイスが前記第１のページングメッセージに応答しなかったと決定することと、
前記決定に基づいて、前記動的ＣＥ構成の第２のＣＥレベルに従って前記ワイヤレスデバイスのための第２のページングメッセージを送信することとを行うために実行可能な命令を備える、非一時的コンピュータ可読記憶媒体。
【外国語明細書】
2020145698000001.pdf